(57)【要約】      （修正有）【課題】ユーザ機器（ＵＥ）において免許不要の無線周波数スペクトル帯域を通じて基地局から送信される同期信号を受信する方法を提供する。【解決手段】ユーザ機器（ＵＥ）において、同期信号の送信に関連付けられる時間ウィンドウのインジケーションを受信すると、基地局から同期信号を受信するために、時間ウィンドウの間に免許不要の無線周波数スペクトル帯域をモニタする。基地局は、時間ウィンドウの間に免許不要の無線周波数スペクトル帯域に対してクリアチャネルアセスメントを（ＣＣＡ）を実行し、その結果に基づく送信時間に同期信号を送信する。【選択図】図１８
2020036323.tif 000002
【特許請求の範囲】
【請求項１】
ワイヤレス通信のための方法であって、
ユーザ機器（ＵＥ）において免許不要の無線周波数スペクトル帯域を通じて、同期信号の送信に関連付けられる時間ウィンドウのインジケーションを受信することと、
基地局から前記同期信号を受信するために、前記時間ウィンドウの間に前記免許不要の無線周波数スペクトル帯域をモニタすることと
を備える、方法。
【請求項２】
前記時間ウィンドウの間に前記免許不要の無線周波数スペクトル帯域をモニタすることは、
前記時間ウィンドウの前に前記ＵＥの受信機をスリープ状態からウェイクアップさせることを備える、
請求項１に記載の方法。
【請求項３】
前記時間ウィンドウの間に、前記基地局からタイミング情報を受信することをさらに備え、前記タイミング情報が、前記基地局の現在のフレーム、前記基地局の現在のサブフレーム、または現在のシンボルからなるグループのうちの１つのインジケーションを備える、
請求項１に記載の方法。
【請求項４】
前記タイミング情報に少なくとも部分的に基づいて、前記ＵＥを前記基地局と同期させることをさらに備える、
請求項３に記載の方法。
【請求項５】
前記基地局から前記同期信号を受信するために、前記基地局のクリアチャネルアセスメント（ＣＣＡ）免除送信（ＣＥＴ）の間に前記免許不要の無線周波数スペクトル帯域をモニタすることをさらに備える、
請求項１に記載の方法。
【請求項６】
前記基地局からＣＣＡに従った前記同期信号の送信を受信するために、周期固定サブフレームロケーションの間に前記免許不要の無線周波数スペクトル帯域をモニタすることをさらに備える、
請求項１に記載の方法。
【請求項７】
前記時間ウィンドウは、ＣＣＡに従った前記送信とは異なる、前記免許不要の無線周波数スペクトル帯域のサブキャリア周波数のセットに関連付けられる、
請求項６に記載の方法。
【請求項８】
前記時間ウィンドウは、前記基地局の前記周期固定サブフレームロケーションと時間的に重複する、
請求項６に記載の方法。
【請求項９】
前記時間ウィンドウは、前記基地局の少なくとも１つのクリアチャネルアセスメント（ＣＣＡ）免除送信（ＣＥＴ）に取って代わる、
請求項１に記載の方法。
【請求項１０】
前記時間ウィンドウの前記インジケーションは、システム情報ブロックまたはマスタ情報ブロックにおいて受信される、
請求項１に記載の方法。
【請求項１１】
前記時間ウィンドウの前記インジケーションは、無線リソース制御（ＲＲＣ）メッセージにおいて受信される、
請求項１に記載の方法。
【請求項１２】
前記時間ウィンドウの間に前記基地局に関するシステム情報を受信することをさらに備え、前記システム情報がシステム情報ブロックまたはマスタ情報ブロックにおいて受信される、
請求項１に記載の方法。
【請求項１３】
前記同期信号に対して無線リソース管理測定を実行することをさらに備える、
請求項１に記載の方法。
【請求項１４】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１に記載の方法。
【請求項１５】
ワイヤレス通信のための装置であって、
ユーザ機器（ＵＥ）において免許不要の無線周波数スペクトル帯域を通じて、同期信号の送信に関連付けられる時間ウィンドウのインジケーションを受信するための手段と、
基地局から前記同期信号を受信するために、前記時間ウィンドウの間に前記免許不要の無線周波数スペクトル帯域をモニタするための手段と
を備える、装置。
【請求項１６】
前記時間ウィンドウの間に前記免許不要の無線周波数スペクトル帯域をモニタすることは、
前記時間ウィンドウの前に前記ＵＥの受信機をスリープ状態からウェイクアップさせるための手段を備える、
請求項１５に記載の装置。
【請求項１７】
前記時間ウィンドウの間に、前記基地局からタイミング情報を受信するための手段をさらに備え、前記タイミング情報が、前記基地局の現在のフレーム、前記基地局の現在のサブフレーム、または現在のシンボルからなるグループのうちの１つのインジケーションを備える、
請求項１５に記載の装置。
【請求項１８】
前記タイミング情報に少なくとも部分的に基づいて、前記ＵＥを前記基地局と同期させるための手段をさらに備える、
請求項１７に記載の装置。
【請求項１９】
前記基地局から前記同期信号を受信するために、前記基地局のクリアチャネルアセスメント（ＣＣＡ）免除送信（ＣＥＴ）の間に前記免許不要の無線周波数スペクトル帯域をモニタするための手段をさらに備える、
請求項１５に記載の装置。
【請求項２０】
前記基地局からＣＣＡに従った前記同期信号の送信を受信するために、周期固定サブフレームロケーションの間に前記免許不要の無線周波数スペクトル帯域をモニタするための手段をさらに備える、
請求項１５に記載の装置。
【請求項２１】
前記時間ウィンドウは、ＣＣＡに従った前記送信とは異なる、前記免許不要の無線周波数スペクトル帯域のサブキャリア周波数のセットに関連付けられる、
請求項２０に記載の装置。
【請求項２２】
前記時間ウィンドウは、前記基地局の前記周期固定サブフレームロケーションと時間的に重複する、
請求項２０に記載の装置。
【請求項２３】
前記時間ウィンドウは、前記基地局の少なくとも１つのクリアチャネルアセスメント（ＣＣＡ）免除送信（ＣＥＴ）に取って代わる、
請求項１５に記載の装置。
【請求項２４】
前記時間ウィンドウの前記インジケーションは、システム情報ブロックまたはマスタ情報ブロックにおいて受信される、
請求項１５に記載の装置。
【請求項２５】
前記時間ウィンドウの前記インジケーションは、無線リソース制御（ＲＲＣ）メッセージにおいて受信される、
請求項１５に記載の装置。
【請求項２６】
前記時間ウィンドウの間に前記基地局に関するシステム情報を受信するための手段をさらに備え、前記システム情報がシステム情報ブロックまたはマスタ情報ブロックにおいて受信される、
請求項１５に記載の装置。
【請求項２７】
前記同期信号に対して無線リソース管理測定を実行するための手段をさらに備える、
請求項１５に記載の装置。
【請求項２８】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１５に記載の装置。
【請求項２９】
ワイヤレス通信のための装置であって、
プロセッサと、
前記プロセッサに結合されたメモリと
を備え、前記プロセッサは、
ユーザ機器（ＵＥ）において免許不要の無線周波数スペクトル帯域を通じて、同期信号の送信に関連付けられる時間ウィンドウのインジケーションを受信することと、
基地局から前記同期信号を受信するために、前記時間ウィンドウの間に前記免許不要の無線周波数スペクトル帯域をモニタすることと
を行うように構成される、装置。
【請求項３０】
前記プロセッサは、
前記時間ウィンドウの前に前記ＵＥの受信機をスリープ状態からウェイクアップさせるように構成される、
請求項２９に記載の装置。
【請求項３１】
前記プロセッサは、
前記時間ウィンドウの間に、前記基地局からタイミング情報を受信するように構成され、前記タイミング情報が、前記基地局の現在のフレーム、前記基地局の現在のサブフレーム、または現在のシンボルからなるグループのうちの１つのインジケーションを備える、
請求項２９に記載の装置。
【請求項３２】
前記プロセッサは、
前記タイミング情報に少なくとも部分的に基づいて、前記ＵＥを前記基地局と同期させるように構成される、
請求項３１に記載の装置。
【請求項３３】
前記プロセッサは、
前記基地局から前記同期信号を受信するために、前記基地局のクリアチャネルアセスメント（ＣＣＡ）免除送信（ＣＥＴ）の間に前記免許不要の無線周波数スペクトル帯域をモニタするように構成される、
請求項２９に記載の装置。
【請求項３４】
前記プロセッサは、
前記基地局からＣＣＡに従った前記同期信号の送信を受信するために、周期固定サブフレームロケーションの間に前記免許不要の無線周波数スペクトル帯域をモニタするように構成される、
請求項２９に記載の装置。
【請求項３５】
前記プロセッサは、
前記時間ウィンドウの間に前記基地局に関するシステム情報を受信するように構成され、前記システム情報がシステム情報ブロックまたはマスタ情報ブロックにおいて受信される、
請求項２９に記載の装置。
【請求項３６】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項２９に記載の装置。
【請求項３７】
プロセッサによって実行可能な命令を記憶するための非一時的コンピュータ可読媒体であって、
ユーザ機器（ＵＥ）において免許不要の無線周波数スペクトル帯域を通じて、同期信号の送信に関連付けられる時間ウィンドウのインジケーションを受信するための命令と、
基地局から前記同期信号を受信するために、前記時間ウィンドウの間に前記免許不要の無線周波数スペクトル帯域をモニタするための命令と
を備える、非一時的コンピュータ可読媒体。
【請求項３８】
前記時間ウィンドウの間に前記免許不要の無線周波数スペクトル帯域をモニタするための前記命令は、
前記時間ウィンドウの前に前記ＵＥの受信機をスリープ状態からウェイクアップさせるための命令を備える、
請求項３７に記載の非一時的コンピュータ可読媒体。
【請求項３９】
前記時間ウィンドウの間に、前記基地局からタイミング情報を受信するための命令をさらに備え、前記タイミング情報が、前記基地局の現在のフレーム、前記基地局の現在のサブフレーム、または現在のシンボルからなるグループのうちの１つのインジケーションを備える、
請求項３７に記載の非一時的コンピュータ可読媒体。
【請求項４０】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項３７に記載の非一時的コンピュータ可読媒体。
【請求項４１】
ワイヤレス通信のための方法であって、
同期信号の送信に関連付けられる時間ウィンドウのインジケーションを送信することと、
前記時間ウィンドウの間に免許不要の無線周波数スペクトル帯域に対していくつかのクリアチャネルアセスメント（ＣＣＡ）を実行することと、
前記時間ウィンドウの間の送信時間に前記免許不要の無線周波数スペクトル帯域を通じて前記同期信号を送信すること、ここにおいて、前記送信時間は、前記ＣＣＡのうちの少なくとも１つの結果に少なくとも部分的に基づく、と
を備える、方法。
【請求項４２】
前記時間ウィンドウの間に前記免許不要の無線周波数スペクトル帯域に対して前記いくつかのＣＣＡを実行することは、
前記時間ウィンドウの間の前記ＣＣＡのうちの最初の成功したものを識別することを備え、
前記送信時間は、前記時間ウィンドウの間の前記ＣＣＡのうちの前記最初の成功したものに後続する、
請求項４１に記載の方法。
【請求項４３】
前記時間ウィンドウの間に前記免許不要の無線周波数スペクトル帯域に対して前記いくつかのＣＣＡを実行することは、
前記時間ウィンドウの間に実行された前記ＣＣＡのうちのいずれも成功しなかったと決定することを備え、
前記送信時間は、前記時間ウィンドウの終わりに発生する、
請求項４１に記載の方法。
【請求項４４】
前記時間ウィンドウの間にタイミング情報を送信することをさらに備え、前記タイミング情報が、基地局の現在のフレーム、前記基地局の現在のサブフレーム、または現在のシンボルからなるグループのうちの１つのインジケーションを備える、
請求項４１に記載の方法。
【請求項４５】
クリアチャネルアセスメント（ＣＣＡ）免除送信（ＣＥＴ）の間に前記免許不要の無線周波数スペクトル帯域を通じて前記同期信号を送信することをさらに備える、
請求項４１に記載の方法。
【請求項４６】
前記同期信号が送信されるサブフレームに関するダウンリンク制御情報（ＤＣＩ）を送信することをさらに備え、前記ＤＣＩが、前記サブフレームにおいて前記同期信号を送信するために使用される少なくとも１つのリソースをシグナリングする、
請求項４１に記載の方法。
【請求項４７】
周期固定サブフレームロケーションの間に、機会主義的に前記免許不要の無線周波数スペクトル帯域を通じて前記同期信号を送信することをさらに備える、
請求項４１に記載の方法。
【請求項４８】
前記時間ウィンドウは、前記機会主義的に送信される同期信号とは異なる、前記免許不要の無線周波数スペクトル帯域のサブキャリア周波数のセットに関連付けられる、
請求項４７に記載の方法。
【請求項４９】
前記時間ウィンドウは、基地局の前記周期固定サブフレームロケーションと時間的に重複する、
請求項４７に記載の方法。
【請求項５０】
前記時間ウィンドウは、基地局の少なくとも１つのクリアチャネルアセスメント（ＣＣＡ）免除送信（ＣＥＴ）に取って代わる、
請求項４１に記載の方法。
【請求項５１】
前記いくつかのＣＣＡは、複数のＣＣＡを備える、
請求項４１に記載の方法。
【請求項５２】
前記時間ウィンドウの前記インジケーションは、システム情報ブロックまたはマスタ情報ブロックにおいて送信される、
請求項４１に記載の方法。
【請求項５３】
前記時間ウィンドウの前記インジケーションは、無線リソース制御（ＲＲＣ）メッセージにおいて送信される、
請求項４１に記載の方法。
【請求項５４】
前記時間ウィンドウの間に基地局に関するシステム情報を送信することをさらに備え、前記システム情報がシステム情報ブロックまたはマスタ情報ブロックにおいて送信される、
請求項４１に記載の方法。
【請求項５５】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項４１に記載の方法。
【請求項５６】
ワイヤレス通信のための装置であって、
同期信号の送信に関連付けられる時間ウィンドウのインジケーションを送信するための手段と、
前記時間ウィンドウの間に免許不要の無線周波数スペクトル帯域に対していくつかのクリアチャネルアセスメント（ＣＣＡ）を実行するための手段と、
前記時間ウィンドウの間の送信時間に前記免許不要の無線周波数スペクトル帯域を通じて前記同期信号を送信するための手段、ここにおいて、前記送信時間が前記ＣＣＡのうちの少なくとも１つの結果に少なくとも部分的に基づく、と
を備える、装置。
【請求項５７】
前記時間ウィンドウの間に前記免許不要の無線周波数スペクトル帯域に対して前記いくつかのＣＣＡを前記実行するための手段は、
前記時間ウィンドウの間の前記ＣＣＡのうちの最初の成功したものを識別するための手段を備え、
前記送信時間は、前記時間ウィンドウの間の前記ＣＣＡのうちの前記最初の成功したものに後続する、
請求項５６に記載の装置。
【請求項５８】
前記時間ウィンドウの間に前記免許不要の無線周波数スペクトル帯域に対して前記いくつかのＣＣＡを前記実行するための手段は、
前記時間ウィンドウの間に実行された前記ＣＣＡのうちのいずれも成功しなかったと決定するための手段を備え、
前記送信時間は、前記時間ウィンドウの終わりに発生する、
請求項５６に記載の装置。
【請求項５９】
前記時間ウィンドウの間にタイミング情報を送信するための手段をさらに備え、前記タイミング情報は、基地局の現在のフレーム、前記基地局の現在のサブフレーム、または現在のシンボルからなるグループのうちの１つのインジケーションを備える、
請求項５６に記載の装置。
【請求項６０】
クリアチャネルアセスメント（ＣＣＡ）免除送信（ＣＥＴ）の間に前記免許不要の無線周波数スペクトル帯域を通じて前記同期信号を送信するための手段をさらに備える、
請求項５６に記載の装置。
【請求項６１】
前記同期信号が送信されるサブフレームに関するダウンリンク制御情報（ＤＣＩ）を送信するための手段をさらに備え、前記ＤＣＩは、前記サブフレームにおいて前記同期信号を送信するために使用される少なくとも１つのリソースをシグナリングする、
請求項５６に記載の装置。
【請求項６２】
周期固定サブフレームロケーションの間に、機会主義的に前記免許不要の無線周波数スペクトル帯域を通じて前記同期信号を送信するための手段をさらに備える、
請求項５６に記載の装置。
【請求項６３】
前記時間ウィンドウは、前記機会主義的に送信される同期信号とは異なる、前記免許不要の無線周波数スペクトル帯域のサブキャリア周波数のセットに関連付けられる、請求項６２に記載の装置。
【請求項６４】
前記時間ウィンドウは、基地局の前記周期固定サブフレームロケーションと時間的に重複する、
請求項６２に記載の装置。
【請求項６５】
前記時間ウィンドウは、基地局の少なくとも１つのクリアチャネルアセスメント（ＣＣＡ）免除送信（ＣＥＴ）に取って代わる、
請求項５６に記載の装置。
【請求項６６】
前記いくつかのＣＣＡは、複数のＣＣＡを備える、
請求項５６に記載の装置。
【請求項６７】
前記時間ウィンドウの前記インジケーションは、システム情報ブロックまたはマスタ情報ブロックにおいて送信される、
請求項５６に記載の装置。
【請求項６８】
前記時間ウィンドウの前記インジケーションは、無線リソース制御（ＲＲＣ）メッセージにおいて送信される、
請求項５６に記載の装置。
【請求項６９】
前記時間ウィンドウの間に基地局に関するシステム情報を送信するための手段をさらに備え、前記システム情報がシステム情報ブロックまたはマスタ情報ブロックにおいて送信される、
請求項５６に記載の装置。
【請求項７０】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項５６に記載の装置。
【請求項７１】
ワイヤレス通信のための装置であって、
プロセッサと、
前記プロセッサに結合されたメモリと
を備え、前記プロセッサは、
同期信号の送信に関連付けられる時間ウィンドウのインジケーションを送信することと、
前記時間ウィンドウの間に免許不要の無線周波数スペクトル帯域に対していくつかのクリアチャネルアセスメント（ＣＣＡ）を実行することと、
前記時間ウィンドウの間の送信時間に前記免許不要の無線周波数スペクトル帯域を通じて前記同期信号を送信すること、ここにおいて、前記送信時間は、前記ＣＣＡのうちの少なくとも１つの結果に少なくとも部分的に基づく、と
を行うように構成される、装置。
【請求項７２】
前記プロセッサは、
前記時間ウィンドウの間にタイミング情報を送信するように構成され、前記タイミング情報は、基地局の現在のフレーム、前記基地局の現在のサブフレーム、または現在のシンボルからなるグループのうちの１つのインジケーションを備える、
請求項７１に記載の装置。
【請求項７３】
前記プロセッサは、
前記同期信号が送信されるサブフレームに関するダウンリンク制御情報（ＤＣＩ）を送信するように構成され、前記ＤＣＩが、前記サブフレームにおいて前記同期信号を送信するために使用される少なくとも１つのリソースをシグナリングする、
請求項７１に記載の装置。
【請求項７４】
前記いくつかのＣＣＡは、複数のＣＣＡを備える、
請求項７１に記載の装置。
【請求項７５】
前記時間ウィンドウの前記インジケーションは、システム情報ブロックまたはマスタ情報ブロックにおいて送信される、
請求項７１に記載の装置。
【請求項７６】
前記時間ウィンドウの前記インジケーションは、無線リソース制御（ＲＲＣ）メッセージにおいて送信される、
請求項７１に記載の装置。
【請求項７７】
前記プロセッサは、
前記時間ウィンドウの間に基地局に関するシステム情報を送信するように構成され、前記システム情報は、システム情報ブロックまたはマスタ情報ブロックにおいて送信される、
請求項７１に記載の装置。
【請求項７８】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項７１に記載の装置。
【請求項７９】
プロセッサによって実行可能な命令を記憶するための非一時的コンピュータ可読媒体であって、
同期信号の送信に関連付けられる時間ウィンドウのインジケーションを送信するための命令と、
前記時間ウィンドウの間に免許不要の無線周波数スペクトル帯域に対していくつかのクリアチャネルアセスメント（ＣＣＡ）を実行するための命令と、
前記時間ウィンドウの間の送信時間に前記免許不要の無線周波数スペクトル帯域を通じて前記同期信号を送信するための命令と、ここにおいて、前記送信時間が前記ＣＣＡのうちの少なくとも１つの結果に少なくとも部分的に基づく、
を備える、非一時的コンピュータ可読媒体。
【請求項８０】
前記時間ウィンドウの間にタイミング情報を送信するための命令をさらに備え、前記タイミング情報は、基地局の現在のフレーム、前記基地局の現在のサブフレーム、または現在のシンボルからなるグループのうちの１つのインジケーションを備える、
請求項７９に記載の非一時的コンピュータ可読媒体。
【請求項８１】
前記いくつかのＣＣＡは、複数のＣＣＡを備える、
請求項７９に記載の非一時的コンピュータ可読媒体。
【請求項８２】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項７９に記載の非一時的コンピュータ可読媒体。
【請求項８３】
ワイヤレス通信のための方法であって、
ユーザ機器（ＵＥ）において、基地局から同期信号の送信を受信するために、免許不要の無線周波数スペクトル帯域をモニタすることと、
前記基地局から前記同期信号を受信することと
を備える、方法。
【請求項８４】
前記同期信号を受信することは、タイミング情報とともに前記同期信号を受信することを備える、
請求項８３に記載の方法。
【請求項８５】
前記タイミング情報は、前記基地局の現在のフレームおよび前記基地局の現在のサブフレームのインジケーションを備える、
請求項８４に記載の方法。
【請求項８６】
前記タイミング情報は、前記基地局の現在のフレーム、前記基地局の現在のサブフレーム、および現在のシンボルのインジケーションを備える、
請求項８４に記載の方法。
【請求項８７】
前記タイミング情報に少なくとも部分的に基づいて、前記ＵＥを前記基地局と同期させることをさらに備える、
請求項８４に記載の方法。
【請求項８８】
前記同期信号とともに前記基地局に関するシステム情報を受信することをさらに備え、前記システム情報は、システム情報ブロックまたはマスタ情報ブロックにおいて受信される、
請求項８３に記載の方法。
【請求項８９】
前記同期信号に対して無線リソース管理測定を実行することをさらに備える、
請求項８３に記載の方法。
【請求項９０】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項８３に記載の方法。
【請求項９１】
ワイヤレス通信のための装置であって、
ユーザ機器（ＵＥ）において、基地局から同期信号の送信を受信するために、免許不要の無線周波数スペクトル帯域をモニタするための手段と、
前記基地局から前記同期信号を受信するための手段と
を備える、装置。
【請求項９２】
前記同期信号を前記受信するための手段は、タイミング情報とともに前記同期信号を受信するための手段を備える、
請求項９１に記載の装置。
【請求項９３】
前記タイミング情報は、前記基地局の現在のフレームおよび前記基地局の現在のサブフレームのインジケーションを備える、
請求項９２に記載の装置。
【請求項９４】
前記タイミング情報は、前記基地局の現在のフレーム、前記基地局の現在のサブフレーム、および現在のシンボルのインジケーションを備える、
請求項９２に記載の装置。
【請求項９５】
前記タイミング情報に少なくとも部分的に基づいて、前記ＵＥを前記基地局と同期させるための手段をさらに備える、
請求項９２に記載の装置。
【請求項９６】
前記同期信号とともに前記基地局に関するシステム情報を受信するための手段をさらに備え、前記システム情報がシステム情報ブロックまたはマスタ情報ブロックにおいて受信される、
請求項９１に記載の装置。
【請求項９７】
前記同期信号に対して無線リソース管理測定を実行するための手段をさらに備える、
請求項９１に記載の装置。
【請求項９８】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項９１に記載の装置。
【請求項９９】
ワイヤレス通信のための装置であって、
プロセッサと、
前記プロセッサに結合されたメモリと
を備え、前記プロセッサは、
ユーザ機器（ＵＥ）において、基地局から同期信号の送信を受信するために、免許不要の無線周波数スペクトル帯域をモニタすることと、
前記基地局から前記同期信号を受信することと
を行うように構成される、装置。
【請求項１００】
前記同期信号を受信するように構成される前記プロセッサは、
タイミング情報とともに前記同期信号を受信するように構成される前記プロセッサを備える、
請求項９９に記載の装置。
【請求項１０１】
前記タイミング情報は、前記基地局の現在のフレームおよび前記基地局の現在のサブフレームのインジケーションを備える、
請求項１００に記載の装置。
【請求項１０２】
前記タイミング情報は、前記基地局の現在のフレーム、前記基地局の現在のサブフレーム、および現在のシンボルのインジケーションを備える、
請求項１００に記載の装置。
【請求項１０３】
前記プロセッサは、
前記タイミング情報に少なくとも部分的に基づいて、前記ＵＥを前記基地局と同期させるように構成される、
請求項１００に記載の装置。
【請求項１０４】
前記プロセッサは、
前記同期信号に対して無線リソース管理測定を実行するように構成される、請求項９９に記載の装置。
【請求項１０５】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項９９に記載の装置。
【請求項１０６】
プロセッサによって実行可能な命令を記憶するための非一時的コンピュータ可読媒体であって、
ユーザ機器（ＵＥ）において、基地局から同期信号の送信を受信するために、免許不要の無線周波数スペクトル帯域をモニタするための命令と、
前記基地局から前記同期信号を受信するための命令と
を備える、非一時的コンピュータ可読媒体。
【請求項１０７】
前記同期信号を受信するための前記命令は、
タイミング情報とともに前記同期信号を受信するための命令を備える、
請求項１０６に記載の非一時的コンピュータ可読媒体。
【請求項１０８】
前記同期信号に対して無線リソース管理測定を実行するための命令をさらに備える、
請求項１０６に記載の非一時的コンピュータ可読媒体。
【請求項１０９】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１０６に記載の非一時的コンピュータ可読媒体。
【請求項１１０】
ワイヤレス通信のための方法であって、
基地局において、免許不要の無線周波数スペクトル帯域に対していくつかのクリアチャネルアセスメント（ＣＣＡ）を実行することと、
前記ＣＣＡのうちの少なくとも１つの結果に少なくとも部分的に基づく送信時間に、前記免許不要の無線周波数スペクトル帯域を通じて同期信号を送信することと
を備える、方法。
【請求項１１１】
前記同期信号を送信することは、タイミング情報とともに前記同期信号を送信することを備える、
請求項１１０に記載の方法。
【請求項１１２】
前記タイミング情報は、前記基地局の現在のフレームおよび前記基地局の現在のサブフレームのインジケーションを備える、
請求項１１１に記載の方法。
【請求項１１３】
前記タイミング情報は、前記基地局の現在のフレーム、前記基地局の現在のサブフレーム、および現在のシンボルのインジケーションを備える、
請求項１１１に記載の方法。
【請求項１１４】
前記免許不要の無線周波数スペクトル帯域に対して前記いくつかのＣＣＡを実行することは、
前記ＣＣＡのうちの最初の成功したものを識別することを備え、
前記送信時間は、前記ＣＣＡのうちの前記最初の成功したものに後続する、
請求項１１０に記載の方法。
【請求項１１５】
前記免許不要の無線周波数スペクトル帯域に対して前記いくつかのＣＣＡを実行することは、
前記ＣＣＡのうちのいずれも成功しなかったと決定することを備え、
前記送信時間は、前記いくつかのＣＣＡのうちの最後の不成功のものの実行に後続する、
請求項１１０に記載の方法。
【請求項１１６】
前記いくつかのＣＣＡは、複数のＣＣＡを備える、
請求項１１０に記載の方法。
【請求項１１７】
前記同期信号とともに前記基地局に関するシステム情報を送信することをさらに備え、前記システム情報がシステム情報ブロックまたはマスタ情報ブロックにおいて送信される、請求項１１０に記載の方法。
【請求項１１８】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１１０に記載の方法。
【請求項１１９】
ワイヤレス通信のための装置であって、
基地局において、免許不要の無線周波数スペクトル帯域に対していくつかのクリアチャネルアセスメント（ＣＣＡ）を実行するための手段と、
前記ＣＣＡのうちの少なくとも１つの結果に少なくとも部分的に基づく送信時間に、前記免許不要の無線周波数スペクトル帯域を通じて同期信号を送信するための手段と
を備える、装置。
【請求項１２０】
前記同期信号を前記送信するための手段は、
タイミング情報とともに前記同期信号を受信するための手段を備える、
請求項１１９に記載の装置。
【請求項１２１】
前記タイミング情報は、前記基地局の現在のフレームおよび前記基地局の現在のサブフレームのインジケーションを備える、
請求項１２０に記載の装置。
【請求項１２２】
前記タイミング情報は、前記基地局の現在のフレーム、前記基地局の現在のサブフレーム、および現在のシンボルのインジケーションを備える、
請求項１２０に記載の装置。
【請求項１２３】
前記免許不要の無線周波数スペクトル帯域に対して前記いくつかのＣＣＡを前記実行するための手段は、
前記ＣＣＡのうちの最初の成功したものを識別するための手段を備え、
前記送信時間は、前記ＣＣＡのうちの前記最初の成功したものに後続する、
請求項１１９に記載の装置。
【請求項１２４】
前記免許不要の無線周波数スペクトル帯域に対して前記いくつかのＣＣＡを前記実行するための手段は、
前記ＣＣＡのうちのいずれも成功しなかったと決定するための手段を備え、
前記送信時間は、前記いくつかのＣＣＡのうちの最後の不成功のものの実行に後続する、
請求項１１９に記載の装置。
【請求項１２５】
前記いくつかのＣＣＡは、複数のＣＣＡを備える、
請求項１１９に記載の装置。
【請求項１２６】
前記同期信号とともに前記基地局に関するシステム情報を送信するための手段をさらに備え、前記システム情報がシステム情報ブロックまたはマスタ情報ブロックにおいて送信される、
請求項１１９に記載の装置。
【請求項１２７】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１１９に記載の装置。
【請求項１２８】
ワイヤレス通信のための装置であって、
プロセッサと、
前記プロセッサに結合されたメモリと
を備え、前記プロセッサは、
基地局において、免許不要の無線周波数スペクトル帯域に対していくつかのクリアチャネルアセスメント（ＣＣＡ）を実行することと、
前記ＣＣＡのうちの少なくとも１つの結果に少なくとも部分的に基づく送信時間に、前記免許不要の無線周波数スペクトル帯域を通じて同期信号を送信することと
を行うように構成される、装置。
【請求項１２９】
前記同期信号を送信するように構成される前記プロセッサは、
タイミング情報とともに前記同期信号を送信するように構成される前記プロセッサを備える、
請求項１２８に記載の装置。
【請求項１３０】
前記タイミング情報は、前記基地局の現在のフレームおよび前記基地局の現在のサブフレームのインジケーションを備える、
請求項１２９に記載の装置。
【請求項１３１】
前記タイミング情報は、前記基地局の現在のフレーム、前記基地局の現在のサブフレーム、および現在のシンボルのインジケーションを備える、
請求項１２９に記載の装置。
【請求項１３２】
前記いくつかのＣＣＡは、複数のＣＣＡを備える、
請求項１２８に記載の装置。
【請求項１３３】
前記プロセッサは、
前記同期信号とともに前記基地局に関するシステム情報を送信するように構成され、前記システム情報がシステム情報ブロックまたはマスタ情報ブロックにおいて送信される、
請求項１２８に記載の装置。
【請求項１３４】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１２８に記載の装置。
【請求項１３５】
プロセッサによって実行可能な命令を記憶するための非一時的コンピュータ可読媒体であって、
基地局において、免許不要の無線周波数スペクトル帯域に対していくつかのクリアチャネルアセスメント（ＣＣＡ）を実行するための命令と、
前記ＣＣＡのうちの少なくとも１つの結果に少なくとも部分的に基づく送信時間に、前記免許不要の無線周波数スペクトル帯域を通じて同期信号を送信するための命令と
を備える、非一時的コンピュータ可読媒体。
【請求項１３６】
前記同期信号を送信するための前記命令は、
タイミング情報とともに前記同期信号を送信するための命令を備える、
請求項１３５に記載の非一時的コンピュータ可読媒体。
【請求項１３７】
前記いくつかのＣＣＡは、複数のＣＣＡを備える、
請求項１３５に記載の非一時的コンピュータ可読媒体。
【請求項１３８】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
請求項１３５に記載の非一時的コンピュータ可読媒体。
【発明の詳細な説明】
【相互参照】
【０００１】
[0001]本特許出願は、各々が本出願の譲受人に譲渡された、２０１５年８月６日に出願された「Techniques for Transmitting and Receiving Synchronization Signals Over an Unlicensed Radio Frequency Spectrum Band」と題するＤａｍｎｊａｎｏｖｉｃらによる米国特許出願第１４／８１９，６２０号、および２０１４年８月２２日に出願された「Techniques for Transmitting and Receiving Synchronization Signals Over an Unlicensed Radio Frequency Spectrum Band」と題するＤａｍｎｊａｎｏｖｉｃらによる米国仮特許出願第６２／０４０，７８７号の優先権を主張する。
【技術分野】
【０００２】
[0002]本開示は、たとえば、ワイヤレス通信システムに関し、より詳細には、免許不要の無線周波数スペクトル帯域を通じて同期信号を送信および受信するための技法に関する。
【背景技術】
【０００３】
[0003]ワイヤレス通信システムは、音声、ビデオ、パケットデータ、メッセージング、ブロードキャストなどのような様々なタイプの通信コンテンツを提供するために広く展開されている。これらのワイヤレス通信システムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が複数の、場合によってはユーザ機器（ＵＥ）と呼ばれる通信装置のための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、免許不要の無線周波数スペクトル帯域を通じた、またはセルラーネットワークの異なる無線周波数スペクトル帯域（たとえば、免許要の無線周波数スペクトル帯域および／もしくは免許不要の無線周波数スペクトル帯域）を通じた基地局とＵＥとの間の通信を可能にすることができる。免許要の無線周波数スペクトル帯域を使用するセルラーネットワークにおけるデータトラフィックの増加とともに、免許不要の無線周波数スペクトル帯域への少なくとも一部のデータトラフィックのオフロードは、セルラー事業者にデータ送信容量の増強のための機会を与え得る。免許不要の無線周波数スペクトル帯域はまた、免許要の無線周波数スペクトル帯域へのアクセスが不可能であるエリアにおいてサービスを提供することができる。
【０００６】
[0006]免許不要の無線周波数スペクトル帯域にアクセスし、免許不要の無線周波数スペクトル帯域を通じて通信する前に、基地局またはＵＥは、免許不要の無線周波数スペクトル帯域へのアクセスを争うために、リッスンビフォートーク（ＬＢＴ）プロシージャを実行し得る。ＬＢＴプロシージャは、免許不要の無線周波数スペクトル帯域のチャネルが利用可能であるかどうかを決定するために、クリアチャネルアセスメント（ＣＣＡ）プロシージャを実行することを含み得る。（たとえば、別の装置が免許不要の無線周波数スペクトル帯域のチャネルをすでに使用しているので）免許不要の無線周波数スペクトル帯域のチャネルが利用可能ではないと決定されたとき、そのチャネルについてＣＣＡプロシージャが後で再び実行され得る。
【０００７】
[0007]ＵＥが基地局と通信し得る前に、ＵＥは、基地局（またはセル）を発見または確保する必要があり得る。ＵＥが基地局またはセルを発見した後、ＵＥは、基地局と適切に通信し、基地局からの通信を復号するために、基地局またはセルと周期的に同期する必要があり得る。いくつかの例では、基地局は同期信号を送信することができ、ＵＥは、基地局（もしくはセル）を発見し、および／または基地局と（もしくはセルと）同期するために、同期信号を受信し復号することができる。
【発明の概要】
【０００８】
[0008]本開示は、たとえば、免許不要の無線周波数スペクトル帯域を通じて同期信号を送信および受信するための１つまたは複数の技法に関する。いくつかの環境では、基地局は、免許不要の無線周波数スペクトル帯域を通じて同期信号を送信することができる。しかしながら、たとえば、免許不要の無線周波数スペクトル帯域上の信号対干渉プラス雑音比（ＳＮＩＲ）が低いとき、または他の送信装置が、基地局が免許不要の無線周波数スペクトル帯域へのアクセスを正常に争うのを妨げるとき、基地局は、１つまたは複数の同期信号を送信することが不可能であり得る。基地局が１つまたは複数の同期信号を送信することが不可能であるとき、ユーザ機器（ＵＥ）は基地局を発見もしくは確保することが不可能であり得、および／または基地局の接続されたＵＥは、基地局と同期しなくなり、基地局と通信することが不可能であり得る。
【０００９】
[0009]説明される技法は、基地局が同期的方法、非同期的方法、および／または機会主義的方法で免許不要の無線周波数スペクトル帯域を通じて同期信号を送信するのを可能にし、そのことは、信頼できる方法で同期信号を送信する基地局の能力を改善することができる。
【００１０】
[0010]説明のための例の第１のセットでは、ワイヤレス通信のための方法が説明される。一例では、本方法は、ＵＥにおいて免許不要の無線周波数スペクトル帯域を通じて、同期信号の送信に関連付けられる時間ウィンドウのインジケーションを受信することと、基地局から同期信号を受信するために、時間ウィンドウの間に免許不要の無線周波数スペクトル帯域をモニタすることとを含み得る。
【００１１】
[0011]本方法のいくつかの例では、時間ウィンドウの間に免許不要の無線周波数スペクトル帯域をモニタすることは、時間ウィンドウの前にＵＥの受信機をスリープ状態からウェイクアップさせることを含み得る。
【００１２】
[0012]いくつかの例では、本方法は、時間ウィンドウの間に、基地局からタイミング情報を受信することを含み得、タイミング情報が、基地局の現在のフレーム、基地局の現在のサブフレーム、または現在のシンボルからなるグループのうちの１つのインジケーションを含む。いくつかの例では、本方法は、タイミング情報に少なくとも部分的に基づいて、ＵＥを基地局と同期させることを含み得る。
【００１３】
[0013]いくつかの例では、本方法は、基地局から同期信号を受信するために、基地局のＣＣＡ免除送信（ＣＥＴ）の間に免許不要の無線周波数スペクトル帯域をモニタすることを含み得る。いくつかの例では、本方法は、基地局からＣＣＡに従った同期信号の送信を受信するために、周期固定サブフレームロケーションの間に免許不要の無線周波数スペクトル帯域をモニタすることを含み得る。いくつかの例では、時間ウィンドウは、ＣＣＡに従った送信とは異なる、免許不要の無線周波数スペクトル帯域のサブキャリア周波数のセットに関連付けられ得る。いくつかの例では、時間ウィンドウは、基地局の周期固定サブフレームロケーションと時間的に重複し得る。
【００１４】
[0014]本方法のいくつかの例では、時間ウィンドウは、基地局の少なくとも１つのＣＥＴに取って代わり得る。本方法のいくつかの例では、時間ウィンドウのインジケーションは、システム情報ブロックまたはマスタ情報ブロックにおいて受信され得る。本方法のいくつかの例では、時間ウィンドウのインジケーションは、無線リソース制御（ＲＲＣ）メッセージにおいて受信され得る。
【００１５】
[0015]いくつかの例では、本方法は、時間ウィンドウの間に基地局に関するシステム情報を受信することを含み得る。システム情報は、システム情報ブロックまたはマスタ情報ブロックにおいて受信され得る。
【００１６】
[0016]いくつかの例では、本方法は、同期信号に対して無線リソース管理測定を実行することを含み得る。本方法のいくつかの例では、同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを含み得る。
【００１７】
[0017]説明のための例の第２のセットでは、ワイヤレス通信のための装置が説明される。一例では、装置は、ＵＥにおいて免許不要の無線周波数スペクトル帯域を通じて、同期信号の送信に関連付けられる時間ウィンドウのインジケーションを受信するための手段と、基地局から同期信号を受信するために、時間ウィンドウの間に免許不要の無線周波数スペクトル帯域をモニタするための手段とを含み得る。いくつかの例では、本装置は、説明のための例の第１のセットに関して上で説明されたワイヤレス通信のための方法の１つまたは複数の態様をインプリメントするための手段をさらに含み得る。
【００１８】
[0018]説明のための例の第３のセットでは、ワイヤレス通信のための別の装置が説明される。一例では、本装置は、プロセッサと、プロセッサに結合されたメモリとを含み得る。プロセッサは、ＵＥにおいて免許不要の無線周波数スペクトル帯域を通じて、同期信号の送信に関連付けられる時間ウィンドウのインジケーションを受信することと、基地局から同期信号を受信するために、時間ウィンドウの間に免許不要の無線周波数スペクトル帯域をモニタすることとを行うように構成され得る。いくつかの例では、プロセッサはまた、説明のための例の第１のセットに関して上で説明されたワイヤレス通信のための方法の１つまたは複数の態様をインプリメントするように構成され得る。
【００１９】
[0019]説明のための例の第４のセットでは、ワイヤレス通信のためのプロセッサによって実行可能な命令を記憶するための非一時的コンピュータ可読媒体が説明される。非一時的コンピュータ可読媒体は、ＵＥにおいて免許不要の無線周波数スペクトル帯域を通じて、同期信号の送信に関連付けられる時間ウィンドウのインジケーションを受信するための命令と、基地局から同期信号を受信するために、時間ウィンドウの間に免許不要の無線周波数スペクトル帯域をモニタするための命令とを含み得る。いくつかの例では、コンピュータ可読媒体はまた、説明のための例の第１のセットに関して上で説明されたワイヤレス通信のための方法の１つまたは複数の態様をインプリメントするための命令を含み得る。
【００２０】
[0020]説明のための例の第５のセットでは、ワイヤレス通信のための別の方法が、同期信号の送信に関連付けられる時間ウィンドウのインジケーションを送信することと、時間ウィンドウの間に免許不要の無線周波数スペクトル帯域に対していくつかのＣＣＡを実行することと、時間ウィンドウの間の送信時間に免許不要の無線周波数スペクトル帯域を通じて同期信号を送信することと、ここにおいて、送信時間がＣＣＡのうちの少なくとも１つの結果に少なくとも部分的に基づく、を含み得る。
【００２１】
[0021]本方法のいくつかの例では、時間ウィンドウの間に免許不要の無線周波数スペクトル帯域に対していくつかのＣＣＡを実行することは、時間ウィンドウの間のＣＣＡのうちの最初の成功したものを識別することを含み得る。これらの例では、送信時間は、時間ウィンドウの間のＣＣＡのうちの最初の成功したものに後続し得る。
【００２２】
[0022]本方法のいくつかの例では、時間ウィンドウの間に免許不要の無線周波数スペクトル帯域に対していくつかのＣＣＡを実行することは、時間ウィンドウの間に実行されたＣＣＡのうちのいずれも成功しなかったと決定することを含み得る。これらの例では、送信時間は、時間ウィンドウの終わりに発生し得る。
【００２３】
[0023]いくつかの例では、本方法は、時間ウィンドウの間にタイミング情報を送信することを含み得る。タイミング情報は、基地局の現在のフレーム、基地局の現在のサブフレーム、または現在のシンボルからなるグループのうちの１つのインジケーションを含み得る。
【００２４】
[0024]いくつかの例では、本方法は、ＣＥＴの間に免許不要の無線周波数スペクトル帯域を通じて同期信号を送信することを含み得る。いくつかの例では、本方法は、同期信号が送信されるサブフレームに関するダウンリンク制御情報（ＤＣＩ）を送信することを含み得る。ＤＣＩは、サブフレームにおいて同期信号を送信するために使用される少なくとも１つのリソースをシグナリングし得る。
【００２５】
[0025]いくつかの例では、本方法は、周期固定サブフレームロケーションの間に、機会主義的に免許不要の無線周波数スペクトル帯域を通じて同期信号を送信することを含み得る。いくつかの例では、時間ウィンドウは、ＣＣＡに従った送信とは異なる、免許不要の無線周波数スペクトル帯域のサブキャリア周波数のセットに関連付けられ得る。いくつかの例では、時間ウィンドウは、基地局の周期固定サブフレームロケーションと時間的に重複し得る。
【００２６】
[0026]本方法のいくつかの例では、時間ウィンドウは、基地局の少なくとも１つのＣＥＴに取って代わり得る。いくつかの例では、いくつかのＣＣＡは、複数のＣＣＡを含み得る。本方法のいくつかの例では、時間ウィンドウのインジケーションは、システム情報ブロックまたはマスタ情報ブロックにおいて送信され得る。本方法のいくつかの例では、時間ウィンドウのインジケーションは、ＲＲＣメッセージにおいて送信され得る。いくつかの例では、方法は、時間ウィンドウの間に基地局に関するシステム情報を送信することを含み得る。システム情報は、システム情報ブロックまたはマスタ情報ブロックにおいて送信され得る。
【００２７】
[0027]本方法のいくつかの例では、同期信号は、ＰＳＳ、ＳＳＳ、ＣＲＳ、およびＣＳＩ−ＲＳからなるグループのうちの１つを含み得る。
【００２８】
[0028]説明のための例の第６のセットでは、ワイヤレス通信のための別の装置が説明される。一例では、本装置は、同期信号の送信に関連付けられる時間ウィンドウのインジケーションを送信するための手段と、時間ウィンドウの間に免許不要の無線周波数スペクトル帯域に対していくつかのＣＣＡを実行するための手段と、時間ウィンドウの間の送信時間に免許不要の無線周波数スペクトル帯域を通じて同期信号を送信するための手段と、ここにおいて、送信時間がＣＣＡのうちの少なくとも１つの結果に少なくとも部分的に基づく、を含み得る。いくつかの例では、本装置は、説明のための例の第５のセットに関して上で説明されたワイヤレス通信のための方法の１つまたは複数の態様をインプリメントするための手段をさらに含み得る。
【００２９】
[0029]説明のための例の第７のセットでは、ワイヤレス通信のための別の装置が説明される。一例では、本装置は、プロセッサと、プロセッサに結合されたメモリとを含み得る。プロセッサは、同期信号の送信に関連付けられる時間ウィンドウのインジケーションを送信することと、時間ウィンドウの間に免許不要の無線周波数スペクトル帯域に対していくつかのＣＣＡを実行することと、時間ウィンドウの間の送信時間に免許不要の無線周波数スペクトル帯域を通じて同期信号を送信することと、ここにおいて、送信時間がＣＣＡのうちの少なくとも１つの結果に少なくとも部分的に基づく、を行うように構成され得る。いくつかの例では、プロセッサはまた、説明のための例の第５のセットに関して上で説明されたワイヤレス通信のための方法の１つまたは複数の態様をインプリメントするように構成され得る。
【００３０】
[0030]説明のための例の第８のセットでは、ワイヤレス通信のためのプロセッサによって実行可能な命令を記憶するための別の非一時的コンピュータ可読媒体が説明される。一例では、コンピュータ可読媒体は、同期信号の送信に関連付けられる時間ウィンドウのインジケーションを送信するための命令と、時間ウィンドウの間に免許不要の無線周波数スペクトル帯域に対していくつかのＣＣＡを実行するための命令と、時間ウィンドウの間の送信時間に免許不要の無線周波数スペクトル帯域を通じて同期信号を送信するための命令と、ここにおいて、送信時間がＣＣＡのうちの少なくとも１つの結果に少なくとも部分的に基づく、を含み得る。いくつかの例では、コンピュータ可読媒体はまた、説明のための例の第５のセットに関して上で説明されたワイヤレス通信のための方法の１つまたは複数の態様をインプリメントするための命令を含み得る。
【００３１】
[0031]説明のための例の第９のセットでは、ワイヤレス通信のための別の方法が説明される。一例では、本方法は、ＵＥにおいて、基地局から同期信号の送信を受信するために、免許不要の無線周波数スペクトル帯域をモニタすることと、基地局から同期信号を受信することとを含み得る。
【００３２】
[0032]本方法のいくつかの例では、同期信号を受信することは、タイミング情報とともに同期信号を受信することを含み得る。タイミング情報は、基地局の現在のフレームおよび基地局の現在のサブフレームのインジケーションを含み得る。本方法のいくつかの例では、タイミング情報は、基地局の現在のフレーム、基地局の現在のサブフレーム、および現在のシンボルのインジケーションを含み得る。
【００３３】
[0033]いくつかの例では、本方法は、タイミング情報に少なくとも部分的に基づいて、ＵＥを基地局と同期させることを含み得る。いくつかの例では、本方法は、同期信号とともに基地局に関するシステム情報を受信することを含み得る。システム情報は、システム情報ブロックまたはマスタ情報ブロックにおいて受信され得る。
【００３４】
[0034]いくつかの例では、本方法は、同期信号に対して無線リソース管理測定を実行することを含み得る。本方法のいくつかの例では、同期信号は、ＰＳＳ、ＳＳＳ、ＣＲＳ、およびＣＳＩ−ＲＳからなるグループのうちの１つを含み得る。
【００３５】
[0035]説明のための例の第１０のセットでは、ワイヤレス通信のための装置が説明される。一例では、本装置は、ＵＥにおいて、基地局から同期信号の送信を受信するために、免許不要の無線周波数スペクトル帯域をモニタするための手段と、基地局から同期信号を受信するための手段とを含み得る。いくつかの例では、本装置は、説明のための例の第９のセットに関して上で説明されたワイヤレス通信のための方法の１つまたは複数の態様をインプリメントするための手段をさらに含み得る。
【００３６】
[0036]説明のための例の第１１のセットでは、ワイヤレス通信のための装置が説明される。一例では、本装置は、プロセッサと、プロセッサに結合されたメモリとを含み得る。プロセッサは、ＵＥにおいて、基地局から同期信号の送信を受信するために、免許不要の無線周波数スペクトル帯域をモニタすることと、基地局から同期信号を受信することとを行うように構成され得る。いくつかの例では、プロセッサはまた、説明のための例の第９のセットに関して上で説明されたワイヤレス通信のための方法の１つまたは複数の態様をインプリメントするように構成され得る。
【００３７】
[0037]説明のための例の第１２のセットでは、ワイヤレス通信のためのプロセッサによって実行可能な命令を記憶するための非一時的コンピュータ可読媒体が説明される。コンピュータ可読媒体は、ＵＥにおいて、免許不要の無線周波数スペクトル帯域をモニタするための命令と、基地局から同期信号の送信を受信するための命令と、基地局からタイミング情報とともに同期信号を受信するための命令とを含み得る。いくつかの例では、コンピュータ可読媒体はまた、説明のための例の第９のセットに関して上で説明されたワイヤレス通信のための方法の１つまたは複数の態様をインプリメントするための命令を含み得る。
【００３８】
[0038]説明のための例の第１３のセットでは、ワイヤレス通信のための別の方法が説明される。一例では、本方法は、基地局において、免許不要の無線周波数スペクトル帯域に対していくつかのＣＣＡを実行することと、ＣＣＡのうちの少なくとも１つの結果に少なくとも部分的に基づく送信時間に、免許不要の無線周波数スペクトル帯域を通じて同期信号を送信することとを含み得る。
【００３９】
[0039]本方法のいくつかの例では、同期信号を送信することは、タイミング情報とともに同期信号を送信することを含み得る。タイミング情報は、基地局の現在のフレームおよび基地局の現在のサブフレームのインジケーションを含み得る。本方法のいくつかの例では、タイミング情報は、基地局の現在のフレーム、基地局の現在のサブフレーム、および現在のシンボルのインジケーションを含み得る。
【００４０】
[0040]本方法のいくつかの例では、免許不要の無線周波数スペクトル帯域に対していくつかのＣＣＡを実行することは、ＣＣＡのうちの最初の成功したものを識別することを含み得る。これらの例では、送信時間は、ＣＣＡのうちの最初の成功したものに後続し得る。
【００４１】
[0041]本方法のいくつかの例では、免許不要の無線周波数スペクトル帯域に対していくつかのＣＣＡを実行することは、ＣＣＡのうちのいずれも成功しなかったと決定することを含み得る。これらの例では、送信時間は、いくつかのＣＣＡのうちの最後の不成功のものの実行に後続し得る。
【００４２】
[0042]本方法のいくつかの例では、いくつかのＣＣＡは、複数のＣＣＡを含み得る。いくつかの例では、本方法は、同期信号とともに基地局に関するシステム情報を送信することを含み得る。システム情報は、システム情報ブロックまたはマスタ情報ブロックにおいて送信され得る。本方法のいくつかの例では、同期信号は、ＰＳＳ、ＳＳＳ、ＣＲＳ、およびＣＳＩ−ＲＳからなるグループのうちの１つを備える。
【００４３】
[0043]説明のための例の第１４のセットでは、ワイヤレス通信のための装置が説明される。一例では、本装置は、基地局において、免許不要の無線周波数スペクトル帯域に対していくつかのＣＣＡを実行するための手段と、ＣＣＡのうちの少なくとも１つの結果に少なくとも部分的に基づく送信時間に、免許不要の無線周波数スペクトル帯域を通じて同期信号を送信するための手段とを含み得る。いくつかの例では、本装置は、説明のための例の第１３のセットに関して上で説明されたワイヤレス通信のための方法の１つまたは複数の態様をインプリメントするための手段をさらに含み得る。
【００４４】
[0044]説明のための例の第１５のセットでは、ワイヤレス通信のための装置が説明される。一例では、本装置は、プロセッサと、プロセッサに結合されたメモリとを含み得る。プロセッサは、基地局において、免許不要の無線周波数スペクトル帯域に対していくつかのＣＣＡを実行することと、ＣＣＡのうちの少なくとも１つの結果に少なくとも部分的に基づく送信時間に、免許不要の無線周波数スペクトル帯域を通じて同期信号を送信することとを行うように構成され得る。いくつかの例では、プロセッサはまた、説明のための例の第１３のセットに関して上で説明されたワイヤレス通信のための方法の１つまたは複数の態様をインプリメントするように構成され得る。
【００４５】
[0045]説明のための例の第１６のセットでは、ワイヤレス通信のためのプロセッサによって実行可能な命令を記憶するための非一時的コンピュータ可読媒体が説明される。コンピュータ可読媒体は、基地局において、免許不要の無線周波数スペクトル帯域に対していくつかのＣＣＡを実行するための命令と、ＣＣＡのうちの少なくとも１つの結果に少なくとも部分的に基づく送信時間に、免許不要の無線周波数スペクトル帯域を通じて同期信号を送信するための命令とを含み得る。いくつかの例では、コンピュータ可読媒体はまた、説明のための例の第１３のセットに関して上で説明されたワイヤレス通信のための方法の１つまたは複数の態様をインプリメントするための命令を含み得る。
【００４６】
[0046]上では、以下の発明を実施するための形態がより良く理解され得るように、本開示による例の特徴および技術的利点をやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの構成と動作の方法の両方は、関連する利点と一緒に、添付の図にとともに考慮されると、以下の説明からより良く理解されよう。図の各々は、例示および説明のために提供されるものであり、特許請求の範囲の限定の定義として提供されるものではない。
【図面の簡単な説明】
【００４７】
[0047]本開示の性質および利点のさらなる理解は、以下の図面を参照して実現され得る。添付の図では、同様の構成要素または特徴は、同じ参照ラベルを有し得る。さらに、同じタイプの様々な構成要素は、参照ラベルの後に、ダッシュと、同様の構成要素の間で区別する第２のラベルとを続けることによって区別され得る。本明細書で第１の参照ラベルが使用される場合、説明は、第２の参照ラベルにかかわらず、同じ第１の参照ラベルを有する同様の構成要素のいずれにも適用可能である。
【図１】本開示の様々な態様による、ワイヤレス通信システムの例を示す図。
【図２】本開示の様々な態様による、免許不要の無線周波数スペクトル帯域を使用する様々な状況の下でロングタームエボリューション（ＬＴＥ（登録商標））／ＬＴＥアドバンスト（ＬＴＥ−Ａ）が展開され得るワイヤレス通信システムを示す図。
【図３】本開示の様々な態様による、免許不要の無線周波数スペクトル帯域を通じたワイヤレス通信の例を示す図。
【図４】本開示の様々な態様による、免許不要の無線周波数スペクトル帯域へのアクセスを争うときに送信装置によって実行されるクリアチャネルアセスメント（ＣＣＡ）プロシージャの例を示す図。
【図５】本開示の様々な態様による、免許不要の無線周波数スペクトル帯域へのアクセスを争うときに送信装置によって実行される拡張ＣＣＡ（ＥＣＣＡ）プロシージャの例を示す図。
【図６】本開示の様々な態様による、免許不要の無線周波数スペクトル帯域を通じた基地局によって行われる送信の例を示す図。
【図７】本開示の様々な態様による、免許不要の無線周波数スペクトル帯域を通じた基地局によって行われる送信の例を示す図。
【図８】本開示の様々な態様による、免許不要の無線周波数スペクトル帯域を通じた基地局によって行われる送信の例を示す図。
【図９】本開示の様々な態様による、ワイヤレス通信において使用するための装置のブロック図。
【図１０】本開示の様々な態様による、ワイヤレス通信において使用するための装置のブロック図。
【図１１】本開示の様々な態様による、ワイヤレス通信において使用するための装置のブロック図。
【図１２】本開示の様々な態様による、ワイヤレス通信において使用するための装置のブロック図。
【図１３】本開示の様々な態様による、ワイヤレス通信において使用するための装置のブロック図。
【図１４】本開示の様々な態様による、ワイヤレス通信において使用するための装置のブロック図。
【図１５】本開示の様々な態様による、ワイヤレス通信において使用するためのユーザ機器（ＵＥ）のブロック図。
【図１６】本開示の様々な態様による、ワイヤレス通信において使用するための基地局（たとえば、ｅＮｏｄｅＢ（ｅＮＢ）の一部またはすべてを形成する基地局）のブロック図。
【図１７】本開示の様々な態様による、ワイヤレス通信のための方法の例を示すフローチャート。
【図１８】本開示の様々な態様による、ワイヤレス通信のための方法の例を示すフローチャート。
【図１９】本開示の様々な態様による、ワイヤレス通信のための方法の例を示すフローチャート。
【図２０】本開示の様々な態様による、ワイヤレス通信のための方法の例を示すフローチャート。
【図２１】本開示の様々な態様による、ワイヤレス通信のための方法の例を示すフローチャート。
【図２２】本開示の様々な態様による、ワイヤレス通信のための方法の例を示すフローチャート。
【発明を実施するための形態】
【００４８】
[0070]ワイヤレス通信システムを通じた通信の少なくとも一部分に免許不要の無線周波数スペクトル帯域が使用される技法が説明される。いくつかの例では、免許不要の無線周波数スペクトル帯域は、セルラーネットワークの基地局およびユーザ機器（ＵＥ）によってロングタームエボリューション（ＬＴＥ）通信および／またはＬＴＥアドバンスト（ＬＴＥ−Ａ）通信に、ならびにＷｉ−Ｆｉ（登録商標）ネットワークのＷｉ−ＦｉアクセスポイントおよびＷｉ−Ｆｉ局によってＷｉ−Ｆｉ通信に使用され得る。免許不要の無線周波数スペクトル帯域は、セルラーネットワークによって免許要の無線周波数スペクトル帯域と組み合わせて、または免許要の無線周波数スペクトル帯域とは無関係に使用される場合がある。いくつかの例では、免許不要の無線周波数スペクトル帯域は、Ｗｉ−Ｆｉ用途のような免許不要の用途に少なくとも部分的に利用可能であるので装置がアクセスを争う必要があり得る無線周波数スペクトル帯域であり得る。
【００４９】
[0071]免許不要の無線周波数スペクトル帯域にアクセスし、免許不要の無線周波数スペクトル帯域を通じて通信する前に、基地局またはＵＥは、免許不要の無線周波数スペクトル帯域へのアクセスを争うために、リッスンビフォートーク（ＬＢＴ）プロシージャを実行し得る。ＬＢＴプロシージャは、免許不要の無線周波数スペクトル帯域のチャネルが利用可能であるかどうかを決定するために、クリアチャネルアセスメント（ＣＣＡ）プロシージャを実行することを含み得る。（たとえば、別の装置が免許不要の無線周波数スペクトル帯域のチャネルをすでに使用しているので）免許不要の無線周波数スペクトル帯域のチャネルが利用可能ではないと決定されたとき、そのチャネルについてＣＣＡプロシージャが後で再び実行され得る。
【００５０】
[0072]いくつかの環境では、免許不要の無線周波数スペクトル帯域のＳＮＩＲが低いことがあり、または他の送信装置が、基地局が免許不要の無線周波数スペクトル帯域へのアクセスを正常に争うのを妨げることがある。これらの環境では、基地局は、１つまたは複数の同期信号を送信することが不可能であり得る。基地局が１つまたは複数の同期信号を送信することが不可能であるとき、ＵＥは基地局を発見もしくは確保することが不可能であり得、および／または基地局の接続されたＵＥは、基地局と同期しなくなり、基地局と通信することが不可能であり得る。
【００５１】
[0073]説明される技法は、基地局が同期的同法、非同期的方法、および／または機会主義的方法で免許不要の無線周波数スペクトル帯域を通じて同期信号を送信するのを可能にし、そのことは、信頼できる方法で同期信号を送信する基地局の能力を改善することができる。いくつかの例では、基地局は、時間ウィンドウのインジケーションを送信することができ、時間ウィンドウの間に同期信号を非同期的に送信することができる。
【００５２】
[0074]以下の説明は例を提供するものであり、特許請求の範囲に記載される範囲、適用可能性、または例を限定するものではない。本開示の範囲から逸脱することなく、説明される要素の機能および構成に変更が行われ得る。様々な例は、適宜、様々なプロシージャまたは構成要素を省略、置換、または追加し得る。たとえば、説明される方法は、説明される順序とは異なる順序で実行され得、様々なステップが追加され、省略され、または組み合わせられ得る。また、いくつかの例に関して説明される特徴は、他の例では組み合わせられ得る。
【００５３】
[0075]図１は、本開示の様々な態様による、ワイヤレス通信システム１００の例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通じてコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ１など）を通じて互いに直接または間接的に（たとえば、コアネットワーク１３０を通じて）通信し得る。
【００５４】
[0076]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示されず）に分割され得る。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００５５】
[0077]いくつかの例では、ワイヤレス通信システム１００は、ＬＴＥ／ＬＴＥ−Ａ通信システム（またはネットワーク）を含み得、そのＬＴＥ／ＬＴＥ−Ａ通信システムは、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、装置がアクセスを争わない無線周波数スペクトル帯域）および／または免許不要の無線周波数スペクトル帯域（たとえば、Ｗｉ−Ｆｉ用途のような免許不要の用途に利用可能であるので、装置がアクセスを争う必要があり得る無線周波数スペクトル帯域）における１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、ｅｖｏｌｖｅｄ  ＮｏｄｅＢまたはｅＮＢという用語は、たとえば、基地局１０５の複数またはグループを表すために使用され得る。
【００５６】
[0078]ワイヤレス通信システム１００は、異なるタイプのｅＮＢが様々な地理的領域にカバレージを与える、異種ＬＴＥ／ＬＴＥ−Ａネットワークであるか、または異種ＬＴＥ／ＬＴＥ−Ａネットワークを含み得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連付けられるキャリアもしくはコンポーネントキャリア、またはキャリアもしくは基地局のカバレージエリア（たとえば、セクタなど）を表すために使用され得る用語である。
【００５７】
[0079]マクロセルは、概して、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、免許要、免許不要などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５８】
[0080]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００５９】
[0081]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤは、論理チャネルを通じて通信するために、パケットのセグメンテーションとリアセンブリとを実行し得る。媒体アクセス制御（ＭＡＣ）レイヤは、優先度処理と、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用することができる。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００６０】
[0082]ＵＥ１１５は、ワイヤレス通信システム１００全体にわたって分散され得、各ＵＥ１１５は固定式または移動式であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００６１】
[0083]ワイヤレス通信システム１００に示される通信リンク１２５は、基地局１０５からＵＥ１１５へのダウンリンク（ＤＬ）送信、および／またはＵＥ１１５から基地局１０５へのアップリンク（ＵＬ）送信を含み得る。ダウンリンク送信は順方向リンク送信と呼ばれることもあり、一方、アップリンク送信は逆方向リンク送信と呼ばれることもある。いくつかの例では、ＤＬ送信は、たとえば、基準信号および／または同期信号を含む、発見信号の送信を含み得る。
【００６２】
[0084]いくつかの例では、通信リンク１２５の各々は１つまたは複数のキャリアを含み得、ここで、各キャリアは、上で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）、または時間分割複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００６３】
[0085]各キャリアは、免許要の無線周波数スペクトル帯域または免許不要の無線周波数スペクトル帯域を通じて与えられてよく、特定の通信モードで使用されるキャリアのセットは、すべてが（たとえば、ＵＥ１１５において）免許要の無線周波数スペクトル帯域を通じて受信されるか、すべてが（たとえば、ＵＥ１１５において）免許不要の無線周波数スペクトル帯域を通じて受信されるか、または（たとえば、ＵＥ１１５において）免許要の無線周波数スペクトル帯域と免許不要の無線周波数スペクトル帯域との組合せを通じて受信され得る。
【００６４】
[0086]ワイヤレス通信システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００６５】
[0087]ワイヤレス通信システム１００は、複数のセルまたはキャリア上での動作、すなわち、キャリアアグリゲーション（ＣＡ：carrier aggregation）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００６６】
[0088]ＵＥ１１５が基地局１０５と通信し得る前に、ＵＥ１１５は、ワイヤレス通信システム１００の基地局１０５またはセルを発見または確保する必要があり得る。ＵＥ１１５が基地局１０５またはセルを発見した後、ＵＥ１１５は、基地局１０５と適切に通信し、基地局１０５からの通信を復号するために、基地局１０５またはセルと周期的に同期する必要があり得る。いくつかの例では、基地局１０５は、ＵＥ１１５が基地局１０５もしくはセルを発見し、および／または基地局１０５もしくはセルと同期するために受信し復号し得る同期信号を送信することができる。いくつかの例では、同期信号は、プライマリ同期信号（ＰＳＳ）、セカンダリ同期信号（ＳＳＳ）、セル固有基準信号（拡張ＣＲＳ（ｅＣＲＳ）のようなＣＲＳ）、および／またはチャネル状態情報基準信号（ＣＳＩ−ＲＳ）を含み得る。
【００６７】
[0089]ワイヤレス通信システム１００のいくつかの例では、ＬＴＥ／ＬＴＥ−Ａは、免許不要の無線周波数スペクトル帯域を使用する様々な状況の下で展開され得る。展開の状況は、免許要の無線周波数スペクトル帯域におけるＬＴＥ／ＬＴＥ−Ａダウンリンク通信が免許不要の無線周波数スペクトル帯域にオフロードされ得る補助ダウンリンクモード、ＬＴＥ／ＬＴＥ−Ａダウンリンク通信とＬＴＥ／ＬＴＥ−Ａアップリンク通信の両方が免許要の無線周波数スペクトル帯域から免許不要の無線周波数スペクトル帯域にオフロードされ得るキャリアアグリゲーションモード、ならびに／または基地局１０５とＵＥ１１５との間のＬＴＥ／ＬＴＥ−Ａダウンリンク通信およびＬＴＥ／ＬＴＥ−Ａアップリンク通信が免許不要の無線周波数スペクトル帯域において行われ得るスタンドアロンモードを含み得る。基地局１０５ならびにＵＥ１１５は、いくつかの例では、これらまたは同様の動作モードのうちの１つまたは複数をサポートし得る。いくつかの例では、ＯＦＤＭＡ波形は、免許要の無線周波数スペクトル帯域および／または免許不要の無線周波数スペクトル帯域におけるＬＴＥ／ＬＴＥ−Ａダウンリンク通信のために通信リンク１２５において使用されてよく、一方、ＯＦＤＭＡ、ＳＣ−ＦＤＭＡ、および／またはリソースブロックインターリーブＦＤＭＡ波形は、免許要の無線周波数スペクトル帯域および／または免許不要の無線周波数スペクトル帯域におけるＬＴＥ／ＬＴＥ−Ａアップリンク通信のために通信リンク１２５において使用されてよい。
【００６８】
[0090]図２は、本開示の様々な態様による、免許不要の無線周波数スペクトル帯域を使用する様々な状況の下でＬＴＥ／ＬＴＥ−Ａが展開され得るワイヤレス通信システム２００を示す。より具体的には、図２は、免許不要の無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照して説明されたワイヤレス通信システム１００の部分の例であり得る。その上、第１の基地局２０５および第２の基地局２０５−ａは、図１を参照して説明された基地局１０５のうちの１つまたは複数の態様の例であってよく、一方、第１のＵＥ２１５、第２のＵＥ２１５−ａ、第３のＵＥ２１５−ｂ、および第４のＵＥ２１５−ｃは、図１を参照して説明されたＵＥ１１５のうちの１つまたは複数の態様の例であってよい。
【００６９】
[0091]ワイヤレス通信システム２００における補助ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、免許不要の無線周波数スペクトル帯域における周波数Ｆ１に関連付けられ得る。第１の基地局２０５は、第１の双方向リンク２２５を使用して第１のＵＥ２１５にＯＦＤＭＡ波形を送信することができ、第１の双方向リンク２２５を使用して第１のＵＥ２１５からＳＣ−ＦＤＭＡ波形を受信することができる。第１の双方向リンク２２５は、免許要の無線周波数スペクトル帯域における周波数Ｆ４に関連付けられ得る。免許不要の無線周波数スペクトル帯域におけるダウンリンクチャネル２２０および免許要の無線周波数スペクトル帯域における第１の双方向リンク２２５は、同時に動作し得る。ダウンリンクチャネル２２０は、第１の基地局２０５のためにダウンリンク容量オフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。この状況は、免許要の無線周波数スペクトル帯域を使用し、トラフィックおよび／またはシグナリングの混雑の一部を緩和する必要がある、任意のサービスプロバイダ（たとえば、モバイルネットワーク事業者（ＭＮＯ））に対して生じ得る。
【００７０】
[0092]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信することができ、第２の双方向リンク２３０を使用して第２のＵＥ２１５−ａからＯＦＤＭＡ波形、ＳＣ−ＦＤＭＡ波形、および／またはリソースブロックインターリーブＦＤＭＡ波形を受信することができる。第２の双方向リンク２３０は、免許不要の無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信することができ、第３の双方向リンク２３５を使用して第２のＵＥ２１５−ａからＳＣ−ＦＤＭＡ波形を受信することができる。第３の双方向リンク２３５は、免許要の無線周波数スペクトル帯域における周波数Ｆ２に関連付けられ得る。第２の双方向リンク２３０は、第１の基地局２０５のためにダウンリンクおよびアップリンクの容量オフロードを提供し得る。上で説明された補助ダウンリンクモードのように、この状況は、免許要の無線周波数スペクトル帯域を使用し、トラフィックおよび／またはシグナリングの混雑の一部を緩和する必要がある、任意のサービスプロバイダ（たとえば、ＭＮＯ）に対して生じ得る。
【００７１】
[0093]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信することができ、第４の双方向リンク２４０を使用して第３のＵＥ２１５−ｂからＯＦＤＭＡ波形、ＳＣ−ＦＤＭＡ波形、および／またはリソースブロックインターリーブ波形を受信することができる。第４の双方向リンク２４０は、免許不要の無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信することができ、第５の双方向リンク２４５を使用して第３のＵＥ２１５−ｂからＳＣ−ＦＤＭＡ波形を受信することができる。第５の双方向リンク２４５は、免許要の無線周波数スペクトル帯域における周波数Ｆ２に関連付けられ得る。第４の双方向リンク２４０は、第１の基地局２０５のためにダウンリンクおよびアップリンクの容量オフロードを提供し得る。この例および上で与えられた例は説明の目的で提示され、容量オフロードのために、免許要の無線周波数スペクトル帯域におけるＬＴＥ／ＬＴＥ−Ａを組み合わせ、免許不要の無線周波数スペクトル帯域を使用する他の同様の動作モードまたは展開状況があり得る。
【００７２】
[0094]上で説明されたように、免許不要の無線周波数スペクトル帯域においてＬＴＥ／ＬＴＥ−Ａを使用することによって提供される容量オフロードから利益を得ることがある１つのタイプのサービスプロバイダは、ＬＴＥ／ＬＴＥ−Ａ免許要の無線周波数スペクトル帯域へのアクセス権を有する従来のＭＮＯである。これらのサービスプロバイダの場合、運用上の例としては、免許要の無線周波数スペクトル帯域上のＬＴＥ／ＬＴＥ−Ａプライマリコンポーネントキャリア（ＰＣＣ）と免許不要の無線周波数スペクトル帯域上の少なくとも１つのセカンダリコンポーネントキャリア（ＳＣＣ）とを使用するブートストラップモード（たとえば、補助ダウンリンク、キャリアアグリゲーション）があり得る。
【００７３】
[0095]キャリアアグリゲーションモードでは、データおよび制御は、たとえば、（たとえば、第１の双方向リンク２２５と、第３の双方向リンク２３５と、第５の双方向リンク２４５とを介して）免許要の無線周波数スペクトル帯域において通信され得、データは、たとえば、（たとえば、第２の双方向リンク２３０と第４の双方向リンク２４０とを介して）免許不要の無線周波数スペクトル帯域において通信され得る。免許不要の無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００７４】
[0096]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信することができ、双方向リンク２５０を使用して第４のＵＥ２１５−ｃからＯＦＤＭＡ波形、ＳＣ−ＦＤＭＡ波形、および／またはリソースブロックインターリーブＦＤＭＡ波形を受信することができる。双方向リンク２５０は、免許不要の無線周波数スペクトル帯域における周波数Ｆ３に関連付けられ得る。スタンドアロンモードは、スタジアム内アクセス（たとえば、ユニキャスト、マルチキャスト）のような、非従来型のワイヤレスアクセスの状況において使用され得る。この動作モードのためのサービスプロバイダのタイプの例は、免許要の無線周波数スペクトル帯域へのアクセスを有しないスタジアム所有者、ケーブル会社、イベント主催者、ホテル、企業、または大企業であり得る。
【００７５】
[0097]いくつかの例では、図１および／もしくは図２を参照して説明された基地局１０５、２０５、および／もしくは２０５−ａのうちの１つ、ならびに／または図１および／もしくは図２を参照して説明されたＵＥ１１５、２１５、２１５−ａ、２１５−ｂ、および／もしくは２１５−ｃのうちの１つのような送信装置は、免許不要の無線周波数スペクトル帯域のチャネルに（たとえば、免許不要の無線周波数スペクトル帯域の物理チャネルに）アクセスするためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州電気通信標準化機構（ＥＴＳＩ）（ＥＮ３０１  ８９３）において指定されているＬＢＴプロトコルに基づくＬＢＴプロトコルのような、コンテンションベースのプロトコルの適用を定義し得る。ＬＢＴプロトコルの適用を定義するゲーティング間隔を使用するとき、ゲーティング間隔は、送信装置がクリアチャネルアセスメント（ＣＣＡ）プロシージャのようなコンテンションプロシージャ（たとえば、ＬＢＴプロシージャ）を実行する必要があるときを示し得る。ＣＣＡプロシージャの結果は、免許不要の無線周波数スペクトル帯域のチャネルが（ＬＢＴ無線フレームとも呼ばれる）ゲーティング間隔のために利用可能であるか使用中であるかを送信装置に示し得る。対応するＬＢＴ無線フレームのためにチャネルが利用可能である（たとえば、使用のために「空いている」）ことをＣＣＡプロシージャが示すとき、送信装置は、ＬＢＴ無線フレームの一部またはすべての間に免許不要の無線周波数スペクトル帯域のチャネルを予約および／または使用し得る。チャネルが利用可能ではないこと（たとえば、チャネルが別の送信装置によって使用中であるか、または予約されていること）をＣＣＡプロシージャが示すとき、送信装置は、ＬＢＴ無線フレームの間にチャネルを使用するのを妨げられ得る。
【００７６】
[0098]図３は、本開示の様々な態様による、免許不要の無線周波数スペクトル帯域を通じたワイヤレス通信３１０の例３００を示す。いくつかの例では、ＬＢＴ無線フレーム３１５は、１０ミリ秒の持続時間を有し得、いくつかのダウンリンク（Ｄ）サブフレーム３２０と、いくつかのアップリンク（Ｕ）サブフレーム３２５と、２つのタイプの特殊サブフレーム、Ｓサブフレーム３３０およびＳ’サブフレーム３３５とを含み得る。Ｓサブフレーム３３０は、ダウンリンク（Ｄ）サブフレーム３２０とアップリンク（Ｕ）サブフレーム３２５との間の遷移を提供することができ、一方、Ｓ’サブフレーム３３５は、アップリンク（Ｕ）サブフレーム３２５とダウンリンク（Ｄ）サブフレーム３２０との間の遷移を提供することができる。
【００７７】
[0099]Ｓ’サブフレーム３３５の間に、図１および／または図２を参照して説明された基地局１０５、２０５、および／または２０５−ａのうちの１つまたは複数のような、１つまたは複数の基地局によって、ワイヤレス通信３１０が生じる免許不要の無線周波数スペクトル帯域のチャネルをある時間期間の間予約するために、ダウンリンククリアチャネルアセスメント（ＤＣＣＡ）プロシージャ３４５が実行され得る。基地局による成功したＤＣＣＡプロシージャ３４５に続いて、基地局は、基地局がチャネルを予約したというインジケーションを他の基地局および／または装置（たとえば、ＵＥ、Ｗｉ−Ｆｉアクセスポイントなど）に提供するために、チャネル使用ビーコン信号（ＣＵＢＳ）（たとえば、ダウンリンクＣＵＢＳ（Ｄ−ＣＵＢＳ３５０））を送信し得る。いくつかの例では、Ｄ−ＣＵＢＳ３５０は、複数のインターリーブされたリソースブロックを使用して送信され得る。この方式でＤ−ＣＵＢＳ３５０を送信することで、Ｄ−ＣＵＢＳ３５０は、免許不要の無線周波数スペクトル帯域の利用可能な周波数帯域幅の少なくともある割合を占有し、１つまたは複数の規制上の要件（たとえば、免許不要の無線周波数スペクトル帯域を通じた送信が利用可能な周波数帯域幅の少なくとも８０％を占有するという要件）を満たすことが可能になり得る。Ｄ−ＣＵＢＳ３５０は、いくつかの例では、ＬＴＥ／ＬＴＥ−Ａ  ＣＲＳおよび／またはチャネル状態情報基準信号（ＣＳＩ−ＲＳ）の形態と同様の形態をとり得る。ＤＣＣＡプロシージャ３４５が失敗したとき、Ｄ−ＣＵＢＳ３５０は送信されなくてよい。
【００７８】
[0100]Ｓ’サブフレーム３３５は、複数のＯＦＤＭシンボル期間（たとえば、１４個のＯＦＤＭシンボル期間）を含み得る。Ｓ’サブフレーム３３５の第１の部分は、いくつかのＵＥによって短縮アップリンク（Ｕ）期間として使用され得る。Ｓ’サブフレーム３３５の第２の部分は、ＤＣＣＡプロシージャ３４５のために使用され得る。Ｓ’サブフレーム３３５の第３の部分は、免許不要の無線周波数スペクトル帯域のチャネルへのアクセスを正常に争う１つまたは複数の基地局によって、Ｄ−ＣＵＢＳ３５０を送信するために使用され得る。
【００７９】
[0101]Ｓサブフレーム３３０の間に、図１および／または図２を参照して上で説明されたＵＥ１１５、２１５、２１５−ａ、２１５−ｂ、および／または２１５−ｃのうちの１つまたは複数のような、１つまたは複数のＵＥによって、ワイヤレス通信３１０が生じるチャネルをある時間期間の間予約するために、アップリンクＣＣＡ（ＵＣＣＡ）プロシージャ３６５が実行され得る。ＵＥによる成功したＵＣＣＡプロシージャ３６５に続いて、ＵＥは、ＵＥがチャネルを予約したというインジケーションを他のＵＥおよび／または装置（たとえば、基地局、Ｗｉ−Ｆｉアクセスポイントなど）に提供するために、アップリンクＣＵＢＳ（Ｕ−ＣＵＢＳ３７０）を送信し得る。いくつかの例では、Ｕ−ＣＵＢＳ３７０は、複数のインターリーブされたリソースブロックを使用して送信され得る。この方式でＵ−ＣＵＢＳ３７０を送信することで、ＣＵＢＳ３７０は、免許不要の無線周波数スペクトル帯域の利用可能な周波数帯域幅の少なくともある割合を占有し、１つまたは複数の規制上の要件（たとえば、免許不要の無線周波数スペクトル帯域を通じた通信が利用可能な周波数帯域幅の少なくとも８０％を占有するという要件）を満たすことが可能になり得る。Ｕ−ＣＵＢＳ３７０は、いくつかの例では、ＬＴＥ／ＬＴＥ−Ａ  ＣＲＳおよび／またはＣＳＩ−ＲＳの形態と同様の形態をとり得る。ＵＣＣＡプロシージャ３６５が失敗したとき、Ｕ−ＣＵＢＳ３７０は送信されなくてよい。
【００８０】
[0102]Ｓサブフレーム３３０は、複数のＯＦＤＭシンボル期間（たとえば、１４個のＯＦＤＭシンボル期間）を含み得る。Ｓサブフレーム３３０の第１の部分は、いくつかの基地局によって短縮ダウンリンク（Ｄ）期間３５５として使用され得る。Ｓサブフレーム３３０の第２の部分は、ガード期間（ＧＰ）３６０として使用され得る。Ｓサブフレーム３３０の第３の部分は、ＵＣＣＡプロシージャ３６５のために使用され得る。Ｓサブフレーム３３０の第４の部分は、免許不要の無線周波数スペクトル帯域のチャネルへのアクセスを正常に争う１つまたは複数のＵＥによって、アップリンクパイロットタイムスロット（ＵｐＰＴＳ）として、および／またはＵ−ＣＵＢＳ３７０を送信するために使用され得る。
【００８１】
[0103]いくつかの例では、ＤＣＣＡプロシージャ３４５および／またはＵＣＣＡプロシージャ３６５は、単一のＣＣＡプロシージャの実行を含み得る。他の例では、ＤＣＣＡプロシージャ３４５および／またはＵＣＣＡプロシージャ３６５は、拡張ＣＣＡプロシージャの実行を含み得る。拡張ＣＣＡプロシージャは、ランダムな数のＣＣＡプロシージャを含むことができ、いくつかの例では、複数のＣＣＡプロシージャを含むことができる。
【００８２】
[0104]図４は、本開示の様々な態様による、免許不要の無線周波数スペクトル帯域へのアクセスを争うときに送信装置によって実行されるＣＣＡプロシージャ４１５の例４００を示す。いくつかの例では、ＣＣＡプロシージャ４１５は、図３を参照して説明されたＤＣＣＡプロシージャ３４５またはＵＣＣＡプロシージャ３６５の例であり得る。ＣＣＡプロシージャ４１５は、固定持続時間を有し得る。いくつかの例では、ＣＣＡプロシージャ４１５は、ＬＢＴフレームベースの機器（ＬＢＴ−ＦＢＥ：LBT-frame based equipment）プロトコル（たとえば、ＥＮ  ３０１  ８９３によって説明されるＬＢＴ−ＦＢＥプロトコル）に従って実行され得る。ＣＣＡプロシージャ４１５に続いて、ＣＵＢＳ４２０が送信され得、その後にデータ送信（たとえば、アップリンク送信またはダウンリンク送信）が続き得る。例として、データ送信は、３つのサブフレームの意図された持続時間４０５と３つのサブフレームの実際の持続時間４１０とを有し得る。
【００８３】
[0105]図５は、本開示の様々な態様による、免許不要の無線周波数スペクトル帯域へのアクセスを争うときに送信装置によって実行される拡張ＣＣＡ（ＥＣＣＡ）プロシージャ５１５の例５００を示す。いくつかの例では、ＥＣＣＡプロシージャ５１５は、図３を参照して説明されたＤＣＣＡプロシージャ３４５またはＵＣＣＡプロシージャ３６５の例であり得る。ＥＣＣＡプロシージャ５１５は、ランダムな数のＣＣＡプロシージャを含むことができ、いくつかの例では、複数のＣＣＡプロシージャを含むことができる。したがって、ＥＣＣＡプロシージャ５１５は変動持続時間を有し得る。いくつかの例では、ＥＣＣＡプロシージャ５１５は、ＬＢＴ負荷ベースの機器（ＬＢＴ−ＬＢＥ：LBT-load based equipment）プロトコル（たとえば、ＥＮ  ３０１  ８９３によって説明されるＬＢＴ−ＬＢＥプロトコル）に従って実行され得る。ＥＣＣＡプロシージャ５１５は、免許不要の無線周波数スペクトル帯域にアクセスするためのコンテンションに勝つより高い可能性をもたらし得るが、データ送信が短くなる潜在的代償を伴い得る。ＥＣＣＡプロシージャ５１５に続いて、ＣＵＢＳ５２０が送信され得、その後にデータ送信が続き得る。例として、データ送信は、４つのサブフレームの意図された持続時間５０５と２つのサブフレームの実際の持続時間５１０とを有し得る。
【００８４】
[0106]いくつかの例では、ＣＣＡプロシージャを最初に実行することなく（たとえば、図３を参照して説明されたＤＣＣＡプロシージャ３４５および／またはＵＣＣＡプロシージャ３６５を最初に実行することなく）免許不要の無線周波数スペクトル帯域を通じたワイヤレス通信が行われ得る。ＣＣＡプロシージャを最初に実行することなく免許不要の無線周波数スペクトル帯域を通じて行われるワイヤレス通信は、ＣＣＡ免除送信（ＣＥＴ）と呼ばれ得る。免許不要の無線周波数スペクトル帯域でのコンテンションを最小化するために、ＣＥＴ期間に従ってＣＥＴが送信され得、このＣＥＴ期間は、ＬＢＴ無線フレームの持続時間よりも長い、またいくつかの例では、はるかに長い持続時間を有し得る。たとえば、１０ミリ秒（１０ｍｓ）の持続時間を有するＬＢＴ無線フレームに対して、８０ミリ秒（８０ｍｓ）の持続時間を有するＣＥＴ期間に従ってＣＥＴが送信され得る。いくつかの例では、ＣＥＴ期間は、構成可能な周期性を有し得る。いくつかの例では、ＣＥＴは、ＬＢＴ無線フレームの持続時間以下の持続時間を有し得る。
【００８５】
[0107]いくつかの例では、図１および／または図２を参照して説明された基地局１０５、２０５、および／または２０５−ａのうちの１つのような基地局は、免許要の無線周波数スペクトル帯域への保証されたアクセスを有し得、規則的、周期的に（たとえば、図３を参照して説明されたＬＢＴ無線フレーム３１５のようなＬＢＴ無線フレームの間に）免許要の無線周波数スペクトル帯域を通じて同期信号を送信し得る。だが、いくつかの基地局１０５は、免許要の無線周波数スペクトル帯域へのアクセスを有しないことがあり、および／またはいくつかのＵＥ１１５は、免許要の無線周波数スペクトル帯域へのアクセスを有しない（もしくは免許要の無線周波数スペクトル帯域を通じて通信することが可能ではない）ことがある。これらの後者の例では、基地局１０５は、免許不要の無線周波数スペクトル帯域へのアクセスを有し得る。ただし、基地局１０５は、免許不要の無線周波数スペクトル帯域へのアクセスを争うように構成されることがあり、基地局による免許不要の無線周波数スペクトル帯域を通じた同期信号の送信は、（たとえば、基地局１０５が免許不要の無線周波数スペクトル帯域へのアクセスを正常に争うことが不可能であるフレームおよび／または期間に起因して）不規則的および／またはより低い頻度であり得る。本明細書では、時間ウィンドウ内に、免許不要の無線周波数スペクトル帯域を通じて同期信号を送信および受信するための技法について説明する。
【００８６】
[0108]図６は、本開示の様々な態様による、免許不要の無線周波数スペクトル帯域を通じた基地局によって行われる送信の例６００を示す。いくつかの例では、送信を行う基地局は、図１および／または図２を参照して説明された基地局１０５、２０５、および／または２０５−ａのうちの１つまたは複数の態様の例であり得る。
【００８７】
[0109]例として、図６は、３つの隣接する送信（Ｔｘ）期間における、基地局によって行われる送信を示す。３つの隣接する送信期間は、第１の送信期間６０５と、第２の送信期間６１０と、第３の送信期間６１５とを含む。Ｔｘ期間の間に行われる送信は、ＣＥＴまたはＬＢＴに従った送信であり得る。
【００８８】
[0110]基地局によって行われる送信は、基地局のダウンリンクＣＥＴ（ＤＣＥＴ６２０）の間に行われる同期送信と、（たとえば、成功したＤＣＣＡ６２５に後続する）周期固定サブフレームロケーションの間に行われる同期送信と、時間ウィンドウ６３０の間に行われる非同期送信とを含み得る。ＤＣＥＴ６２０の各々は、図５を参照して説明されたＣＥＴのうちの１つの例であり得る。
【００８９】
[0111]時間ウィンドウ６３０は、第１のＴｘ期間６０５、第２のＴｘ期間６１０、および第３のＴｘ期間６１５の各々において、Ｎ個のＴｘ期間（ここで、Ｎ＞１）ごとに１回、または動的に１つもしくは複数のＴｘ期間において提供され得る。図６は、Ｎ個のＴｘ期間ごとに発生し、第３のＴｘ期間６１５に入る時間ウィンドウ６３０を示す。いくつかの例では、時間ウィンドウ６３０の複数のインスタンスが、１つまたは複数のＴｘ期間の各々において提供され得る。時間ウィンドウ６３０の長さまたは持続時間は、図示されたものよりも短いこと、または長いことがある。いくつかの例では、時間ウィンドウ６３０は、少なくとも１つの周期固定サブフレームロケーション（たとえば、ＤＣＣＡ６２５に後続する少なくとも１つのサブフレーム）と時間的に重複し得る。いくつかの例では、時間ウィンドウ６３０は、ＤＣＥＴ６２０、ＤＣＣＡ６２５、またはＤＣＣＡ６２５に後続する周期固定サブフレームに含まれるサブキャリア周波数のセットとは異なる、免許不要の無線周波数スペクトル帯域のサブキャリア周波数のセットに関連付けられ得る。
【００９０】
[0112]いくつかの例では、時間ウィンドウ６３０のインジケーション（たとえば、時間ウィンドウ６３０が始まるとき（たとえば、サブフレーム番号および／もしくはＯＦＤＭシンボル期間番号）および／もしくは終了するときのインジケーション、時間ウィンドウ６３０の持続時間のインジケーション、ならびに／または時間ウィンドウ６３０に含まれる周波数サブキャリアのインジケーション）が基地局によって送信され得る。時間ウィンドウ６３０のインジケーションは、いくつかの例では、システム情報ブロック（ＳＩＢ）、マスタ情報ブロック（ＭＩＢ）の間に、および／または時間ウィンドウ６３０の中もしくは外で送信され得る。いくつかの例では、時間ウィンドウ６３０のインジケーションは、ＲＲＣメッセージにおいて送信され得る。
【００９１】
[0113]いくつかの例では、同期信号が基地局によって、ＤＣＥＴ６２０のうちの１つもしくは複数の間に、（たとえば、１つもしくは複数の成功したＤＣＣＡ６２５に後続する）１つもしくは複数の周期固定サブフレームロケーションの間に、および／または時間ウィンドウ６３０の間に送信され得る。ＤＣＥＴ６２０の間または周期固定サブフレームの間の同期信号の送信は同期送信と考えられ得、一方、時間ウィンドウ６３０の間の同期信号の送信は非同期送信と考えられ得る。周期固定サブフレームロケーションの間のＣＣＡに従った同期信号の送信はまた、周期固定サブフレームロケーションに先行するＤＣＣＡ６２５の成功した実行に依存し得るので、機会主義的送信と考えられ得る。いくつかの例では、送信される同期信号は、セル発見、同期、および／または他の目的のために使用され得る。いくつかの例では、送信される同期信号は、ＰＳＳ、ＳＳＳ、ＣＲＳ（たとえば、ｅＣＲＳ）、および／またはＣＳＩ−ＲＳを含み得る。
【００９２】
[0114]同期信号が時間ウィンドウ６３０の間に送信されるとき、同期信号は、時間ウィンドウ６３０の間に実行された１つまたは複数の成功したＤＣＣＡに後続する送信時間に送信され得る。時間ウィンドウ６３０の間に実行されるＤＣＣＡは、ＤＣＣＡ６２５とは異なり得る。いくつかの例では、いくつかのＤＣＣＡが時間ウィンドウ６３０の間に実行され得、ＤＣＣＡのうちの最初の成功したものに後続する送信時間に同期信号が送信され得る。いくつかの例では、いくつかのＤＣＣＡが時間ウィンドウ６３０の間に実行され得、時間ウィンドウの間に実行されたＤＣＣＡのうちの最後の不成功のものに続いて、および／または時間ウィンドウ６３０の終わりに発生する送信時間に、同期信号が送信され得る。いくつかの例では、いくつかのＤＣＣＡは、たとえば、電力節約、観測されたチャネル干渉などに基づいて構成され得る。いくつかの例では、構成可能期間（たとえば、５０ミリ秒（ｍｓ））内にＤＣＥＴ６２０によってチャネル帯域幅の５パーセント未満が占有される場合を除いて、ＤＣＣＡは実行されなくてよい。
【００９３】
[0115]時間ウィンドウ６３０の間に送信される同期信号は、様々な理由で、たとえば、同期信号が１つもしくは複数のＤＣＣＡに後続する送信時間に送信され得るので、ならびに／または時間ウィンドウ６３０の開始、終了、もしくは持続時間が、ＤＣＥＴ６２０、ＤＣＣＡ６２５、および／もしくはＤＣＣＡ６２５に後続する固定周期サブフレームロケーションが同期される無線フレーム構造、ＬＢＴフレーム構造、および／もしくはサブフレーム構造と同期されないことがあるので、非同期と考えられ得る。
【００９４】
[0116]いくつかの例では、基地局は、同期信号が送信されるサブフレームに関するダウンリンク制御情報（ＤＣＩ）を送信し得る。ＤＣＩは、同期信号を送信し、適切なレートマッチングを保証するために使用されるリソース（たとえば、サブフレーム、ＯＦＤＭシンボル、リソース要素を示し得る。同じくまたは代替的に、基地局は、適切なレートマッチングを保証するために、サブフレームにおける同期信号の存在を示す拡張物理ダウンリンク制御チャネル（ｅＰＤＣＣＨ）を送信し得る。
【００９５】
[0117]いくつかの例では、基地局は、時間ウィンドウの間にタイミング情報を送信し得る。いくつかの例では、タイミング情報は、基地局の現在のフレーム、基地局の現在のサブフレーム、および／または現在のシンボルのインジケーション（たとえば、非同期的に送信される同期信号を同期基準に関連付ける情報）を含み得る。同じくまたは代替的に、基地局は、時間ウィンドウの間に基地局に関するシステム情報を送信し得る。いくつかの例では、システム情報は、ＳＩＢおよび／またはＭＩＢにおいて送信され得る。
【００９６】
[0118]図６を参照して示され説明された内容の代替として、基地局は同期信号とタイミング情報とを、それの送信のための時間ウィンドウを定義することなく、および／または時間ウィンドウ６３０のインジケーションを送信することなく、免許不要の無線周波数スペクトル帯域を通じて送信し得る。また別の代替として、ＵＥは、時間ウィンドウ６３０のインジケーションを受信することなく、送信された同期信号を受信し得る。これらの代替のうちのいずれかとして、基地局は、免許不要の無線周波数スペクトル帯域を通じて同期信号とタイミング情報とを送信する（たとえば、免許不要の無線周波数スペクトル帯域を通じて同期信号とタイミング情報とを一緒に送信する）ことができ、タイミング情報はＵＥによって、同期信号を解釈するための同期基準として使用され得る。
【００９７】
[0119]いくつかの例では、基地局は、１つまたは複数の追加の時間ウィンドウの１つまたは複数のインジケーションを送信し得る。１つまたは複数の追加の時間ウィンドウは、（たとえば、サービングセルとしての）基地局と通信しているＵＥが、１つまたは複数の近隣セルによって送信された１つまたは複数の同期信号を受信するために免許不要の無線周波数スペクトル帯域をモニタすべきときを示し得る。
【００９８】
[0120]図７は、本開示の様々な態様による、免許不要の無線周波数スペクトル帯域を通じた基地局によって行われる送信の例７００を示す。いくつかの例では、送信を行う基地局は、図１および／または図２を参照して説明された基地局１０５、２０５、および／または２０５−ａのうちの１つまたは複数の態様の例であり得る。
【００９９】
[0121]例として、図７は、３つの隣接する送信（Ｔｘ）期間における、基地局によって行われる送信を示す。３つの隣接するＴｘ期間は、第１のＴｘ期間７０５と、第２のＴｘ期間７１０と、第３のＴｘ期間７１５とを含む。Ｔｘ期間の間に行われる送信は、ＣＥＴまたはＬＢＴに従った送信であり得る。
【０１００】
[0122]基地局によって行われる送信は、基地局のダウンリンクＣＥＴ（ＤＣＥＴ７２０）の間に行われる同期送信と、（たとえば、成功したＤＣＣＡ７２５に後続する）周期固定サブフレームロケーションの間に行われる同期送信と、時間ウィンドウ７３０の間に行われる非同期送信とを含み得る。ＤＣＥＴ７２０の各々は、図５を参照して説明されたＣＥＴのうちの１つの例であり得る。
【０１０１】
[0123]時間ウィンドウ７３０は、第１のＴｘ期間７０５、第２のＴｘ期間７１０、および第３のＴｘ期間７１５の各々において、Ｎ個のＴｘ期間（ここで、Ｎ＞１）ごとに１回、または動的に１つもしくは複数のＴｘ期間において提供され得る。図７は、Ｎ個のＴｘ期間ごとに、または動的に発生する、第２のＴｘ期間７１０における時間ウィンドウ７３０を示す。時間ウィンドウ７３０の長さまたは持続時間は、図示されたものよりも短いこと、または長いことがある。いくつかの例では、時間ウィンドウ７３０は、少なくとも１つの周期固定サブフレームロケーション（たとえば、ＤＣＣＡ７２５に後続する少なくとも１つのサブフレーム）と時間的に重複し得る。いくつかの例では、時間ウィンドウ７３０は、ＤＣＥＴ７２０、ＤＣＣＡ７２５、またはＤＣＣＡ７２５に後続する周期固定サブフレームに含まれるサブキャリア周波数のセットとは異なる、免許不要の無線周波数スペクトル帯域のサブキャリア周波数のセットに関連付けられ得る。
【０１０２】
[0124]いくつかの例では、時間ウィンドウ７３０のインジケーション（たとえば、時間ウィンドウ７３０が始まるとき（たとえば、サブフレーム番号および／もしくはＯＦＤＭシンボル期間番号）および／もしくは終了するときのインジケーション、時間ウィンドウ７３０の持続時間のインジケーション、ならびに／または時間ウィンドウ７３０に含まれる周波数サブキャリアのインジケーション）が基地局によって送信され得る。時間ウィンドウ７３０のインジケーションは、いくつかの例では、システム情報ブロック（ＳＩＢ）、マスタ情報ブロック（ＭＩＢ）の間に、および／または時間ウィンドウ７３０の中もしくは外で送信され得る。いくつかの例では、時間ウィンドウ７３０のインジケーションは、ＲＲＣメッセージにおいて送信され得る。
【０１０３】
[0125]いくつかの例では、同期信号が基地局によって、ＤＣＥＴ７２０のうちの１つもしくは複数の間に、（たとえば、１つもしくは複数の成功したＤＣＣＡ７２５に後続する）１つもしくは複数の周期固定サブフレームロケーションの間に、および／または時間ウィンドウ７３０の間に送信され得る。ＤＣＥＴ７２０の間または周期固定サブフレームの間の同期信号の送信は同期送信と考えられ得、一方、時間ウィンドウ７３０の間の同期信号の送信は非同期送信と考えられ得る。周期固定サブフレームロケーションの間のＣＣＡに従った同期信号の送信はまた、周期固定サブフレームロケーションに先行するＤＣＣＡ７２５の成功した実行に依存し得るので、機会主義的送信と考えられ得る。いくつかの例では、送信される同期信号は、セル発見、同期、および／または他の目的のために使用され得る。いくつかの例では、送信される同期信号は、ＰＳＳ、ＳＳＳ、および／またはＣＲＳ（たとえば、ｅＣＲＳ）を含み得る。
【０１０４】
[0126]いくつかの例では、基地局は、ＤＣＥＴ７２０と一致する送信時間に、ただし、ＤＣＥＴとしての代わりにいくつかのＤＣＣＡの成功した実行の後に、同期信号を送信することを試み得る。成功したＤＣＣＡがＤＣＥＴ７２０の間に実行され得ないとき、基地局は、時間ウィンドウ７３０の間にＤＣＣＡを引き続き実行し、ＤＣＣＡの実行に成功すると、または成功なしにいくつかのＤＣＣＡのすべて（たとえば、時間ウィンドウ７３０の間のＤＣＣＡのすべて）を実行すると、同期信号を送信することができる。時間ウィンドウ７３０の間に実行されるＤＣＣＡは、ＤＣＣＡ７２５とは異なり得る。いくつかの例では、いくつかのＤＣＣＡは、たとえば、電力節約、観測されたチャネル干渉などに基づいて構成され得る。いくつかの例では、構成可能期間（たとえば、５０ミリ秒（ｍｓ））内にＤＣＥＴ７２０によってチャネル帯域幅の５パーセント未満が占有される場合を除いて、ＤＣＣＡは実行されなくてよい。
【０１０５】
[0127]時間ウィンドウ７３０の間に送信される同期信号は、様々な理由で、たとえば、同期信号が１つもしくは複数のＤＣＣＡに後続する送信時間に送信され得るので、ならびに／または時間ウィンドウ７３０の開始、終了、もしくは持続時間が、ＤＣＥＴ７２０、ＤＣＣＡ７２５、および／もしくはＤＣＣＡ７２５に後続する固定周期サブフレームロケーションが同期される無線フレーム構造、ＬＢＴフレーム構造、および／もしくはサブフレーム構造と同期されないことがあるので、非同期と考えられ得る。
【０１０６】
[0128]いくつかの例では、基地局は、同期信号が送信されるサブフレームに関するＤＣＩを送信し得る。ＤＣＩは、同期信号を送信し、適切なレートマッチングを保証するために使用されるリソース（たとえば、サブフレーム、ＯＦＤＭシンボル、リソース要素を示し得る。同じくまたは代替的に、基地局は、適切なレートマッチングを保証するために、サブフレームにおける同期信号の存在を示すｅＰＤＣＣＨを送信し得る。
【０１０７】
[0129]いくつかの例では、基地局は、時間ウィンドウの間にタイミング情報を送信し得る。いくつかの例では、タイミング情報は、基地局の現在のフレーム、基地局の現在のサブフレーム、および／または現在のシンボルのインジケーション（たとえば、非同期的に送信される同期信号を同期基準に関連付ける情報）を含み得る。同じくまたは代替的に、基地局は、時間ウィンドウの間に基地局に関するシステム情報を送信し得る。いくつかの例では、システム情報は、ＳＩＢおよび／またはＭＩＢにおいて送信され得る。
【０１０８】
[0130]図７を参照して示され説明された内容の代替として、基地局は同期信号とタイミング情報とを、それの送信のための時間ウィンドウを定義することなく、および／または時間ウィンドウ７３０のインジケーションを送信することなく、免許不要の無線周波数スペクトル帯域を通じて送信し得る。また別の代替として、ＵＥは、時間ウィンドウ７３０のインジケーションを受信することなく、送信された同期信号を受信し得る。これらの代替のうちのいずれかとして、基地局は、免許不要の無線周波数スペクトル帯域を通じて同期信号とタイミング情報とを非同期的に送信する（たとえば、免許不要の無線周波数スペクトル帯域を通じて同期信号とタイミング情報とを一緒に送信する）ことができ、タイミング情報はＵＥによって、同期信号を解釈するための同期基準として使用され得る。
【０１０９】
[0131]いくつかの例では、基地局は、１つまたは複数の追加の時間ウィンドウの１つまたは複数のインジケーションを送信し得る。１つまたは複数の追加の時間ウィンドウは、（たとえば、サービングセルとしての）基地局と通信しているＵＥが、１つまたは複数の近隣セルによって送信された１つまたは複数の同期信号を受信するために免許不要の無線周波数スペクトル帯域をモニタすべきときを示し得る。
【０１１０】
[0132]図８は、本開示の様々な態様による、免許不要の無線周波数スペクトル帯域を通じた基地局によって行われる送信の例８００を示す。いくつかの例では、送信を行う基地局は、図１および／または図２を参照して説明された基地局１０５、２０５、および／または２０５−ａのうちの１つまたは複数の態様の例であり得る。
【０１１１】
[0133]例として、図８は、３つの隣接する送信（Ｔｘ）期間における、基地局によって行われる送信を示す。３つの隣接するＴｘ期間は、第１のＴｘ期間８０５と、第２のＴｘ期間８１０と、第３のＴｘ期間８１５とを含む。Ｔｘ期間の間に行われる送信は、ＣＥＴまたはＬＢＴに従った送信であり得る。
【０１１２】
[0134]基地局によって行われる送信は、第１の時間ウィンドウ８２０、第２の時間ウィンドウ８２５、および第３の時間ウィンドウ８３０の間に行われる同期送信または非同期送信を含み得る。第１の時間ウィンドウ８２０、第２の時間ウィンドウ８２５、および第３の時間ウィンドウ８３０の各々の長さまたは持続時間は、図示されたものよりも短いこと、または長いことがある。
【０１１３】
[0135]いくつかの例では、第１の時間ウィンドウ８２０、第２の時間ウィンドウ８２５、および／または第３の時間ウィンドウ８３０のインジケーション（たとえば、時間ウィンドウが始まるとき（たとえば、サブフレーム番号および／もしくはＯＦＤＭシンボル期間番号）および／もしくは終了するときのインジケーション、時間ウィンドウの持続時間のインジケーション、ならびに／または時間ウィンドウに含まれる周波数サブキャリアのインジケーション）が基地局によって送信され得る。各インジケーションは、いくつかの例では、システム情報ブロック（ＳＩＢ）、マスタ情報ブロック（ＭＩＢ）の間に、ならびに／または第１の時間ウィンドウ８２０、第２の時間ウィンドウ８２５、および／もしくは第３の時間ウィンドウ８３０の中もしくは外で送信され得る。いくつかの例では、インジケーションは、１つまたは複数のＲＲＣメッセージにおいて送信され得る。
【０１１４】
[0136]いくつかの例では、同期信号が基地局によって、第１の時間ウィンドウ８２０、第２の時間ウィンドウ８２５、および／または第３の時間ウィンドウ８３０のうちの１つまたは複数の間に送信され得る。第１の時間ウィンドウ８２０、第２の時間ウィンドウ８２５、および／または第３の時間ウィンドウ８３０の間の同期信号の送信は、非同期送信と考えられ得る。いくつかの例では、送信される同期信号は、セル発見、同期、および／または他の目的のために使用され得る。いくつかの例では、送信される同期信号は、ＰＳＳ、ＳＳＳ、ＣＲＳ（たとえば、ｅＣＲＳ）、および／またはＣＳＩ−ＲＳを含み得る。
【０１１５】
[0137]同期信号が第１の時間ウィンドウ８２０、第２の時間ウィンドウ８２５、および／または第３の時間ウィンドウ８３０のうちの１つまたは複数の間に送信されるとき、同期信号は、時間ウィンドウの間に実行された１つまたは複数の成功したＤＣＣＡに後続する送信時間に送信され得る。いくつかの例では、いくつかのＤＣＣＡが時間ウィンドウの間に実行され得、ＤＣＣＡのうちの最初の成功したものに後続する送信時間に同期信号が送信され得る。いくつかの例では、いくつかのＤＣＣＡが時間ウィンドウの間に実行され得、時間ウィンドウの間に実行されたＤＣＣＡのうちの最後の不成功のものに続いて、および／または時間ウィンドウの終わりに発生する送信時間に、同期信号が送信され得る。いくつかの例では、いくつかのＤＣＣＡは、たとえば、電力節約、観測されたチャネル干渉などに基づいて構成され得る。いくつかの例では、構成可能期間（たとえば、５０ミリ秒（ｍｓ））内にＤＣＥＴによってチャネル帯域幅の５パーセント未満が占有される場合を除いて、ＤＣＣＡは実行されなくてよい。
【０１１６】
[0138]第１の時間ウィンドウ８２０、第２の時間ウィンドウ８２５、および／または第３の時間ウィンドウ８３０の間に送信される同期信号は、様々な理由で、たとえば、同期信号が１つもしくは複数のＤＣＣＡに後続する送信時間に送信され得るので、ならびに／または時間ウィンドウの開始、終了、もしくは持続時間が無線フレーム構造および／もしくはＬＢＴフレーム構造と同期されないことがあるので、非同期と考えられ得る。
【０１１７】
[0139]いくつかの例では、基地局は、同期信号が送信されるサブフレームに関するＤＣＩを送信し、適切なレートマッチングを保証し得る。ＤＣＩは、同期信号を送信するために使用されるリソース（たとえば、サブフレーム、ＯＦＤＭシンボル、リソース要素を示し得る。同じくまたは代替的に、基地局は、適切なレートマッチングを保証するために、サブフレームにおける同期信号の存在を示すｅＰＤＣＣＨを送信し得る。
【０１１８】
[0140]いくつかの例では、基地局は、時間ウィンドウの間にタイミング情報を送信し得る。いくつかの例では、タイミング情報は、基地局の現在のフレーム、基地局の現在のサブフレーム、および／または現在のシンボルのインジケーション（たとえば、非同期的に送信される同期信号を同期基準に関連付ける情報）を含み得る。同じくまたは代替的に、基地局は、時間ウィンドウの間に基地局に関するシステム情報を送信し得る。いくつかの例では、システム情報は、ＳＩＢおよび／またはＭＩＢにおいて送信され得る。
【０１１９】
[0141]図８を参照して示され説明された内容の代替として、基地局は同期信号とタイミング情報とを、それの送信のための時間ウィンドウを定義することなく、および／または時間ウィンドウのインジケーションを送信することなく、免許不要の無線周波数スペクトル帯域を通じて非同期的に送信し得る。また別の代替として、ＵＥは、時間ウィンドウのインジケーションを受信することなく、送信された同期信号を非同期的に受信し得る。これらの代替のうちのいずれかとして、基地局は、免許不要の無線周波数スペクトル帯域を通じて同期信号とタイミング情報とを非同期的に送信する（たとえば、免許不要の無線周波数スペクトル帯域を通じて同期信号とタイミング情報とを一緒に送信する）ことができ、タイミング情報はＵＥによって、同期信号を解釈するための同期基準として使用され得る。
【０１２０】
[0142]いくつかの例では、基地局は、１つまたは複数の追加の時間ウィンドウの１つまたは複数のインジケーションを送信し得る。１つまたは複数の追加の時間ウィンドウは、（たとえば、サービングセルとしての）基地局と通信しているＵＥが、１つまたは複数の近隣セルによって送信された１つまたは複数の同期信号を受信するために免許不要の無線周波数スペクトル帯域をモニタすべきときを示し得る。
【０１２１】
[0143]図９は、本開示の様々な態様による、ワイヤレス通信において使用するための装置９１５のブロック図９００を示す。装置９１５は、図１および／または図２を参照して説明されたＵＥ１１５、２１５、２１５−ａ、２１５−ｂ、および／または２１５−ｃのうちの１つまたは複数の態様の例であり得る。装置９１５はまた、プロセッサであるか、またはプロセッサを含み得る。装置９１５は、受信機構成要素９１０、ワイヤレス通信管理構成要素９２０、および／または送信機構成要素９３０を含み得る。これらの構成要素の各々は、互いに通信していることがある。
【０１２２】
[0144]装置９１５の構成要素は、ハードウェアにおいて適用可能な機能の一部またはすべてを実行するように適応された１つまたは複数の特定用途向け集積回路（ＡＳＩＣ）を使用して、個々にまたは集合的にインプリメントされ得る。代替的に、機能は、１つまたは複数の他の処理ユニット（またはコア）によって、１つまたは複数の集積回路上で実行され得る。他の例では、当技術分野で知られている任意の方式でプログラムされ得る、他のタイプの集積回路（たとえば、構造化／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令によりインプリメントされ得る。いくつかの例では、図９に示されている構成要素はそれぞれ、本明細書で説明される機能を実行するための専用ハードウェア（たとえば、回路または電気回路）内で実行され得る。
【０１２３】
[0145]いくつかの例では、受信機構成要素９１０は、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて送信を受信するように動作可能な少なくとも１つの無線周波数（ＲＦ）受信機のような、少なくとも１つのＲＦ受信機を含み得る。いくつかの例では、免許要の無線周波数スペクトル帯域および／または免許不要の無線周波数スペクトル帯域は、たとえば、図１および／または図２を参照して説明されたように、ＬＴＥ／ＬＴＥ−Ａ通信のために使用され得る。受信機構成要素９１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許要の無線周波数スペクトル帯域および／または免許不要の無線周波数スペクトル帯域上で確立され得る。
【０１２４】
[0146]いくつかの例では、送信機構成要素９３０は、免許要の無線周波数スペクトル帯域および／または免許不要の無線周波数スペクトル帯域を通じて送信するように動作可能な少なくとも１つのＲＦ送信機のような、少なくとも１つのＲＦ送信機を含み得る。送信機構成要素９３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許要の無線周波数スペクトル帯域および／または免許不要の無線周波数スペクトル帯域上で確立され得る。
【０１２５】
[0147]いくつかの例では、ワイヤレス通信管理構成要素９２０は、装置９１５のためのワイヤレス通信の１つまたは複数の態様を管理するために使用され得る。いくつかの例では、ワイヤレス通信管理構成要素９２０は、時間ウィンドウ管理構成要素９３５および／または同期信号モニタ構成要素９４０を含み得る。
【０１２６】
[0148]いくつかの例では、時間ウィンドウ管理構成要素９３５は、免許不要の無線周波数スペクトル帯域を通じて、受信機構成要素９１０を介して、同期信号の非同期送信に関連付けられる時間ウィンドウのインジケーションを受信するために使用される。いくつかの例では、時間ウィンドウのインジケーションは、ＳＩＢおよび／またはＭＩＢにおいて受信され得る。いくつかの例では、時間ウィンドウのインジケーションは、ＲＲＣメッセージにおいて受信され得る。いくつかの例では、同期信号は、ＰＳＳ、ＳＳＳ、ＣＲＳ（たとえば、ｅＣＲＳ）、および／またはＣＳＩ−ＲＳを含み得る。
【０１２７】
[0149]いくつかの例では、同期信号モニタ構成要素９４０は、基地局（たとえば、図１および／または図２を参照して説明された基地局１０５、２０５、および／または２０５−ａのうちの１つのような、ｅＮＢの基地局）から同期信号を受信するために、時間ウィンドウの間に免許不要の無線周波数スペクトル帯域をモニタするために使用され得る。
【０１２８】
[0150]図１０は、本開示の様々な態様による、ワイヤレス通信において使用するための装置１０１５のブロック図１０００を示す。装置１０１５は、図１および／もしくは図２を参照して説明されたＵＥ１１５、２１５、２１５−ａ、２１５−ｂ、および／もしくは２１５−ｃのうちの１つもしくは複数の態様の例、ならびに／または図９を参照して説明された装置９１５の態様の例であり得る。装置１０１５はまた、プロセッサであるか、またはプロセッサを含み得る。装置１０１５は、受信機構成要素１０１０、ワイヤレス通信管理構成要素１０２０、および／または送信機構成要素１０３０を含み得る。これらの構成要素の各々は、互いに通信していることがある。
【０１２９】
[0151]装置１０１５の構成要素は、ハードウェアにおいて適用可能な機能の一部またはすべてを実行するように適応された１つまたは複数のＡＳＩＣを使用して、個々にまたは集合的にインプリメントされ得る。代替的に、機能は、１つまたは複数の他の処理ユニット（またはコア）によって、１つまたは複数の集積回路上で実行され得る。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令によりインプリメントされ得る。いくつかの例では、図１０に示されている構成要素はそれぞれ、本明細書で説明される機能を実行するための専用ハードウェア（たとえば、回路または電気回路）内で実行され得る。
【０１３０】
[0152]いくつかの例では、受信機構成要素１０１０は、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて送信を受信するように動作可能な少なくとも１つのＲＦ受信機のような、少なくとも１つの無線ＲＦ受信機を含み得る。いくつかの例では、免許要の無線周波数スペクトル帯域および／または免許不要の無線周波数スペクトル帯域は、たとえば、図１および／または図２を参照して説明されたように、ＬＴＥ／ＬＴＥ−Ａ通信のために使用され得る。受信機構成要素１０１０は、いくつかの場合には、免許要の無線周波数スペクトル帯域および免許不要の無線周波数スペクトル帯域のための別個の受信機を含み得る。別個の受信機は、いくつかの例では、免許要の無線周波数スペクトル帯域を通じて通信するためのＬＴＥ／ＬＴＥ−Ａ受信機構成要素（たとえば、免許要のＲＦスペクトル帯域のためのＬＴＥ／ＬＴＥ−Ａ受信機構成要素１０１２）および免許不要の無線周波数スペクトル帯域を通じて通信するためのＬＴＥ／ＬＴＥ−Ａ受信機構成要素（たとえば、免許不要のＲＦスペクトル帯域のためのＬＴＥ／ＬＴＥ−Ａ受信機構成要素１０１４）の形態をとり得る。免許要のＲＦスペクトル帯域のためのＬＴＥ／ＬＴＥ−Ａ受信機構成要素１０１２および／または免許不要のＲＦスペクトル帯域のためのＬＴＥ／ＬＴＥ−Ａ受信機構成要素１０１４を含む、受信機構成要素１０１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許要の無線周波数スペクトル帯域および／または免許不要の無線周波数スペクトル帯域上で確立され得る。
【０１３１】
[0153]いくつかの例では、送信機構成要素１０３０は、免許要の無線周波数スペクトル帯域および／または免許不要の無線周波数スペクトル帯域を通じて送信するように動作可能な少なくとも１つのＲＦ送信機のような、少なくとも１つのＲＦ送信機を含み得る。送信機構成要素１０３０は、いくつかの場合には、免許要の無線周波数スペクトル帯域および免許不要の無線周波数スペクトル帯域のための別個の送信機を含み得る。別個の送信機は、いくつかの例では、免許要の無線周波数スペクトル帯域を通じて通信するためのＬＴＥ／ＬＴＥ−Ａ送信機構成要素（たとえば、免許要のＲＦスペクトル帯域のためのＬＴＥ／ＬＴＥ−Ａ送信機構成要素１０３２）および免許不要の無線周波数スペクトル帯域を通じて通信するためのＬＴＥ／ＬＴＥ−Ａ送信機構成要素（たとえば、免許不要のＲＦスペクトル帯域のためのＬＴＥ／ＬＴＥ−Ａ送信機構成要素１０３４）の形態をとり得る。免許要のＲＦスペクトル帯域のためのＬＴＥ／ＬＴＥ−Ａ送信機構成要素１０３２および／または免許不要のＲＦスペクトル帯域のためのＬＴＥ／ＬＴＥ−Ａ送信機構成要素１０３４を含む、送信機構成要素１０３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許要の無線周波数スペクトル帯域および／または免許不要の無線周波数スペクトル帯域上で確立され得る。
【０１３２】
[0154]いくつかの例では、ワイヤレス通信管理構成要素１０２０は、装置１０１５のためのワイヤレス通信の１つまたは複数の態様を管理するために使用され得る。いくつかの例では、ワイヤレス通信管理構成要素１０２０は、時間ウィンドウ管理構成要素１０３５、モニタ構成要素１０４０、同期信号処理構成要素１０６０、タイミング情報処理構成要素１０７０、および／または同期構成要素１０７５を含み得る。
【０１３３】
[0155]いくつかの例では、時間ウィンドウ管理構成要素１０３５は、免許不要の無線周波数スペクトル帯域を通じて、受信機構成要素１０１０を介して、同期信号の非同期送信に関連付けられる時間ウィンドウのインジケーションを受信するために使用される。いくつかの例では、時間ウィンドウのインジケーションは、ＳＩＢおよび／またはＭＩＢにおいて受信され得る。いくつかの例では、時間ウィンドウのインジケーションは、ＲＲＣメッセージにおいて受信され得る。いくつかの例では、時間ウィンドウは、基地局の少なくとも１つのＣＥＴに取って代わり得る。
【０１３４】
[0156]いくつかの例では、モニタ構成要素１０４０は、免許要の無線周波数スペクトル帯域および／または免許不要の無線周波数スペクトル帯域を、送信された信号がないかモニタするために使用され得る。いくつかの例では、モニタ構成要素１０４０は、受信機電力制御構成要素１０４５、同期信号モニタ構成要素１０５０、および／または情報モニタ構成要素１０５５を含み得る。いくつかの例では、受信機電力制御構成要素１０４５は、対応する無線周波数スペクトル帯域（たとえば、免許不要の無線周波数スペクトル帯域）を通じた予想される送信の前に、装置１０１５または受信機構成要素１０１０（たとえば、免許不要のＲＦスペクトル帯域のためのＬＴＥ／ＬＴＥ−Ａ受信機構成要素１０１４）をスリープ状態からウェイクアップさせるために使用され得る。受信機電力制御構成要素１０４５はまた、対応する無線周波数スペクトル帯域を通じた送信の受信に続いて、装置１０１５または受信機構成要素１０１０をスリープ状態（たとえば、低電力状態またはオフ状態）にするために使用され得る。いくつかの例では、時間ウィンドウ管理構成要素１０３５によって管理される時間ウィンドウの間に、基地局のＣＥＴの間に、または周期固定サブフレームロケーションの間に、送信が予想され得る。
【０１３５】
[0157]いくつかの例では、同期信号モニタ構成要素１０５０は、基地局（たとえば、図１および／または図２を参照して説明された基地局１０５、２０５、および／または２０５−ａのうちの１つのような、ｅＮＢの基地局）から同期信号を受信するために、時間ウィンドウ管理構成要素１０３５によって管理される時間ウィンドウの間に免許不要の無線周波数スペクトル帯域をモニタするために使用され得る。いくつかの例では、同期信号モニタ構成要素１０５０は、同じくまたは代替的に、基地局のＣＥＴの間に、および／または周期固定サブフレームロケーションの間に免許不要の無線周波数スペクトル帯域をモニタするために使用され得る。
【０１３６】
[0158]いくつかの例では、情報モニタ構成要素１０５５は、時間ウィンドウ管理構成要素１０３５によって管理される時間ウィンドウの間に、基地局からタイミング情報を受信するために使用され得る。同じくまたは代替的に、情報モニタ構成要素１０５５は、時間ウィンドウの間に基地局に関するシステム情報を受信するために使用され得る。システム情報は、ＳＩＢおよび／またはＭＩＢにおいて受信され得る。
【０１３７】
[0159]いくつかの例では、同期信号処理構成要素１０６０は、同期信号モニタ構成要素１０５０によって発見された同期信号を処理するために使用され得る。いくつかの例では、同期信号は、ＰＳＳ、ＳＳＳ、ＣＲＳ（たとえば、ｅＣＲＳ）、および／またはＣＳＩ−ＲＳを含み得る。いくつかの例では、同期信号処理構成要素１０６０は、測定構成要素１０６５を含み得る。いくつかの例では、測定構成要素１０６５は、同期信号に対して無線リソース管理（ＲＲＭ）測定を実行するために使用され得る。
【０１３８】
[0160]いくつかの例では、タイミング情報処理構成要素１０７０は、情報モニタ構成要素１０５５によって発見されたタイミング情報を処理するために使用され得る。いくつかの例では、タイミング情報は、基地局の現在のフレーム、基地局の現在のサブフレーム、および／または現在のシンボルのインジケーションを含み得る。
【０１３９】
[0161]いくつかの例では、同期構成要素１０７５は、受信されたタイミング情報および／または測定構成要素１０６５によって実行されたＲＲＭ測定に少なくとも部分的に基づいて、装置１０１５を基地局と同期させるために使用され得る。
【０１４０】
[0162]図１１は、本開示の様々な態様による、ワイヤレス通信において使用するための装置１１１５のブロック図１１００を示す。装置９１５は、図１および／または図２を参照して説明されたＵＥ１１５、２１５、２１５−ａ、２１５−ｂ、および／または２１５−ｃのうちの１つまたは複数の態様の例であり得る。装置１１１５はまた、プロセッサであるか、またはプロセッサを含み得る。装置１１１５は、受信機構成要素１１１０、ワイヤレス通信管理構成要素１１２０、および／または送信機構成要素１１３０を含み得る。これらの構成要素の各々は、互いに通信していることがある。
【０１４１】
[0163]装置１１１５の構成要素は、ハードウェアにおいて適用可能な機能の一部またはすべてを実行するように適応された１つまたは複数のＡＳＩＣを使用して、個々にまたは集合的にインプリメントされ得る。代替的に、機能は、１つまたは複数の他の処理ユニット（またはコア）によって、１つまたは複数の集積回路上で実行され得る。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令によりインプリメントされ得る。いくつかの例では、図１１に示されている構成要素はそれぞれ、本明細書で説明される機能を実行するための専用ハードウェア（たとえば、回路または電気回路）内で実行され得る。
【０１４２】
[0164]いくつかの例では、受信機構成要素１１１０は、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて送信を受信するように動作可能な少なくとも１つのＲＦ受信機のような、少なくとも１つのＲＦ受信機を含み得る。いくつかの例では、免許要の無線周波数スペクトル帯域および／または免許不要の無線周波数スペクトル帯域は、たとえば、図１および／または図２を参照して説明されたように、ＬＴＥ／ＬＴＥ−Ａ通信のために使用され得る。受信機構成要素１１１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許要の無線周波数スペクトル帯域および／または免許不要の無線周波数スペクトル帯域上で確立され得る。
【０１４３】
[0165]いくつかの例では、送信機構成要素１１３０は、免許要の無線周波数スペクトル帯域および／または免許不要の無線周波数スペクトル帯域を通じて送信するように動作可能な少なくとも１つのＲＦ送信機のような、少なくとも１つのＲＦ送信機を含み得る。送信機構成要素１１３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許要の無線周波数スペクトル帯域および／または免許不要の無線周波数スペクトル帯域上で確立され得る。
【０１４４】
[0166]いくつかの例では、ワイヤレス通信管理構成要素１１２０は、装置１１１５のためのワイヤレス通信の１つまたは複数の態様を管理するために使用され得る。いくつかの例では、ワイヤレス通信管理構成要素１１２０は、同期信号モニタ構成要素１１３５および／またはタイミング情報処理構成要素１１４０を含み得る。
【０１４５】
[0167]いくつかの例では、同期信号モニタ構成要素１１３５は、基地局（たとえば、ｅＮＢの基地局）から同期信号の非同期送信を受信するために、免許不要の無線周波数スペクトル帯域をモニタするために使用される。いくつかの例では、同期信号は、ＰＳＳ、ＳＳＳ、ＣＲＳ（たとえば、ｅＣＲＳ）、および／またはＣＳＩ−ＲＳを含み得る。
【０１４６】
[0168]いくつかの例では、タイミング情報処理構成要素１１４０は、基地局からタイミング情報とともに同期信号を受信するために使用され得る。いくつかの例では、タイミング情報は、基地局の現在のフレームおよび基地局の現在のサブフレームの（たとえば、同期信号のサブフレーム同期送信に関する）インジケーションを含み得る。いくつかの例では、タイミング情報は、基地局の現在のフレーム、基地局の現在のサブフレーム、および／または現在のシンボルの（たとえば、同期信号のサブフレーム非同期およびＯＦＤＭシンボル同期送信に関する）インジケーションを含み得る。
【０１４７】
[0169]いくつかの例では、ワイヤレス通信管理構成要素１１２０は、同期信号に対してＲＲＭ測定を実行するために使用され得る。いくつかの例では、ワイヤレス通信管理構成要素１１２０は、受信されたタイミング情報および／または同期信号に対して実行されたＲＲＭ測定に少なくとも部分的に基づいて、装置１１１５を基地局と同期させるために使用され得る。いくつかの例では、ワイヤレス通信管理構成要素１１２０は、同期信号とともに基地局に関するシステム情報を受信するために使用され得る。システム情報は、ＳＩＢおよび／またはＭＩＢにおいて受信され得る。
【０１４８】
[0170]図１２は、本開示の様々な態様による、ワイヤレス通信において使用するための装置１２０５のブロック図１２００を示す。装置１２０５は、図１および／または図２を参照して説明された基地局１０５、２０５、および／または２０５−ａのうちの１つまたは複数の態様の例であり得る。装置１２０５はまた、プロセッサであるか、またはプロセッサを含み得る。装置１２０５は、受信機構成要素１２１０、ワイヤレス通信管理構成要素１２２０、および／または送信機構成要素１２３０を含み得る。これらの構成要素の各々は、互いに通信していることがある。
【０１４９】
[0171]装置１２０５の構成要素は、ハードウェアにおいて適用可能な機能の一部またはすべてを実行するように適応された１つまたは複数のＡＳＩＣを使用して、個々にまたは集合的にインプリメントされ得る。代替的に、機能は、１つまたは複数の他の処理ユニット（またはコア）によって、１つまたは複数の集積回路上で実行され得る。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令によりインプリメントされ得る。いくつかの例では、図１２に示されている構成要素はそれぞれ、本明細書で説明される機能を実行するための専用ハードウェア（たとえば、回路または電気回路）内で実行され得る。
【０１５０】
[0172]いくつかの例では、受信機構成要素１２１０は、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて送信を受信するように動作可能な少なくとも１つのＲＦ受信機のような、少なくとも１つのＲＦ受信機を含み得る。いくつかの例では、免許要の無線周波数スペクトル帯域および／または免許不要の無線周波数スペクトル帯域は、たとえば、図１および／または図２を参照して説明されたように、ＬＴＥ／ＬＴＥ−Ａ通信のために使用され得る。受信機構成要素１２１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許要の無線周波数スペクトル帯域および／または免許不要の無線周波数スペクトル帯域上で確立され得る。
【０１５１】
[0173]いくつかの例では、送信機構成要素１２３０は、免許要の無線周波数スペクトル帯域および／または免許不要の無線周波数スペクトル帯域を通じて送信するように動作可能な少なくとも１つのＲＦ送信機のような、少なくとも１つのＲＦ送信機を含み得る。送信機構成要素１２３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許要の無線周波数スペクトル帯域および／または免許不要の無線周波数スペクトル帯域上で確立され得る。
【０１５２】
[0174]いくつかの例では、ワイヤレス通信管理構成要素１２２０は、装置１２０５のためのワイヤレス通信の１つまたは複数の態様を管理するために使用され得る。いくつかの例では、ワイヤレス通信管理構成要素１２２０は、時間ウィンドウ管理構成要素１２３５、ＣＣＡ管理構成要素１２４０、および／または同期信号管理構成要素１２４５を含み得る。
【０１５３】
[0175]いくつかの例では、時間ウィンドウ管理構成要素１２３５は、同期信号の非同期送信に関連付けられる時間ウィンドウのインジケーションを送信するために使用され得る。時間ウィンドウのインジケーションは、免許不要の無線周波数スペクトル帯域を通じて送信され得る。いくつかの例では、時間ウィンドウのインジケーションは、ＳＩＢおよび／またはＭＩＢにおいて送信され得る。いくつかの例では、時間ウィンドウのインジケーションは、ＲＲＣメッセージにおいて送信され得る。いくつかの例では、同期信号は、ＰＳＳ、ＳＳＳ、ＣＲＳ（たとえば、ｅＣＲＳ）、および／またはＣＳＩ−ＲＳを含み得る。
【０１５４】
[0176]いくつかの例では、ＣＣＡ管理構成要素１２４０は、時間ウィンドウ管理構成要素１２３５によって管理される時間ウィンドウの間に、免許不要の無線周波数スペクトル帯域に対していくつかのＣＣＡを実行するために使用され得る。いくつかの例では、いくつかのＣＣＡは、単一のＣＣＡを含み得る。いくつかの例では、いくつかのＣＣＡは、複数のＣＣＡを含み得る。
【０１５５】
[0177]いくつかの例では、同期信号管理構成要素１２４５は、時間ウィンドウ管理構成要素１２３５によって管理される時間ウィンドウの間の送信時間に、免許不要の無線周波数スペクトル帯域を通じて同期信号を送信するために使用され得る。送信時間は、ＣＣＡ管理構成要素１２４０によって実行されたＣＣＡのうちの少なくとも１つの結果に少なくとも部分的に基づき得る。
【０１５６】
[0178]図１３は、本開示の様々な態様による、ワイヤレス通信において使用するための装置１３０５のブロック図１３００を示す。装置１３０５は、図１および／もしくは図２を参照して説明された基地局１０５、２０５、および／もしくは２０５−ａのうちの１つもしくは複数の態様の例、ならびに／または図１２を参照して説明された装置１２０５の態様の例であり得る。装置１３０５はまた、プロセッサであるか、またはプロセッサを含み得る。装置１３０５は、受信機構成要素１３１０、ワイヤレス通信管理構成要素１３２０、および／または送信機構成要素１３３０を含み得る。これらの構成要素の各々は、互いに通信していることがある。
【０１５７】
[0179]装置１３０５の構成要素は、ハードウェアにおいて適用可能な機能の一部またはすべてを実行するように適応された１つまたは複数のＡＳＩＣを使用して、個々にまたは集合的にインプリメントされ得る。代替的に、機能は、１つまたは複数の他の処理ユニット（またはコア）によって、１つまたは複数の集積回路上で実行され得る。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令によりインプリメントされ得る。いくつかの例では、図１３に示されている構成要素はそれぞれ、本明細書で説明される機能を実行するための専用ハードウェア（たとえば、回路または電気回路）内で実行され得る。
【０１５８】
[0180]いくつかの例では、受信機構成要素１３１０は、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて送信を受信するように動作可能な少なくとも１つのＲＦ受信機のような、少なくとも１つの無線ＲＦ受信機を含み得る。いくつかの例では、免許要の無線周波数スペクトル帯域および／または免許不要の無線周波数スペクトル帯域は、たとえば、図１および／または図２を参照して説明されたように、ＬＴＥ／ＬＴＥ−Ａ通信のために使用され得る。受信機構成要素１３１０は、いくつかの場合には、免許要の無線周波数スペクトル帯域および免許不要の無線周波数スペクトル帯域のための別個の受信機を含み得る。別個の受信機は、いくつかの例では、免許要の無線周波数スペクトル帯域を通じて通信するためのＬＴＥ／ＬＴＥ−Ａ受信機構成要素（たとえば、免許要のＲＦスペクトル帯域のためのＬＴＥ／ＬＴＥ−Ａ受信機構成要素１３１２）および免許不要の無線周波数スペクトル帯域を通じて通信するためのＬＴＥ／ＬＴＥ−Ａ受信機構成要素（たとえば、免許不要のＲＦスペクトル帯域のためのＬＴＥ／ＬＴＥ−Ａ受信機構成要素１３１４）の形態をとり得る。免許要のＲＦスペクトル帯域のためのＬＴＥ／ＬＴＥ−Ａ受信機構成要素１３１２および／または免許不要のＲＦスペクトル帯域のためのＬＴＥ／ＬＴＥ−Ａ受信機構成要素１３１４を含む、受信機構成要素１３１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許要の無線周波数スペクトル帯域および／または免許不要の無線周波数スペクトル帯域上で確立され得る。
【０１５９】
[0181]いくつかの例では、送信機構成要素１３３０は、免許要の無線周波数スペクトル帯域および／または免許不要の無線周波数スペクトル帯域を通じて送信するように動作可能な少なくとも１つのＲＦ送信機のような、少なくとも１つのＲＦ送信機を含み得る。送信機構成要素１３３０は、いくつかの場合には、免許要の無線周波数スペクトル帯域および免許不要の無線周波数スペクトル帯域のための別個の送信機を含み得る。別個の送信機は、いくつかの例では、免許要の無線周波数スペクトル帯域を通じて通信するためのＬＴＥ／ＬＴＥ−Ａ送信機構成要素（たとえば、免許要のＲＦスペクトル帯域のためのＬＴＥ／ＬＴＥ−Ａ送信機構成要素１３３２）および免許不要の無線周波数スペクトル帯域を通じて通信するためのＬＴＥ／ＬＴＥ−Ａ送信機構成要素（たとえば、免許不要のＲＦスペクトル帯域のためのＬＴＥ／ＬＴＥ−Ａ送信機構成要素１３３４）の形態をとり得る。免許要のＲＦスペクトル帯域のためのＬＴＥ／ＬＴＥ−Ａ送信機構成要素１３３２および／または免許不要のＲＦスペクトル帯域のためのＬＴＥ／ＬＴＥ−Ａ送信機構成要素１３３４を含む、送信機構成要素１３３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許要の無線周波数スペクトル帯域および／または免許不要の無線周波数スペクトル帯域上で確立され得る。
【０１６０】
[0182]いくつかの例では、ワイヤレス通信管理構成要素１３２０は、装置１３０５のためのワイヤレス通信の１つまたは複数の態様を管理するために使用され得る。いくつかの例では、ワイヤレス通信管理構成要素１３２０は、時間ウィンドウ管理構成要素１３３５、ＣＥＴ管理構成要素１３４０、ＣＣＡ管理構成要素１３４５、および／または送信管理構成要素１３５０を含み得る。
【０１６１】
[0183]いくつかの例では、時間ウィンドウ管理構成要素１３３５は、同期信号の非同期送信に関連付けられる時間ウィンドウのインジケーションを送信するために使用され得る。時間ウィンドウのインジケーションは、免許不要の無線周波数スペクトル帯域を通じて送信され得る。いくつかの例では、時間ウィンドウのインジケーションは、ＳＩＢおよび／またはＭＩＢにおいて送信され得る。いくつかの例では、時間ウィンドウのインジケーションは、ＲＲＣメッセージにおいて送信され得る。いくつかの例では、同期信号は、ＰＳＳ、ＳＳＳ、ＣＲＳ（たとえば、ｅＣＲＳ）、および／またはＣＳＩ−ＲＳを含み得る。
【０１６２】
[0184]いくつかの例では、ＣＥＴ管理構成要素１３４０は、装置１３０５によるＣＥＴの送信ならびに／または装置１３０５のＣＥＴおよびタイミングウィンドウの調整を管理するために使用される。いくつかの例では、時間ウィンドウは、装置１３０５の少なくとも１つのＣＥＴに取って代わり得る。
【０１６３】
[0185]いくつかの例では、ＣＣＡ管理構成要素１３４５は、時間ウィンドウ管理構成要素１３３５によって管理される時間ウィンドウの間に、免許不要の無線周波数スペクトル帯域に対していくつかのＣＣＡを実行するために使用され得る。いくつかの例では、いくつかのＣＣＡは、単一のＣＣＡを含み得る。いくつかの例では、いくつかのＣＣＡは、複数のＣＣＡを含み得る。
【０１６４】
[0186]いくつかの例では、送信管理構成要素１３５０は、装置１３０５の様々な送信を管理するために使用され得る。いくつかの例では、送信管理構成要素１３５０は、同期信号管理構成要素１３５５および／または情報管理構成要素１３６０を含み得る。いくつかの例では、同期信号管理構成要素１３５５は、時間ウィンドウ管理構成要素１３３５によって管理される時間ウィンドウの間の送信時間に、免許不要の無線周波数スペクトル帯域を通じて同期信号を送信するために使用され得る。送信時間は、ＣＣＡ管理構成要素１３４５によって実行されたＣＣＡのうちの少なくとも１つの結果に少なくとも部分的に基づき得る。いくつかの例では、ＣＣＡ管理構成要素１３４５は、時間ウィンドウの間にＣＣＡ管理構成要素１３４５によって実行されたＣＣＡのうちの最初の成功したものを識別することができ、送信時間は、ＣＣＡのうちの最初の成功したものに後続し得る。いくつかの例では、ＣＣＡ管理構成要素１３４５は、時間ウィンドウの間にＣＣＡ管理構成要素１３４５によって実行されたＣＣＡのうちのいずれも成功しなかったと決定することがあり、送信時間は、時間ウィンドウの間のいくつかのＣＣＡのうちの最後の不成功のものの実行に後続し得、または送信時間は、時間ウィンドウの終わりに発生し得る。
【０１６５】
[0187]いくつかの例では、同期信号管理構成要素１３５５は、同じくまたは代替的に、ＣＥＴの間に免許不要の無線周波数スペクトル帯域を通じて同期信号を送信するために使用され得る。いくつかの例では、同期信号管理構成要素１３５５は、同じくまたは代替的に、周期固定サブフレームロケーションの間に、機会主義的に免許不要の無線周波数スペクトル帯域を通じて同期信号を送信するために使用され得る。いくつかの例では、時間ウィンドウは、ＣＣＡに従った送信とは異なる、免許不要の無線周波数スペクトル帯域のサブキャリア周波数のセットに関連付けられ得る。いくつかの例では、時間ウィンドウは、装置１３０５の周期固定サブフレームロケーションと時間的に重複し得る。
【０１６６】
[0188]いくつかの例では、情報管理構成要素１３６０は、同期信号が送信されることになるサブフレームに関するＤＣＩを送信するために使用され得る。ＤＣＩは、サブフレームにおいて同期信号を送信するために使用されることになる少なくとも１つのリソースをシグナリングし得る。いくつかの例では、情報管理構成要素１３６０は、時間ウィンドウ管理構成要素１３３５によって管理される時間ウィンドウの間にタイミング情報を送信するために使用され得る。いくつかの例では、タイミング情報は、装置１３０５の現在のフレーム、装置１３０５の現在のサブフレーム、および／または現在のシンボルのインジケーションを含み得る。いくつかの例では、情報管理構成要素１３６０は、時間ウィンドウ管理構成要素１３３５によって管理される時間ウィンドウの間に、基地局に関するシステム情報を送信するために使用され得る。いくつかの例では、システム情報は、ＳＩＢおよび／またはＭＩＢにおいて送信され得る。
【０１６７】
[0189]図１４は、本開示の様々な態様による、ワイヤレス通信において使用するための装置１４０５のブロック図１４００を示す。装置１４０５は、図１および／または図２を参照して説明された基地局１０５、２０５、および／または２０５−ａのうちの１つまたは複数の態様の例であり得る。装置１４０５はまた、プロセッサであるか、またはプロセッサを含み得る。装置１４０５は、受信機構成要素１４１０、ワイヤレス通信管理構成要素１４２０、および／または送信機構成要素１４３０を含み得る。これらの構成要素の各々は、互いに通信していることがある。
【０１６８】
[0190]装置１４０５の構成要素は、ハードウェアにおいて適用可能な機能の一部またはすべてを実行するように適応された１つまたは複数のＡＳＩＣを使用して、個々にまたは集合的にインプリメントされ得る。代替的に、機能は、１つまたは複数の他の処理ユニット（またはコア）によって、１つまたは複数の集積回路上で実行され得る。他の例では、当技術分野で知られている任意の方式でプログラムされ得る、他のタイプの集積回路（たとえば、構造化／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリに具現化された命令によりインプリメントされ得る。いくつかの例では、図１４に示されている構成要素はそれぞれ、本明細書で説明される機能を実行するための専用ハードウェア（たとえば、回路または電気回路）内で実行され得る。
【０１６９】
[0191]いくつかの例では、受信機構成要素１４１０は、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて送信を受信するように動作可能な少なくとも１つのＲＦ受信機のような、少なくとも１つのＲＦ受信機を含み得る。いくつかの例では、免許要の無線周波数スペクトル帯域および／または免許不要の無線周波数スペクトル帯域は、たとえば、図１および／または図２を参照して説明されたように、ＬＴＥ／ＬＴＥ−Ａ通信のために使用され得る。受信機構成要素１４１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許要の無線周波数スペクトル帯域および／または免許不要の無線周波数スペクトル帯域上で確立され得る。
【０１７０】
[0192]いくつかの例では、送信機構成要素１４３０は、免許要の無線周波数スペクトル帯域および／または免許不要の無線周波数スペクトル帯域を通じて送信するように動作可能な少なくとも１つのＲＦ送信機のような、少なくとも１つのＲＦ送信機を含み得る。送信機構成要素１４３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許要の無線周波数スペクトル帯域および／または免許不要の無線周波数スペクトル帯域上で確立され得る。
【０１７１】
[0193]いくつかの例では、ワイヤレス通信管理構成要素１４２０は、装置１４０５のためのワイヤレス通信の１つまたは複数の態様を管理するために使用され得る。いくつかの例では、ワイヤレス通信管理構成要素１４２０は、ＣＣＡ管理構成要素１４３５および／または同期信号およびタイミング情報管理構成要素１４４０を含み得る。
【０１７２】
[0194]いくつかの例では、ＣＣＡ管理構成要素１４３５は、免許不要の無線周波数スペクトル帯域に対していくつかのＣＣＡを実行するために使用され得る。いくつかの例では、いくつかのＣＣＡは、複数のＣＣＡを含み得る。いくつかのＣＣＡの各々は、成功するか、または不成功に終わり得る。
【０１７３】
[0195]いくつかの例では、同期信号およびタイミング情報管理構成要素１４４０は、ＣＣＡ管理構成要素１４３５によって実行されたＣＣＡのうちの少なくとも１つの結果に少なくとも部分的に基づく送信時間に、免許不要の無線周波数スペクトル帯域を通じて同期信号とタイミング情報とを非同期的に送信するために使用され得る。いくつかの例では、同期信号は、ＰＳＳ、ＳＳＳ、ＣＲＳ（たとえば、ｅＣＲＳ）、および／またはＣＳＩ−ＲＳを含み得る。いくつかの例では、タイミング情報は、装置１４０５の現在のフレームおよび現在のサブフレームの（たとえば、同期信号のサブフレーム同期送信に関する）インジケーションを含み得る。いくつかの例では、タイミング情報は、装置１４０５の現在のフレーム、装置１４０５の現在のサブフレーム、および／または現在のシンボルの（たとえば、同期信号のサブフレーム非同期およびＯＦＤＭシンボル同期送信に関する）インジケーションを含み得る。いくつかの例では、ＣＣＡ管理構成要素１４３５は、ＣＣＡ管理構成要素１４３５によって実行されたＣＣＡのうちの最初の成功したものを識別することができ、送信時間は、ＣＣＡのうちの最初の成功したものに後続し得る。いくつかの例では、ＣＣＡ管理構成要素１４３５は、ＣＣＡ管理構成要素１４３５によって実行されたＣＣＡのうちのいずれも成功しなかったと決定することがあり、送信時間は、いくつかのＣＣＡのうちの最後の不成功のものの実行に後続し得る。
【０１７４】
[0196]いくつかの例では、ワイヤレス通信管理構成要素１４２０は、同期信号とともに装置１４０５に関するシステム情報を送信するために使用され得る。システム情報は、ＳＩＢおよび／またはＭＩＢにおいて送信され得る。
【０１７５】
[0197]図１５は、本開示の様々な態様による、ワイヤレス通信において使用するためのＵＥ１５１５のブロック図１５００を示す。ＵＥ１５１５は様々な構成を有してよく、含まれてよく、またはパーソナルコンピュータ（たとえば、ラップトップコンピュータ、ネットブックコンピュータ、タブレットコンピュータなど）、セルラー電話（たとえば、スマートフォン）、ＰＤＡ、デジタルビデオレコーダ（ＤＶＲ）、インターネット機器、ゲームコンソール、電子リーダーなどの一部であり得る。ＵＥ１５１５は、いくつかの例では、モバイル動作を容易にするために、小型バッテリーのような内部電源（図示されず）を有し得る。いくつかの例では、ＵＥ１５１５は、図１および／もしくは図２を参照して説明されたＵＥ１１５、２１５、２１５−ａ、２１５−ｂ、および／もしくは２１５−ｃのうちの１つもしくは複数の態様、ならびに／または図９、図１０、および／もしくは図１１を参照して説明された装置９１５、１０１５、および／もしくは１１１５のうちの１つもしくは複数の態様の例であり得る。ＵＥ１５１５は、図１、図２、図３、図４、図５、図６、図７、図８、図９、図１０、および／または図１１を参照して説明されたＵＥおよび／または装置の特徴および機能の少なくとも一部をインプリメントするように構成され得る。
【０１７６】
[0198]ＵＥ１５１５は、ＵＥプロセッサ１５１０、ＵＥメモリ１５２０、（ＵＥトランシーバ１５３０によって表される）少なくとも１つのＵＥトランシーバ、（ＵＥアンテナ１５４０によって表される）少なくとも１つのＵＥアンテナ、および／またはＵＥワイヤレス通信管理構成要素１５６０を含み得る。これらの構成要素の各々は、１つまたは複数のバス１５３５を通じて、直接または間接的に互いに通信していることがある。
【０１７７】
[0199]ＵＥメモリ１５２０は、ランダムアクセスメモリ（ＲＡＭ）および／または読取り専用メモリ（ＲＯＭ）を含み得る。ＵＥメモリ１５２０は、実行されると、基地局から（たとえば、図１および／または図２を参照して説明された基地局１０５、２０５、および／または２０５−ａのうちの１つから）同期信号を受信するための免許不要の無線周波数スペクトル帯域のモニタを含む、ワイヤレス通信に関する本明細書で説明される様々な機能をＵＥプロセッサ１５１０に実行させるように構成された命令を含む、コンピュータ可読のコンピュータ実行可能コード１５２５を記憶し得る。代替的に、コード１５２５は、ＵＥプロセッサ１５１０によって直接的に実行可能ではないことがあるが、（たとえば、コンパイルされ実行されると）本明細書で説明される様々な機能をＵＥ１５１５に実行させるように構成され得る。
【０１７８】
[0200]ＵＥプロセッサ１５１０は、インテリジェントハードウェアデバイス、たとえば、中央処理装置（ＣＰＵ）、マイクロコントローラ、ＡＳＩＣなどを含み得る。ＵＥプロセッサ１５１０は、ＵＥトランシーバ１５３０を通じて受信された情報、および／またはＵＥアンテナ１５４０を通じた送信のためにＵＥトランシーバ１５３０に送られるべき情報を処理し得る。ＵＥプロセッサ１５１０は、単独でまたはＵＥワイヤレス通信管理構成要素１５６０とともに、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて通信すること（あるいはその帯域を通じた通信を管理すること）の様々な態様を扱い得る。
【０１７９】
[0201]ＵＥトランシーバ１５３０は、パケットを変調し、変調されたパケットを送信のためにＵＥアンテナ１５４０に与え、ＵＥアンテナ１５４０から受信されたパケットを復調するように構成されたモデムを含み得る。ＵＥトランシーバ１５３０は、いくつかの例では、１つまたは複数のＵＥ送信機および１つまたは複数の別個のＵＥ受信機としてインプリメントされ得る。ＵＥトランシーバ１５３０は、免許要の無線周波数スペクトル帯域および／または免許不要の無線周波数スペクトル帯域における通信をサポートし得る。ＵＥトランシーバ１５３０は、ＵＥアンテナ１５４０を介して１つまたは複数の基地局と双方向に通信するように構成され得る。ＵＥ１５１５は単一のＵＥアンテナを含み得るが、ＵＥ１５１５が複数のＵＥアンテナ１５４０を含み得る例があり得る。
【０１８０】
[0202]ＵＥ状態構成要素１５５０は、たとえば、ＲＲＣアイドル状態とＲＲＣ接続状態との間のＵＥ１５１５の遷移を管理するために使用されてよく、１つまたは複数のバス１５３５を通じて、直接または間接的に、ＵＥ１５１５の他の構成要素と通信していることがある。ＵＥ状態構成要素１５５０もしくはそれの部分は、プロセッサを含んでよく、ならびに／またはＵＥ状態構成要素１５５０の機能の一部もしくはすべては、ＵＥプロセッサ１５１０によって、および／もしくはＵＥプロセッサ１５１０とともに実行され得る。
【０１８１】
[0203]ＵＥワイヤレス通信管理構成要素１５６０は、免許要の無線周波数スペクトル帯域および／または免許不要の無線周波数スペクトル帯域を通じたワイヤレス通信に関する、図１、図２、図３、図４、図５、図６、図７、図８、図９、図１０、および／または図１１を参照して説明されたＵＥおよび／または装置の特徴および機能の一部またはすべてを実行および／または制御するように構成され得る。たとえば、ＵＥワイヤレス通信管理構成要素１５６０は、免許要の無線周波数スペクトル帯域および／または免許不要の無線周波数スペクトル帯域を使用して、補助ダウンリンクモード、キャリアアグリゲーションモード、および／またはスタンドアロンモードをサポートするように構成され得る。ＵＥワイヤレス通信管理構成要素１５６０は、免許要の無線周波数スペクトル帯域におけるＬＴＥ／ＬＴＥ−Ａ通信を扱うように構成された免許要のＲＦスペクトル帯域のためのＵＥ  ＬＴＥ／ＬＴＥ−Ａ構成要素１５６５と、免許不要の無線周波数スペクトル帯域におけるＬＴＥ／ＬＴＥ−Ａ通信を扱うように構成された免許不要のＲＦスペクトル帯域のためのＵＥ  ＬＴＥ／ＬＴＥ−Ａ構成要素１５７０とを含み得る。ＵＥワイヤレス通信管理構成要素１５６０もしくはそれの部分は、プロセッサを含んでよく、ならびに／またはＵＥワイヤレス通信管理構成要素１５６０の機能の一部もしくはすべては、ＵＥプロセッサ１５１０によって、および／もしくはＵＥプロセッサ１５１０とともに実行され得る。いくつかの例では、ＵＥワイヤレス通信管理構成要素１５６０は、図９、図１０、および／または図１１を参照して説明されたワイヤレス通信管理構成要素９２０、１０２０、および／または１１２０の例であり得る。
【０１８２】
[0204]図１６は、本開示の様々な態様による、ワイヤレス通信において使用するための基地局１６０５（たとえば、ｅＮＢの一部またはすべてを形成する基地局）のブロック図１６００を示す。いくつかの例では、基地局１６０５は、図１および／もしくは図２を参照して説明された基地局１０５、２０５、および／または２０５−ａのうちの１つもしくは複数の態様、ならびに／または図１２、図１３、および／もしくは図１４を参照して説明された装置１２０５、１３０５、および／もしくは１４０５のうちの１つもしくは複数の態様の例であり得る。基地局１６０５は、図１、図２、図３、図４、図５、図６、図７、図８、図１２、図１３、および／または図１４を参照して説明された基地局、送信装置、および／または受信装置の特徴および機能の少なくとも一部をインプリメントまたは支援するように構成され得る。
【０１８３】
[0205]基地局１６０５は、基地局プロセッサ１６１０、基地局メモリ１６２０、（基地局トランシーバ１６５０によって表される）少なくとも１つの基地局トランシーバ、（基地局アンテナ１６５５によって表される）少なくとも１つの基地局アンテナ、および／または基地局ワイヤレス通信管理構成要素１６６０を含み得る。基地局１６０５はまた、基地局通信構成要素１６３０および／またはネットワーク通信構成要素１６４０のうちの１つまたは複数を含み得る。これらの構成要素の各々は、１つまたは複数のバス１６３５を通じて、直接または間接的に互いに通信していることがある。
【０１８４】
[0206]基地局メモリ１６２０は、ＲＡＭおよび／またはＲＯＭを含み得る。基地局メモリ１６２０は、実行されると、タイミングウィンドウ、同期信号、および／またはタイミング情報の送信を含む、ワイヤレス通信に関する本明細書で説明される様々な機能を基地局プロセッサ１６１０に実行させるように構成された命令を含む、コンピュータ可読のコンピュータ実行可能コード１６２５を記憶し得る。代替的に、コード１６２５は、基地局プロセッサ１６１０によって直接的に実行可能ではないことがあるが、（たとえば、コンパイルされ実行されると）本明細書で説明される様々な機能を基地局１６０５に実行させるように構成され得る。
【０１８５】
[0207]基地局プロセッサ１６１０は、インテリジェントハードウェアデバイス、たとえば、ＣＰＵ、マイクロコントローラ、ＡＳＩＣなどを含み得る。基地局プロセッサ１６１０は、基地局トランシーバ１６５０、基地局通信構成要素１６３０、および／またはネットワーク通信構成要素１６４０を通じて受信された情報を処理し得る。基地局プロセッサ１６１０はまた、アンテナ１６５５を通じた送信のためにトランシーバ１６５０に、１つもしくは複数の他の基地局１６０５−ａおよび１６０５−ｂへの送信のために基地局通信構成要素１６３０に、ならびに／または図１を参照して説明されたコアネットワーク１３０の１つもしくは複数の態様の例であり得るコアネットワーク１６４５への送信のためにネットワーク通信構成要素１６４０に送られるべき情報を処理し得る。基地局プロセッサ１６１０は、単独でまたは基地局ワイヤレス通信管理構成要素１６６０とともに、免許要の無線周波数スペクトル帯域（たとえば、ＬＴＥ／ＬＴＥ−Ａ通信のために使用可能な免許要の無線周波数スペクトル帯域のような、特定の用途のために特定のユーザに免許が与えられているので、送信装置がアクセスを争わなくてよい無線周波数スペクトル帯域）および／または免許不要の無線周波数スペクトル帯域（たとえば、Ｗｉ−Ｆｉ用途のような免許不要の用途に利用可能であるので、送信装置がアクセスを争い得る無線周波数スペクトル帯域）を通じて通信すること（あるいはその帯域を通じた通信を管理すること）の様々な態様を扱い得る。
【０１８６】
[0208]基地局トランシーバ１６５０は、パケットを変調し、変調されたパケットを送信のために基地局アンテナ１６５５に与え、基地局アンテナ１６５５から受信されたパケットを復調するように構成されたモデムを含み得る。基地局トランシーバ１６５０は、いくつかの例では、１つまたは複数の基地局送信機および１つまたは複数の別個の基地局受信機としてインプリメントされ得る。基地局トランシーバ１６５０は、免許要の無線周波数スペクトル帯域および／または免許不要の無線周波数スペクトル帯域における通信をサポートし得る。基地局トランシーバ１６５０は、図１、図２、および／または図１５を参照して説明されたＵＥ１１５、２１５−ａ、２１５−ｂ、２１５−ｃ、および／または１５１５のうちの１つまたは複数のような、１つまたは複数のＵＥと、アンテナ１６５５を介して双方向に通信するように構成され得る。基地局１６０５は、たとえば、複数の基地局アンテナ１６５５（たとえば、アンテナアレイ）を含み得る。基地局１６０５は、ネットワーク通信構成要素１６４０を通じてコアネットワーク１６４５と通信し得る。基地局１６０５はまた、基地局通信構成要素１６３０を使用して、基地局１６０５−ａおよび１６０５−ｂのような他の基地局と通信し得る。
【０１８７】
[0209]基地局ワイヤレス通信管理構成要素１６６０は、免許要の無線周波数スペクトル帯域および／または免許不要の無線周波数スペクトル帯域を通じたワイヤレス通信に関する、図１、図２、図３、図４、図５、図６、図７、図８、図１２、図１３、および／または図１４を参照して説明された基地局および／または装置の特徴および機能の一部またはすべてを実行および／または制御するように構成され得る。たとえば、基地局ワイヤレス通信管理構成要素１６６０は、免許要の無線周波数スペクトル帯域および／または免許不要の無線周波数スペクトル帯域を使用して、補助ダウンリンクモード、キャリアアグリゲーションモード、および／またはスタンドアロンモードをサポートするように構成され得る。基地局ワイヤレス通信管理構成要素１６６０は、免許要の無線周波数スペクトル帯域におけるＬＴＥ／ＬＴＥ−Ａ通信を扱うように構成された免許要のＲＦスペクトル帯域のための基地局ＬＴＥ／ＬＴＥ−Ａ構成要素１６６５と、免許不要の無線周波数スペクトル帯域におけるＬＴＥ／ＬＴＥ−Ａ通信を扱うように構成された免許不要のＲＦスペクトル帯域のための基地局ＬＴＥ／ＬＴＥ−Ａ構成要素１６７０とを含み得る。基地局ワイヤレス通信管理構成要素１６６０もしくはそれの部分は、プロセッサを含んでよく、ならびに／または基地局ワイヤレス通信管理構成要素１６６０の機能の一部もしくはすべては、基地局プロセッサ１６１０によって、および／もしくは基地局プロセッサ１６１０とともに実行され得る。いくつかの例では、基地局ワイヤレス通信管理構成要素１６６０は、図１２、図１３、および／または図１４を参照して説明されたワイヤレス通信管理構成要素１２２０、１３２０、および／または１４２０の例であり得る。
【０１８８】
[0210]図１７は、本開示の様々な態様による、ワイヤレス通信のための方法１７００の例を示すフローチャートである。明快にするために、方法１７００は、図１、図２、および／もしくは図１５を参照して説明されたＵＥ１１５、２１５、２１５−ａ、２１５−ｂ、２１５−ｃ、および／もしくは１５１５のうちの１つもしくは複数の態様、ならびに／または図９および／もしくは図１０を参照して説明された装置９１５および／もしくは１０１５のうちの１つもしくは複数の態様を参照して以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して、以下で説明される機能のうちの１つまたは複数を実行し得る。
【０１８９】
[0211]ブロック１７０５において、方法１７００は、ＵＥにおいて免許不要の無線周波数スペクトル帯域を通じて、同期信号の送信に関連付けられる時間ウィンドウのインジケーションを受信することを含み得る。いくつかの例では、免許不要の無線周波数スペクトル帯域は、Ｗｉ−Ｆｉ用途のような免許不要の用途に利用可能であるので装置がアクセスを争い得る無線周波数スペクトル帯域を含み得る。いくつかの例では、時間ウィンドウのインジケーションは、ＳＩＢおよび／またはＭＩＢにおいて受信され得る。いくつかの例では、時間ウィンドウのインジケーションは、ＲＲＣメッセージにおいて受信され得る。いくつかの例では、同期信号は、ＰＳＳ、ＳＳＳ、ＣＲＳ（たとえば、ｅＣＲＳ）、および／またはＣＳＩ−ＲＳを含み得る。ブロック１７０５における動作は、図９、図１０、および／もしくは図１５を参照して説明されたワイヤレス通信管理構成要素９２０、１０２０、および／もしくは１５６０、ならびに／または図９および／もしくは図１０を参照して説明された時間ウィンドウ管理構成要素９３５および／もしくは１０３５を使用して実行され得る。
【０１９０】
[0212]ブロック１７１０において、方法１７００は、基地局（たとえば、ｅＮＢの基地局）から同期信号を受信するために、時間ウィンドウの間に免許不要の無線周波数スペクトル帯域をモニタすることを含み得る。ブロック１７１０における動作は、図９、図１０、および／もしくは図１５を参照して説明されたワイヤレス通信管理構成要素９２０、１０２０、および／もしくは１５６０、ならびに／または図９および／もしくは図１０を参照して説明された同期信号モニタ構成要素９４０および／もしくは１０５０を使用して実行され得る。
【０１９１】
[0213]このようにして、方法１７００はワイヤレス通信を提供し得る。方法１７００は一実装形態にすぎず、方法１７００の動作は、他の実装形態が可能であるように再構成されるか、または別の方法で修正され得ることに留意されたい。
【０１９２】
[0214]図１８は、本開示の様々な態様による、ワイヤレス通信のための方法１８００の例を示すフローチャートである。明快にするために、方法１８００は、図１、図２、および／もしくは図１５を参照して説明されたＵＥ１１５、２１５、２１５−ａ、２１５−ｂ、２１５−ｃ、および／もしくは１５１５のうちの１つもしくは複数の態様、ならびに／または図９および／もしくは図１０を参照して説明された装置９１５および／もしくは１０１５のうちの１つもしくは複数の態様を参照して以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して、以下で説明される機能のうちの１つまたは複数を実行し得る。
【０１９３】
[0215]ブロック１８０５において、方法１８００は、ＵＥにおいて免許不要の無線周波数スペクトル帯域を通じて、同期信号の送信に関連付けられる時間ウィンドウのインジケーションを受信することを含み得る。いくつかの例では、免許不要の無線周波数スペクトル帯域は、Ｗｉ−Ｆｉ用途のような免許不要の用途に利用可能であるので装置がアクセスを争い得る無線周波数スペクトル帯域を含み得る。いくつかの例では、時間ウィンドウのインジケーションは、ＳＩＢおよび／またはＭＩＢにおいて受信され得る。いくつかの例では、時間ウィンドウのインジケーションは、ＲＲＣメッセージにおいて受信され得る。いくつかの例では、同期信号は、ＰＳＳ、ＳＳＳ、ＣＲＳ（たとえば、ｅＣＲＳ）、および／またはＣＳＩ−ＲＳを含み得る。ブロック１８０５における動作は、図９、図１０、および／もしくは図１５を参照して説明されたワイヤレス通信管理構成要素９２０、１０２０、および／もしくは１５６０、ならびに／または図９および／もしくは図１０を参照して説明された時間ウィンドウ管理構成要素９３５および／もしくは１０３５を使用して実行され得る。
【０１９４】
[0216]ブロック１８１０において、方法１８００は、基地局（たとえば、ｅＮＢの基地局）から同期信号を受信するために、免許不要の無線周波数スペクトル帯域をモニタすることを含み得る。いくつかの例では、モニタすることは、時間ウィンドウの前にＵＥの受信機をスリープ状態からウェイクアップさせることを含み得る。ブロック１８１０における動作は、図９、図１０、および／もしくは図１５を参照して説明されたワイヤレス通信管理構成要素９２０、１０２０、および／もしくは１５６０、ならびに／または図９および／もしくは図１０を参照して説明された同期信号モニタ構成要素９４０および／もしくは１０５０を使用して実行され得る。
【０１９５】
[0217]いくつかの例では、ブロック１８１０において実行されるモニタは、時間ウィンドウの間に免許不要の無線周波数スペクトル帯域をモニタすること、基地局のＣＥＴの間に免許不要の無線周波数スペクトル帯域をモニタすること、および／または周期固定サブフレームロケーションの間に免許不要の無線周波数スペクトル帯域をモニタすることを含み得る。いくつかの例では、時間ウィンドウは、基地局の少なくとも１つのＣＥＴに取って代わり得る。
【０１９６】
[0218]ブロック１８１５において、方法１８００は、時間ウィンドウの間に基地局から同期信号を受信することを含み得る。ブロック１８１５における動作は、図９、図１０、および／もしくは図１５を参照して説明されたワイヤレス通信管理構成要素９２０、１０２０、および／もしくは１５６０、図９および／もしくは図１０を参照して説明された同期信号モニタ構成要素９４０および／もしくは１０５０、ならびに／または図１０を参照して説明された同期信号処理構成要素１０６０を使用して実行され得る。
【０１９７】
[0219]ブロック１８２０において、方法１８００は、時間ウィンドウの間に、基地局からタイミング情報を受信することを含み得る。いくつかの例では、タイミング情報は、基地局の現在のフレーム、基地局の現在のサブフレーム、および／または現在のシンボルのインジケーションを含み得る。同じくまたは代替的に、ブロック１８２０において、方法１８００は、時間ウィンドウの間に基地局に関するシステム情報を受信することを含み得る。システム情報は、ＳＩＢおよび／またはＭＩＢにおいて受信され得る。ブロック１８２０における動作は、図９、図１０、および／もしくは図１５を参照して説明されたワイヤレス通信管理構成要素９２０、１０２０、および／もしくは１５６０、ならびに／または図１０を参照して説明されたタイミング情報処理構成要素１０７０を使用して実行され得る。
【０１９８】
[0220]ブロック１８２５において、方法１８００は、基地局のＣＥＴの間に基地局から同期信号を受信することを含み得る。ブロック１８２５における動作は、図９、図１０、および／もしくは図１５を参照して説明されたワイヤレス通信管理構成要素９２０、１０２０、および／もしくは１５６０、図９および／もしくは図１０を参照して説明された同期信号モニタ構成要素９４０および／もしくは１０５０、ならびに／または図１０を参照して説明された同期信号処理構成要素１０６０を使用して実行され得る。
【０１９９】
[0221]ブロック１８３０において、方法１８００は、周期固定サブフレームロケーションの間にＣＣＡに従った同期信号の送信を受信することを含み得る。ブロック１８３０における動作は、図９、図１０、および／もしくは図１５を参照して説明されたワイヤレス通信管理構成要素９２０、１０２０、および／もしくは１５６０、図９および／もしくは図１０を参照して説明された同期信号モニタ構成要素９４０および／もしくは１０５０、ならびに／または図１０を参照して説明された同期信号処理構成要素１０６０を使用して実行され得る。
【０２００】
[0222]方法１８００のいくつかの例では、ブロック１８０５においてインジケーションが受信される時間ウィンドウは、ブロック１８３０において受信されるＣＣＡに従った送信とは異なる、免許不要の無線周波数スペクトル帯域のサブキャリア周波数のセットに関連付けられ得る。方法１８００の同じ例または代替例では、時間ウィンドウは、ブロック１８１０においてモニタされる周期固定サブフレームロケーションと時間的に重複し得る。
【０２０１】
[0223]ブロック１８３５において、方法１８００は、ブロック１８１５において受信された同期信号に対してＲＲＭ測定を実行することを含み得る。ブロック１８３５における動作は、図９、図１０、および／もしくは図１５を参照して説明されたワイヤレス通信管理構成要素９２０、１０２０、および／もしくは１５６０、ならびに／または図１０を参照して説明された同期信号処理構成要素１０６０および／もしくは測定構成要素１０６５を使用して実行され得る。
【０２０２】
[0224]ブロック１８４０において、方法１８００は、ブロック１８２０において受信されたタイミング情報に少なくとも部分的に基づいて、ＵＥを基地局と同期させることを含み得る。同期はまた、ブロック１８３５において実行されたＲＲＭ測定に少なくとも部分的に基づき得る。ブロック１８４０における動作は、図９、図１０、および／もしくは図１５を参照して説明されたワイヤレス通信管理構成要素９２０、１０２０、および／もしくは１５６０、ならびに／または図１０を参照して説明された同期構成要素１０７５を使用して実行され得る。
【０２０３】
[0225]このようにして、方法１８００はワイヤレス通信を提供し得る。方法１８００は一実装形態にすぎず、方法１８００の動作は、他の実装形態が可能であるように再構成されるか、または別の方法で修正され得ることに留意されたい。
【０２０４】
[0226]図１９は、本開示の様々な態様による、ワイヤレス通信のための方法１９００の例を示すフローチャートである。明快にするために、方法１９００は、図１、図２、および／もしくは図１５を参照して説明されたＵＥ１１５、２１５、２１５−ａ、２１５−ｂ、２１５−ｃ、および／もしくは１５１５のうちの１つもしくは複数の態様、ならびに／または図１０および／もしくは図１１を参照して説明された装置１０１５および／もしくは１１１５のうちの１つもしくは複数の態様を参照して以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して、以下で説明される機能のうちの１つまたは複数を実行し得る。
【０２０５】
[0227]ブロック１９０５において、方法１９００は、ＵＥにおいて、基地局（たとえば、ｅＮＢの基地局）から同期信号の送信を受信するために、免許不要の無線周波数スペクトル帯域をモニタすることを含み得る。いくつかの例では、免許不要の無線周波数スペクトル帯域は、Ｗｉ−Ｆｉ用途のような免許不要の用途に利用可能であるので装置がアクセスを争い得る無線周波数スペクトル帯域を含み得る。いくつかの例では、同期信号は、ＰＳＳ、ＳＳＳ、ＣＲＳ（たとえば、ｅＣＲＳ）、および／またはＣＳＩ−ＲＳを含み得る。ブロック１９１５における動作は、図１０、図１１、および／もしくは図１５を参照して説明されたワイヤレス通信管理構成要素１０２０、１１２０、および／もしくは１５６０、ならびに／または図１０および／もしくは図１１を参照して説明された同期信号モニタ構成要素１０５０および／もしくは１１３５を使用して実行され得る。
【０２０６】
[0228]ブロック１９１０において、方法１９００は、基地局から同期信号を受信することを含み得る。いくつかの例では、同期信号の送信は非同期的に受信され得る。いくつかの例では、同期信号は、タイミング情報とともに受信され得る。タイミング情報は、基地局の現在のフレームおよび基地局の現在のサブフレームの（たとえば、同期信号のサブフレーム同期送信に関する）インジケーションを含み得る。いくつかの例では、タイミング情報は、基地局の現在のフレーム、基地局の現在のサブフレーム、および／または現在のシンボルの（たとえば、同期信号のサブフレーム非同期およびＯＦＤＭシンボル同期送信に関する）インジケーションを含み得る。ブロック１９１０における動作は、図１０、図１１、および／もしくは図１５を参照して説明されたワイヤレス通信管理構成要素１０２０、１１２０、および／もしくは１５６０、ならびに／または図１０および／もしくは図１１を参照して説明されたタイミング情報処理構成要素１０７０および／もしくは１１４０を使用して実行され得る。
【０２０７】
[0229]いくつかの例では、方法１９００は、ブロック１９１０において受信された同期信号に対してＲＲＭ測定を実行することを含み得る。
【０２０８】
[0230]いくつかの例では、方法１９００は、ブロック１９１０において受信されたタイミング情報に少なくとも部分的に基づいて、ＵＥを基地局と同期させることを含み得る。同期はまた、同期信号に対するＲＲＭ測定に少なくとも部分的に基づき得る。
【０２０９】
[0231]いくつかの例では、方法１９００は、同期信号とともに基地局に関するシステム情報を受信することを含み得る。システム情報は、ＳＩＢおよび／またはＭＩＢにおいて受信され得る。
【０２１０】
[0232]このようにして、方法１９００はワイヤレス通信を提供し得る。方法１９００は一実装形態にすぎず、方法１９００の動作は、他の実装形態が可能であるように再構成されるか、または別の方法で修正され得ることに留意されたい。
【０２１１】
[0233]いくつかの例では、図１７、図１８、および／または図１９を参照して説明された方法１７００、１８００、および／または１９００のうちの１つまたは複数の態様が組み合わせられ得る。
【０２１２】
[0234]図２０は、本開示の様々な態様による、ワイヤレス通信のための方法２０００の例を示すフローチャートである。明快にするために、方法２０００は、図１、図２、および／もしくは図１６を参照して説明された基地局１０５、２０５、２０５−ａ、および／もしくは１６０５のうちの１つもしくは複数の態様、ならびに／または図１２および／もしくは図１３を参照して説明された装置１２０５および／もしくは１３０５のうちの１つもしくは複数の態様を参照して以下で説明される。いくつかの例では、基地局（たとえば、ｅＮＢの基地局）または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０２１３】
[0235]ブロック２００５において、方法２０００は、同期信号の送信に関連付けられる時間ウィンドウのインジケーションを送信することを含み得る。時間ウィンドウのインジケーションは、免許不要の無線周波数スペクトル帯域を通じて送信され得る。いくつかの例では、免許不要の無線周波数スペクトル帯域は、Ｗｉ−Ｆｉ用途のような免許不要の用途に利用可能であるので装置がアクセスを争い得る無線周波数スペクトル帯域を含み得る。いくつかの例では、時間ウィンドウのインジケーションは、ＳＩＢおよび／またはＭＩＢにおいて送信され得る。いくつかの例では、時間ウィンドウのインジケーションは、ＲＲＣメッセージにおいて送信され得る。いくつかの例では、同期信号は、ＰＳＳ、ＳＳＳ、ＣＲＳ（たとえば、ｅＣＲＳ）、および／またはＣＳＩ−ＲＳを含み得る。ブロック２００５における動作は、図１２、図１３、および／もしくは図１６を参照して説明されたワイヤレス通信管理構成要素１２２０、１３２０、および／もしくは１６６０、ならびに／または図１２および／もしくは図１３を参照して説明された時間ウィンドウ管理構成要素１２３５および／もしくは１３３５を使用して実行され得る。
【０２１４】
[0236]ブロック２０１０において、方法２０００は、時間ウィンドウの間に免許不要の無線周波数スペクトル帯域に対していくつかのＣＣＡを実行することを含み得る。いくつかの例では、いくつかのＣＣＡは、単一のＣＣＡを含み得る。いくつかの例では、いくつかのＣＣＡは、複数のＣＣＡを含み得る。ブロック２０１０における動作は、図１２、図１３、および／もしくは図１６を参照して説明されたワイヤレス通信管理構成要素１２２０、１３２０、および／もしくは１６６０、ならびに／または図１２および／もしくは図１３を参照して説明されたＣＣＡ管理構成要素１２４０および／もしくは１３４５を使用して実行され得る。
【０２１５】
[0237]ブロック２０１５において、方法２０００は、時間ウィンドウの間の送信時間に免許不要の無線周波数スペクトル帯域を通じて同期信号を送信することを含み得る。送信時間は、ブロック２０１０において実行されたＣＣＡのうちの少なくとも１つの結果に少なくとも部分的に基づき得る。ブロック２０１５における動作は、図１２、図１３、および／もしくは図１６を参照して説明されたワイヤレス通信管理構成要素１２２０、１３２０、および／もしくは１６６０、図１２および／もしくは図１３を参照して説明された同期信号管理構成要素１２４５および／もしくは１３５５、ならびに／または図１３を参照して説明された送信管理構成要素１３５０を使用して実行され得る。
【０２１６】
[0238]このようにして、方法２０００はワイヤレス通信を提供し得る。方法２０００は一実装形態にすぎず、方法２０００の動作は、他の実装形態が可能であるように再構成されるか、または別の方法で修正され得ることに留意されたい。
【０２１７】
[0239]図２１は、本開示の様々な態様による、ワイヤレス通信のための方法２１００の例を示すフローチャートである。明快にするために、方法２１００は、図１、図２、および／もしくは図１６を参照して説明された基地局１０５、２０５、２０５−ａ、および／もしくは１６０５のうちの１つもしくは複数の態様、ならびに／または図１２および／もしくは図１３を参照して説明された装置１２０５、１３０５、および／もしくは１４０５のうちの１つもしくは複数の態様を参照して以下で説明される。いくつかの例では、基地局（たとえば、ｅＮＢの基地局）または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０２１８】
[0240]ブロック２１０５において、方法２１００は、同期信号の送信に関連付けられる時間ウィンドウのインジケーションを送信することを含み得る。時間ウィンドウのインジケーションは、免許不要の無線周波数スペクトル帯域を通じて送信され得る。いくつかの例では、免許不要の無線周波数スペクトル帯域は、Ｗｉ−Ｆｉ用途のような免許不要の用途に利用可能であるので装置がアクセスを争い得る無線周波数スペクトル帯域を含み得る。いくつかの例では、時間ウィンドウのインジケーションは、ＳＩＢおよび／またはＭＩＢにおいて送信され得る。いくつかの例では、時間ウィンドウのインジケーションは、ＲＲＣメッセージにおいて送信され得る。いくつかの例では、時間ウィンドウは、基地局の少なくとも１つのＣＥＴに取って代わり得る。いくつかの例では、同期信号は、ＰＳＳ、ＳＳＳ、および／またはＣＲＳ（たとえば、ｅＣＲＳ）を含み得る。ブロック２１０５における動作は、図１２、図１３、および／もしくは図１６を参照して説明されたワイヤレス通信管理構成要素１２２０、１３２０、および／もしくは１６６０、ならびに／または図１２および／もしくは図１３を参照して説明された時間ウィンドウ管理構成要素１２３５および／もしくは１３３５を使用して実行され得る。
【０２１９】
[0241]ブロック２１１０、ブロック２１１５、および／またはブロック２１２０において、方法２１００は、時間ウィンドウの間に免許不要の無線周波数スペクトル帯域に対していくつかのＣＣＡを実行することを含み得る。より具体的には，ブロック２１１０において、方法２１００は、時間ウィンドウの間に免許不要の無線周波数スペクトル帯域に対してＣＣＡを実行することを含み得る。ブロック２１１５において、方法２１００は、ＣＣＡが成功したかどうかを決定することを含み得る。ＣＣＡが成功したと決定されたとき、方法２１００はブロック２１２５に進み得る。ＣＣＡが成功しなかったと決定されたとき、方法２１００はブロック２１２０に進み得る。ブロック２１２０において、方法２１００は、時間ウィンドウの間に実行されるべきいくつかのＣＣＡのすべてが実行されたかどうかを決定することを含み得る。いくつかの例では、いくつかのＣＣＡは、単一のＣＣＡを含み得る。いくつかの例では、いくつかのＣＣＡは、複数のＣＣＡを含み得る。いくつかのＣＣＡのうちの少なくとも１つのＣＣＡがまだ実行されていないと決定されたとき、方法２１００は、ブロック２１１０においていくつかのＣＣＡのうちの次のＣＣＡを実行することを含み得る。いくつかのＣＣＡにおけるＣＣＡの各々がすでに実行されたと決定され、および／または時間ウィンドウの間に実行されたいくつかのＣＣＡのうちのいずれも成功しなかったと決定されたとき、方法２１００はブロック２１２５に進み得る。ブロック２１１０、２１１５、および／または２１２０における動作は、図１２、図１３、および／もしくは図１６を参照して説明されたワイヤレス通信管理構成要素１２２０、１３２０、および／もしくは１６６０、ならびに／または図１２および／もしくは図１３を参照して説明されたＣＣＡ管理構成要素１２４０および／もしくは１３４５を使用して実行され得る。
【０２２０】
[0242]ブロック２１２５において、方法２１００は、同期信号が送信されることになるサブフレームに関するＤＣＩを送信することを含み得る。ＤＣＩは、サブフレームにおいて同期信号を送信するために使用されることになる少なくとも１つのリソースをシグナリングし得る。ブロック２１２５における動作は、図１２、図１３、および／もしくは図１６を参照して説明されたワイヤレス通信管理構成要素１２２０、１３２０、および／もしくは１６６０、ならびに／または図１３を参照して説明された送信管理構成要素１３５０および／もしくは情報管理構成要素１３６０を使用して実行され得る。
【０２２１】
[0243]ブロック２１３０において、方法２１００は、時間ウィンドウの間の送信時間に免許不要の無線周波数スペクトル帯域を通じて同期信号を送信することを含み得る。送信時間は、ブロック２１１０において実行されたＣＣＡのうちの少なくとも１つの結果に少なくとも部分的に基づき得る。いくつかの例では、送信時間は、ブロック２１１５において識別される、ブロック２１１０において時間ウィンドウの間に実行されたＣＣＡのうちの最初の成功したものに後続し得る。いくつかの例では、送信時間は、ブロック２１２０において識別される、ブロック２１１０において時間ウィンドウの間に実行されたＣＣＡのうちの最後の不成功のものに後続し得、および／または送信時間は、時間ウィンドウの終わりに発生し得る。ブロック２１３０における動作は、図１２、図１３、および／もしくは図１６を参照して説明されたワイヤレス通信管理構成要素１２２０、１３２０、および／もしくは１６６０、図１２および／もしくは図１３を参照して説明された同期信号管理構成要素１２４５および／もしくは１３５５、ならびに／または図１３を参照して説明された送信管理構成要素１３５０を使用して実行され得る。
【０２２２】
[0244]ブロック２１３５において、方法２１００は、時間ウィンドウの間にタイミング情報を送信することを含み得る。いくつかの例では、タイミング情報は、基地局の現在のフレーム、基地局の現在のサブフレーム、および／または現在のシンボルのインジケーションを含み得る。同じくまたは代替的に、ブロック２１３５において、方法２１００は、時間ウィンドウの間に基地局に関するシステム情報を送信することを含み得る。いくつかの例では、システム情報は、ＳＩＢおよび／またはＭＩＢにおいて送信され得る。ブロック２１３５における動作は、図１２、図１３、および／もしくは図１６を参照して説明されたワイヤレス通信管理構成要素１２２０、１３２０、および／もしくは１６６０、ならびに／または図１３を参照して説明された送信管理構成要素１３５０および／もしくは情報管理構成要素１３６０を使用して実行され得る。
【０２２３】
[0245]ブロック２１４０において、方法２１００は、ＣＥＴの間に免許不要の無線周波数スペクトル帯域を通じて同期信号を送信することを含み得る。同じくまたは代替的に、ブロック２１４０において、方法２１００は、周期固定サブフレームロケーションの間に、機会主義的に免許不要の無線周波数スペクトル帯域を通じて同期信号を送信することを含み得る。いくつかの例では、時間ウィンドウは、ＣＣＡに従った送信とは異なる、免許不要の無線周波数スペクトル帯域のサブキャリア周波数のセットに関連付けられ得る。いくつかの例では、時間ウィンドウは、基地局の周期固定サブフレームロケーションと時間的に重複し得る。ブロック２１４０における動作は、図１２、図１３、および／もしくは図１６を参照して説明されたワイヤレス通信管理構成要素１２２０、１３２０、および／もしくは１６６０、図１２および／もしくは図１３を参照して説明された同期信号管理構成要素１２４５および／もしくは１３５５、ならびに／または図１３を参照して説明されたＣＥＴ管理構成要素１３４０および／もしくは送信管理構成要素１３５０を使用して実行され得る。
【０２２４】
[0246]このようにして、方法２１００はワイヤレス通信を提供し得る。方法２１００は一実装形態にすぎず、方法２１００の動作は、他の実装形態が可能であるように再構成されるか、または別の方法で修正され得ることに留意されたい。
【０２２５】
[0247]図２２は、本開示の様々な態様による、ワイヤレス通信のための方法２２００の例を示すフローチャートである。明快にするために、方法２２００は、図１、図２、および／もしくは図１６を参照して説明された基地局１０５、２０５、２０５−ａ、および／もしくは１６０５のうちの１つもしくは複数の態様、ならびに／または図１３および／もしくは図１４を参照して説明された装置１３０５および／もしくは１４０５のうちの１つもしくは複数の態様を参照して以下で説明される。いくつかの例では、基地局（たとえば、ｅＮＢの基地局）または装置は、以下で説明される機能を実行するように基地局または装置の機能要素を制御するためのコードの１つまたは複数のセットを実行し得る。追加または代替として、基地局または装置は、専用ハードウェアを使用して、以下で説明される機能のうちの１つまたは複数を実行し得る。
【０２２６】
[0248]ブロック２２０５において、方法２２００は、免許不要の無線周波数スペクトル帯域に対していくつかのＣＣＡを実行することを含み得る。いくつかの例では、いくつかのＣＣＡは、複数のＣＣＡを含み得る。いくつかのＣＣＡの各々は、成功するか、または不成功に終わり得る。いくつかの例では、免許不要の無線周波数スペクトル帯域は、Ｗｉ−Ｆｉ用途のような免許不要の用途に利用可能であるので装置がアクセスを争い得る無線周波数スペクトル帯域を含み得る。ブロック２２０５における動作は、図１３、図１４、および／もしくは図１６を参照して説明されたワイヤレス通信管理構成要素１３２０、１４２０、および／もしくは１６６０、ならびに／または図１３および／もしくは図１４を参照して説明されたＣＣＡ管理構成要素１３４５および／もしくは１４３５を使用して実行され得る。
【０２２７】
[0249]ブロック２２１０において、方法２２００は、ＣＣＡのうちの少なくとも１つの結果に少なくとも部分的に基づく送信時間に、免許不要の無線周波数スペクトル帯域を通じて同期信号を送信することを含み得る。いくつかの例では、同期信号は、ＰＳＳ、ＳＳＳ、ＣＲＳ（たとえば、ｅＣＲＳ）、および／またはＣＳＩ−ＲＳを含み得る。いくつかの例では、方法２２００は、非同期的に同期信号を送信することを含み得る。いくつかの例では、タイミング情報は、同期信号とともに送信され得る。タイミング情報は、基地局の現在のフレームおよび基地局の現在のサブフレームの（たとえば、同期信号のサブフレーム同期送信に関する）インジケーションを含み得る。いくつかの例では、タイミング情報は、基地局の現在のフレーム、基地局の現在のサブフレーム、および／または現在のシンボルの（たとえば、同期信号のサブフレーム非同期およびＯＦＤＭシンボル同期送信に関する）インジケーションを含み得る。いくつかの例では、方法２２００は、ブロック２２０５において実行されたＣＣＡのうちの最初の成功したものを識別することができ、送信時間は、ＣＣＡのうちの最初の成功したものに後続し得る。いくつかの例では、方法２２００は、ブロック２２０５において実行されたＣＣＡのうちのいずれも成功しなかったと決定することを含み得、送信時間は、いくつかのＣＣＡのうちの最後の不成功のものの実行に後続し得る。ブロック２２１０における動作は、図１３、図１４、および／もしくは図１６を参照して説明されたワイヤレス通信管理構成要素１３２０、１４２０、および／もしくは１６６０、図１３を参照して説明された同期信号管理構成要素１３５５および／もしくは情報管理構成要素１３６０、ならびに／または図１４を参照して説明された同期信号およびタイミング情報管理構成要素１４４０を使用して実行され得る。
【０２２８】
[0250]いくつかの例では、方法２２００は、同期信号とともに基地局に関するシステム情報を送信することを含み得る。システム情報は、ＳＩＢおよび／またはＭＩＢにおいて送信され得る。
【０２２９】
[0251]このようにして、方法２２００はワイヤレス通信を提供し得る。方法２２００は一実装形態にすぎず、方法２２００の動作は、他の実装形態が可能であるように再構成されるか、または別の方法で修正され得ることに留意されたい。
【０２３０】
[0252]いくつかの例では、図２０、図２１、および／または図２２を参照して説明された方法２０００、２１００、および／または２２００のうちの１つまたは複数の態様が組み合わせられ得る。
【０２３１】
[0253]本明細書で説明された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。「システム」および「ネットワーク」という用語は、しばしば互換的に使用される。ＣＤＭＡシステムは、ＣＤＭＡ２０００、ユニバーサルテレストリアル無線アクセス（ＵＴＲＡ：Universal Terrestrial Radio Access）などのような無線技術をインプリメントし得る。ＣＤＭＡ２０００は、ＩＳ−２０００、ＩＳ−９５、およびＩＳ−８５６規格をカバーする。ＩＳ−２０００  Ｒｅｌｅａｓｅ０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、グローバルシステムフォーモバイルコミュニケーション（ＧＳＭ（登録商標）：Global System for Mobile Communications）のような無線技術をインプリメントし得る。ＯＦＤＭＡシステムは、ウルトラモバイルブロードバンド（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などのような無線技術をインプリメントし得る。ＵＴＲＡおよびＥ−ＵＴＲＡはユニバーサルモバイルテレコミュニケーションシステム（ＵＭＴＳ）の一部である。ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））と称する組織からの文書に記載されている。ＣＤＭＡ２０００およびＵＭＢは、「第３世代パートナーシッププロジェクト２」（３ＧＰＰ２）と称する組織からの文書に記載されている。本明細書で説明された技法は、免許不要のおよび／または共有帯域幅を通じたセルラー（たとえば、ＬＴＥ）通信を含む、上述のシステムおよび無線技術、ならびに他のシステムおよび無線技術のために使用され得る。しかしながら、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａの適用例以外に適用可能である。
【０２３２】
[0254]添付の図面に関して上に記載された発明を実施するための形態は、例について説明しており、インプリメントされ得るまたは特許請求の範囲内に入る例のすべてを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明された技法の理解をもたらすための具体的な詳細を含む。しかしながら、これらの技法は、これらの具体的な詳細なしに実践され得る。いくつかの事例では、説明された例の概念を不明瞭にすることを避けるために、よく知られている構造および装置は、ブロック図の形態で示されている。
【０２３３】
[0255]情報および信号は、種々の異なる技術および技法のいずれかを使用して表され得る。たとえば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０２３４】
[0256]本明細書の開示に関して説明された様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つもしくは複数のマイクロプロセッサ、または任意の他のそのような構成としてもインプリメントされ得る。
【０２３５】
[0257]本明細書で説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、機能は、１つまたは複数の命令またはコードとしてコンピュータ可読媒体上に記憶されるか、またはコンピュータ可読媒体を通じて送信され得る。他の例および実装形態は、本開示の範囲内および添付の特許請求の範囲内に入る。たとえば、ソフトウェアの性質に起因して、上述された機能は、プロセッサ、ハードウェア、ファームウェア、ハードワイヤリング、またはこれらのいずれかの組合せによって実行されるソフトウェアを使用してインプリメントされ得る。機能をインプリメントする特徴はまた、様々な物理的位置において機能の部分がインプリメントされるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」のような句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２３６】
[0258]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、フラッシュメモリ、コンパクトディスク（ＣＤ）−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用コンピュータもしくは専用コンピュータ、または汎用プロセッサもしくは専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２３７】
[0259]本開示の前述の説明は、当業者が本開示を作成または使用することができるように提供される。本開示の様々な変更が当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。
【図１】
2020036323.tif 000003
【図２】
2020036323.tif 000004
【図３】
2020036323.tif 000005
【図４】
2020036323.tif 000006
【図５】
2020036323.tif 000007
【図６】
2020036323.tif 000008
【図７】
2020036323.tif 000009
【図８】
2020036323.tif 000010
【図９】
2020036323.tif 000011
【図１０】
2020036323.tif 000012
【図１１】
2020036323.tif 000013
【図１２】
2020036323.tif 000014
【図１３】
2020036323.tif 000015
【図１４】
2020036323.tif 000016
【図１５】
2020036323.tif 000017
【図１６】
2020036323.tif 000018
【図１７】
2020036323.tif 000019
【図１８】
2020036323.tif 000020
【図１９】
2020036323.tif 000021
【図２０】
2020036323.tif 000022
【図２１】
2020036323.tif 000023
【図２２】
2020036323.tif 000024
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）において、同期信号の送信に関連付けられる時間ウィンドウのインジケーションを受信することと、
基地局から前記同期信号を受信するために、前記時間ウィンドウの間に共有無線周波数スペクトル帯域をモニタすること、ここにおいて、前記時間ウィンドウは、１つまたは複数の周期固定サブフレームロケーションを備え、前記同期信号は、前記基地局からのクリアチャネルアセスメント（ＣＣＡ）に従う、と
を備える、方法。
【請求項２】
前記時間ウィンドウの間に前記共有無線周波数スペクトル帯域をモニタすることは、
前記時間ウィンドウの前に前記ＵＥの受信機をスリープ状態からウェイクアップさせることを備える、
請求項１に記載の方法。
【請求項３】
前記時間ウィンドウの間に、前記基地局からタイミング情報を受信することをさらに備え、前記タイミング情報が、前記基地局の現在のフレーム、前記基地局の現在のサブフレーム、または現在のシンボルからなるグループからの１つからのインジケーションを備える、
請求項１に記載の方法。
【請求項４】
前記タイミング情報に少なくとも部分的に基づいて、前記ＵＥを前記基地局と同期させることをさらに備える、
請求項３に記載の方法。
【請求項５】
前記基地局から前記同期信号を受信するために、前記基地局のクリアチャネルアセスメント（ＣＣＡ）免除送信（ＣＥＴ）の間に前記共有無線周波数スペクトル帯域をモニタすることをさらに備える、
請求項１に記載の方法。
【請求項６】
前記時間ウィンドウは、ＣＣＡに従った前記送信とは異なる、前記共有無線周波数スペクトル帯域のサブキャリア周波数のセットに関連付けられる、
請求項１に記載の方法。
【請求項７】
前記時間ウィンドウは、前記基地局の少なくとも１つのクリアチャネルアセスメント（ＣＣＡ）免除送信（ＣＥＴ）に取って代わる、
請求項１に記載の方法。
【請求項８】
前記時間ウィンドウの前記インジケーションは、システム情報ブロックまたはマスタ情報ブロックにおいて受信される、
請求項１に記載の方法。
【請求項９】
前記時間ウィンドウの前記インジケーションは、無線リソース制御（ＲＲＣ）メッセージにおいて受信される、
請求項１に記載の方法。
【請求項１０】
前記時間ウィンドウの間に前記基地局に関するシステム情報を受信することをさらに備え、前記システム情報がシステム情報ブロックまたはマスタ情報ブロックにおいて受信される、
請求項１に記載の方法。
【請求項１１】
前記同期信号に対して無線リソース管理測定を実行することをさらに備える、
請求項１に記載の方法。
【請求項１２】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項１に記載の方法。
【請求項１３】
ワイヤレス通信のための装置であって、
ユーザ機器（ＵＥ）において、同期信号の送信に関連付けられる時間ウィンドウのインジケーションを受信するための手段と、
基地局から前記同期信号を受信するために、前記時間ウィンドウの間に共有無線周波数スペクトル帯域をモニタするための手段、ここにおいて、前記時間ウィンドウは、１つまたは複数の周期固定サブフレームロケーションを備え、前記同期信号は、前記基地局からのクリアチャネルアセスメント（ＣＣＡ）に従う、と
を備える、装置。
【請求項１４】
前記時間ウィンドウの間に前記共有無線周波数スペクトル帯域をモニタすることは、
前記時間ウィンドウの前に前記ＵＥの受信機をスリープ状態からウェイクアップさせるための手段を備える、
請求項１３に記載の装置。
【請求項１５】
前記時間ウィンドウの間に、前記基地局からタイミング情報を受信するための手段をさらに備え、前記タイミング情報が、前記基地局の現在のフレーム、前記基地局の現在のサブフレーム、または現在のシンボルからなるグループのうちの１つからのインジケーションを備える、
請求項１３に記載の装置。
【請求項１６】
前記タイミング情報に少なくとも部分的に基づいて、前記ＵＥを前記基地局と同期させるための手段をさらに備える、
請求項１５に記載の装置。
【請求項１７】
前記基地局から前記同期信号を受信するために、前記基地局のクリアチャネルアセスメント（ＣＣＡ）免除送信（ＣＥＴ）の間に前記共有無線周波数スペクトル帯域をモニタするための手段をさらに備える、
請求項１３に記載の装置。
【請求項１８】
前記基地局からＣＣＡに従った前記同期信号の送信を受信するために、周期固定サブフレームロケーションの間に前記共有無線周波数スペクトル帯域をモニタするための手段をさらに備える、
請求項１３に記載の装置。
【請求項１９】
前記時間ウィンドウは、ＣＣＡに従った前記送信とは異なる、前記共有無線周波数スペクトル帯域のサブキャリア周波数のセットに関連付けられる、
請求項１８に記載の装置。
【請求項２０】
前記時間ウィンドウは、前記基地局の少なくとも１つのクリアチャネルアセスメント（ＣＣＡ）免除送信（ＣＥＴ）に取って代わる、
請求項１３に記載の装置。
【請求項２１】
前記時間ウィンドウの前記インジケーションは、システム情報ブロックまたはマスタ情報ブロックにおいて受信される、
請求項１３に記載の装置。
【請求項２２】
前記時間ウィンドウの前記インジケーションは、無線リソース制御（ＲＲＣ）メッセージにおいて受信される、
請求項１３に記載の装置。
【請求項２３】
前記時間ウィンドウの間に前記基地局に関するシステム情報を受信するための手段をさらに備え、前記システム情報がシステム情報ブロックまたはマスタ情報ブロックにおいて受信される、
請求項１３に記載の装置。
【請求項２４】
前記同期信号に対して無線リソース管理測定を実行するための手段をさらに備える、
請求項１３に記載の装置。
【請求項２５】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項１３に記載の装置。
【請求項２６】
ワイヤレス通信のための装置であって、
プロセッサと、
前記プロセッサに結合されたメモリと
を備え、前記プロセッサは、
ユーザ機器（ＵＥ）において、同期信号の送信に関連付けられる時間ウィンドウのインジケーションを受信することと、
基地局から前記同期信号を受信するために、前記時間ウィンドウの間に共有無線周波数スペクトル帯域をモニタすること、ここにおいて、前記時間ウィンドウは、１つまたは複数の周期固定サブフレームロケーションを備え、前記同期信号は、前記基地局からのクリアチャネルアセスメント（ＣＣＡ）に従う、と
を行うように構成される、装置。
【請求項２７】
前記プロセッサは、
前記時間ウィンドウの前に前記ＵＥの受信機をスリープ状態からウェイクアップさせるように構成される、
請求項２６に記載の装置。
【請求項２８】
前記プロセッサは、
前記時間ウィンドウの間に、前記基地局からタイミング情報を受信するように構成され、前記タイミング情報が、前記基地局の現在のフレーム、前記基地局の現在のサブフレーム、または現在のシンボルからなるグループのうちの１つからのインジケーションを備える、
請求項２６に記載の装置。
【請求項２９】
前記プロセッサは、
前記タイミング情報に少なくとも部分的に基づいて、前記ＵＥを前記基地局と同期させるように構成される、
請求項２８に記載の装置。
【請求項３０】
前記プロセッサは、
前記基地局から前記同期信号を受信するために、前記基地局のクリアチャネルアセスメント（ＣＣＡ）免除送信（ＣＥＴ）の間に前記共有無線周波数スペクトル帯域をモニタするように構成される、
請求項２６に記載の装置。
【請求項３１】
前記プロセッサは、
前記基地局からＣＣＡに従った前記同期信号の送信を受信するために、周期固定サブフレームロケーションの間に前記共有無線周波数スペクトル帯域をモニタするように構成される、
請求項２６に記載の装置。
【請求項３２】
前記プロセッサは、
前記時間ウィンドウの間に前記基地局に関するシステム情報を受信するように構成され、前記システム情報がシステム情報ブロックまたはマスタ情報ブロックにおいて受信される、
請求項２６に記載の装置。
【請求項３３】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項２６に記載の装置。
【請求項３４】
ユーザ機器（ＵＥ）において同期信号の送信に関連付けられる時間ウィンドウのインジケーションを受信することと、
基地局から前記同期信号を受信するために、前記時間ウィンドウの間に共有無線周波数スペクトル帯域をモニタすること、ここにおいて、前記時間ウィンドウは、１つまたは複数の周期固定サブフレームロケーションを備え、前記同期信号は、前記基地局からのクリアチャネルアセスメント（ＣＣＡ）に従う、と
を備える、プロセッサによって実行可能な命令を記憶するための非一時的コンピュータ可読媒体。
【請求項３５】
前記時間ウィンドウの間に前記共有無線周波数スペクトル帯域をモニタすることは、
前記時間ウィンドウの前に前記ＵＥの受信機をスリープ状態からウェイクアップさせることを備える、
請求項３４に記載の非一時的コンピュータ可読媒体。
【請求項３６】
前記時間ウィンドウの間に、前記基地局からタイミング情報を受信することをさらに備え、前記タイミング情報が、前記基地局の現在のフレーム、前記基地局の現在のサブフレーム、または現在のシンボルからなるグループからの１つのインジケーションを備える、
請求項３４に記載の非一時的コンピュータ可読媒体。
【請求項３７】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項３４に記載の非一時的コンピュータ可読媒体。
【請求項３８】
ワイヤレス通信のための方法であって、
同期信号の送信に関連付けられる時間ウィンドウのインジケーションを送信することと、
前記時間ウィンドウの間に共有無線周波数スペクトル帯域に対していくつかのクリアチャネルアセスメント（ＣＣＡ）を実行することと、
前記時間ウィンドウの間の送信時間に前記共有無線周波数スペクトル帯域を通じて前記同期信号を送信すること、ここにおいて、前記送信時間は、前記ＣＣＡのうちの少なくとも１つの結果に少なくとも部分的に基づく、と
を備える、方法。
【請求項３９】
前記時間ウィンドウの間に前記共有無線周波数スペクトル帯域に対して前記いくつかのＣＣＡを実行することは、
前記時間ウィンドウの間の前記ＣＣＡのうちの最初の成功したものを識別することを備え、
前記送信時間は、前記時間ウィンドウの間の前記ＣＣＡのうちの前記最初の成功したものに後続する、
請求項３８に記載の方法。
【請求項４０】
前記時間ウィンドウの間に前記共有無線周波数スペクトル帯域に対して前記いくつかのＣＣＡを実行することは、
前記時間ウィンドウの間に実行された前記ＣＣＡのうちのいずれも成功しなかったと決定することを備え、
前記送信時間は、前記時間ウィンドウの終わりに発生する、
請求項３８に記載の方法。
【請求項４１】
前記時間ウィンドウの間にタイミング情報を送信することをさらに備え、前記タイミング情報が、基地局の現在のフレーム、前記基地局の現在のサブフレーム、または現在のシンボルからなるグループからの１つのインジケーションを備える、
請求項３８に記載の方法。
【請求項４２】
クリアチャネルアセスメント（ＣＣＡ）免除送信（ＣＥＴ）の間に前記共有無線周波数スペクトル帯域を通じて前記同期信号を送信することをさらに備える、
請求項３８に記載の方法。
【請求項４３】
前記同期信号が送信されるサブフレームに関するダウンリンク制御情報（ＤＣＩ）を送信することをさらに備え、前記ＤＣＩが、前記サブフレームにおいて前記同期信号を送信するために使用される少なくとも１つのリソースをシグナリングする、
請求項３８に記載の方法。
【請求項４４】
周期固定サブフレームロケーションの間に、機会主義的に前記共有無線周波数スペクトル帯域を通じて前記同期信号を送信することをさらに備える、
請求項３８に記載の方法。
【請求項４５】
前記時間ウィンドウは、前記機会主義的に送信される同期信号とは異なる、前記共有無線周波数スペクトル帯域のサブキャリア周波数のセットに関連付けられる、
請求項４４に記載の方法。
【請求項４６】
前記時間ウィンドウは、基地局の前記周期固定サブフレームロケーションと時間的に重複する、
請求項４４に記載の方法。
【請求項４７】
前記時間ウィンドウは、基地局の少なくとも１つのクリアチャネルアセスメント（ＣＣＡ）免除送信（ＣＥＴ）に取って代わる、
請求項３８に記載の方法。
【請求項４８】
前記いくつかのＣＣＡは、複数のＣＣＡを備える、
請求項３８に記載の方法。
【請求項４９】
前記時間ウィンドウの前記インジケーションは、システム情報ブロックまたはマスタ情報ブロックにおいて送信される、
請求項３８に記載の方法。
【請求項５０】
前記時間ウィンドウの前記インジケーションは、無線リソース制御（ＲＲＣ）メッセージにおいて送信される、
請求項３８に記載の方法。
【請求項５１】
前記時間ウィンドウの間に基地局に関するシステム情報を送信することをさらに備え、前記システム情報がシステム情報ブロックまたはマスタ情報ブロックにおいて送信される、
請求項３８に記載の方法。
【請求項５２】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項３８に記載の方法。
【請求項５３】
ワイヤレス通信のための装置であって、
同期信号の送信に関連付けられる時間ウィンドウのインジケーションを送信するための手段と、
前記時間ウィンドウの間に共有無線周波数スペクトル帯域に対していくつかのクリアチャネルアセスメント（ＣＣＡ）を実行するための手段と、
前記時間ウィンドウの間の送信時間に前記共有無線周波数スペクトル帯域を通じて前記同期信号を送信するための手段、ここにおいて、前記送信時間が前記ＣＣＡのうちの少なくとも１つの結果に少なくとも部分的に基づく、と
を備える、装置。
【請求項５４】
前記時間ウィンドウの間に前記共有無線周波数スペクトル帯域に対して前記いくつかのＣＣＡを前記実行するための手段は、
前記時間ウィンドウの間の前記ＣＣＡのうちの最初の成功したものを識別するための手段を備え、
前記送信時間は、前記時間ウィンドウの間の前記ＣＣＡのうちの前記最初の成功したものに後続する、
請求項５３に記載の装置。
【請求項５５】
前記時間ウィンドウの間に前記共有無線周波数スペクトル帯域に対して前記いくつかのＣＣＡを前記実行するための手段は、
前記時間ウィンドウの間に実行された前記ＣＣＡのうちのいずれも成功しなかったと決定するための手段を備え、
前記送信時間は、前記時間ウィンドウの終わりに発生する、
請求項５３に記載の装置。
【請求項５６】
前記時間ウィンドウの間にタイミング情報を送信するための手段をさらに備え、前記タイミング情報は、基地局の現在のフレーム、前記基地局の現在のサブフレーム、または現在のシンボルからなるグループからの１つのインジケーションを備える、
請求項５３に記載の装置。
【請求項５７】
クリアチャネルアセスメント（ＣＣＡ）免除送信（ＣＥＴ）の間に前記共有無線周波数スペクトル帯域を通じて前記同期信号を送信するための手段をさらに備える、
請求項５３に記載の装置。
【請求項５８】
前記同期信号が送信されるサブフレームに関するダウンリンク制御情報（ＤＣＩ）を送信するための手段をさらに備え、前記ＤＣＩは、前記サブフレームにおいて前記同期信号を送信するために使用される少なくとも１つのリソースをシグナリングする、
請求項５３に記載の装置。
【請求項５９】
周期固定サブフレームロケーションの間に、機会主義的に前記共有無線周波数スペクトル帯域を通じて前記同期信号を送信するための手段をさらに備える、
請求項５３に記載の装置。
【請求項６０】
前記時間ウィンドウは、前記機会主義的に送信される同期信号とは異なる、前記共有無線周波数スペクトル帯域のサブキャリア周波数のセットに関連付けられる、請求項５９に記載の装置。
【請求項６１】
前記時間ウィンドウは、基地局の前記周期固定サブフレームロケーションと時間的に重複する、
請求項５９に記載の装置。
【請求項６２】
前記時間ウィンドウは、基地局の少なくとも１つのクリアチャネルアセスメント（ＣＣＡ）免除送信（ＣＥＴ）に取って代わる、
請求項５３に記載の装置。
【請求項６３】
前記いくつかのＣＣＡは、複数のＣＣＡを備える、
請求項５３に記載の装置。
【請求項６４】
前記時間ウィンドウの前記インジケーションは、システム情報ブロックまたはマスタ情報ブロックにおいて送信される、
請求項５３に記載の装置。
【請求項６５】
前記時間ウィンドウの前記インジケーションは、無線リソース制御（ＲＲＣ）メッセージにおいて送信される、
請求項５３に記載の装置。
【請求項６６】
前記時間ウィンドウの間に基地局に関するシステム情報を送信するための手段をさらに備え、前記システム情報がシステム情報ブロックまたはマスタ情報ブロックにおいて送信される、
請求項５３に記載の装置。
【請求項６７】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項５３に記載の装置。
【請求項６８】
ワイヤレス通信のための装置であって、
プロセッサと、
前記プロセッサに結合されたメモリと
を備え、前記プロセッサは、
同期信号の送信に関連付けられる時間ウィンドウのインジケーションを送信することと、
前記時間ウィンドウの間に共有無線周波数スペクトル帯域に対していくつかのクリアチャネルアセスメント（ＣＣＡ）を実行することと、
前記時間ウィンドウの間の送信時間に前記共有無線周波数スペクトル帯域を通じて前記同期信号を送信すること、ここにおいて、前記送信時間は、前記ＣＣＡのうちの少なくとも１つの結果に少なくとも部分的に基づく、と
を行うように構成される、装置。
【請求項６９】
前記プロセッサは、
前記時間ウィンドウの間にタイミング情報を送信するように構成され、前記タイミング情報は、基地局の現在のフレーム、前記基地局の現在のサブフレーム、または現在のシンボルからなるグループからの１つのインジケーションを備える、
請求項６８に記載の装置。
【請求項７０】
前記プロセッサは、
前記同期信号が送信されるサブフレームに関するダウンリンク制御情報（ＤＣＩ）を送信するように構成され、前記ＤＣＩが、前記サブフレームにおいて前記同期信号を送信するために使用される少なくとも１つのリソースをシグナリングする、
請求項６８に記載の装置。
【請求項７１】
前記いくつかのＣＣＡは、複数のＣＣＡを備える、
請求項６８に記載の装置。
【請求項７２】
前記時間ウィンドウの前記インジケーションは、システム情報ブロックまたはマスタ情報ブロックにおいて送信される、
請求項６８に記載の装置。
【請求項７３】
前記時間ウィンドウの前記インジケーションは、無線リソース制御（ＲＲＣ）メッセージにおいて送信される、
請求項６８に記載の装置。
【請求項７４】
前記プロセッサは、
前記時間ウィンドウの間に基地局に関するシステム情報を送信するように構成され、前記システム情報は、システム情報ブロックまたはマスタ情報ブロックにおいて送信される、
請求項６８に記載の装置。
【請求項７５】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項６８に記載の装置。
【請求項７６】
同期信号の送信に関連付けられる時間ウィンドウのインジケーションを送信することと、
前記時間ウィンドウの間に共有無線周波数スペクトル帯域に対していくつかのクリアチャネルアセスメント（ＣＣＡ）を実行することと、
前記時間ウィンドウの間の送信時間に前記共有無線周波数スペクトル帯域を通じて前記同期信号を送信すること、ここにおいて、前記送信時間が前記ＣＣＡのうちの少なくとも１つの結果に少なくとも部分的に基づく、と
を備える、プロセッサによって実行可能な命令を記憶するための非一時的コンピュータ可読媒体。
【請求項７７】
前記時間ウィンドウの間にタイミング情報を送信するための命令をさらに備え、前記タイミング情報は、基地局の現在のフレーム、前記基地局の現在のサブフレーム、または現在のシンボルからなるグループからの１つのインジケーションを備える、
請求項７６に記載の非一時的コンピュータ可読媒体。
【請求項７８】
前記いくつかのＣＣＡは、複数のＣＣＡを備える、
請求項７６に記載の非一時的コンピュータ可読媒体。
【請求項７９】
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループからの１つを備える、
請求項７６に記載の非一時的コンピュータ可読媒体。
【手続補正２】
【補正対象書類名】明細書
【補正対象項目名】０２３７
【補正方法】変更
【補正の内容】
【０２３７】
[0259]本開示の前述の説明は、当業者が本開示を作成または使用することができるように提供される。本開示の様々な変更が当業者には容易に明らかとなり、本明細書で定義される一般原理は、本開示の範囲から逸脱することなく他の変形形態に適用され得る。したがって、本開示は、本明細書で説明された例および設計に限定されるべきでなく、本明細書で開示された原理および新規の特徴に一致する最も広い範囲を与えられるべきである。
以下に、本願出願の当初の特許請求の範囲に記載された発明を付記する。
［Ｃ１］
ワイヤレス通信のための方法であって、
ユーザ機器（ＵＥ）において免許不要の無線周波数スペクトル帯域を通じて、同期信号の送信に関連付けられる時間ウィンドウのインジケーションを受信することと、
基地局から前記同期信号を受信するために、前記時間ウィンドウの間に前記免許不要の無線周波数スペクトル帯域をモニタすることと
を備える、方法。
［Ｃ２］
前記時間ウィンドウの間に前記免許不要の無線周波数スペクトル帯域をモニタすることは、
前記時間ウィンドウの前に前記ＵＥの受信機をスリープ状態からウェイクアップさせることを備える、
［Ｃ１］に記載の方法。
［Ｃ３］
前記時間ウィンドウの間に、前記基地局からタイミング情報を受信することをさらに備え、前記タイミング情報が、前記基地局の現在のフレーム、前記基地局の現在のサブフレーム、または現在のシンボルからなるグループのうちの１つのインジケーションを備える、
［Ｃ１］に記載の方法。
［Ｃ４］
前記タイミング情報に少なくとも部分的に基づいて、前記ＵＥを前記基地局と同期させることをさらに備える、
［Ｃ３］に記載の方法。
［Ｃ５］
前記基地局から前記同期信号を受信するために、前記基地局のクリアチャネルアセスメント（ＣＣＡ）免除送信（ＣＥＴ）の間に前記免許不要の無線周波数スペクトル帯域をモニタすることをさらに備える、
［Ｃ１］に記載の方法。
［Ｃ６］
前記基地局からＣＣＡに従った前記同期信号の送信を受信するために、周期固定サブフレームロケーションの間に前記免許不要の無線周波数スペクトル帯域をモニタすることをさらに備える、
［Ｃ１］に記載の方法。
［Ｃ７］
前記時間ウィンドウは、ＣＣＡに従った前記送信とは異なる、前記免許不要の無線周波数スペクトル帯域のサブキャリア周波数のセットに関連付けられる、
［Ｃ６］に記載の方法。
［Ｃ８］
前記時間ウィンドウは、前記基地局の前記周期固定サブフレームロケーションと時間的に重複する、
［Ｃ６］に記載の方法。
［Ｃ９］
前記時間ウィンドウは、前記基地局の少なくとも１つのクリアチャネルアセスメント（ＣＣＡ）免除送信（ＣＥＴ）に取って代わる、
［Ｃ１］に記載の方法。
［Ｃ１０］
前記時間ウィンドウの前記インジケーションは、システム情報ブロックまたはマスタ情報ブロックにおいて受信される、
［Ｃ１］に記載の方法。
［Ｃ１１］
前記時間ウィンドウの前記インジケーションは、無線リソース制御（ＲＲＣ）メッセージにおいて受信される、
［Ｃ１］に記載の方法。
［Ｃ１２］
前記時間ウィンドウの間に前記基地局に関するシステム情報を受信することをさらに備え、前記システム情報がシステム情報ブロックまたはマスタ情報ブロックにおいて受信される、
［Ｃ１］に記載の方法。
［Ｃ１３］
前記同期信号に対して無線リソース管理測定を実行することをさらに備える、
［Ｃ１］に記載の方法。
［Ｃ１４］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１］に記載の方法。
［Ｃ１５］
ワイヤレス通信のための装置であって、
ユーザ機器（ＵＥ）において免許不要の無線周波数スペクトル帯域を通じて、同期信号の送信に関連付けられる時間ウィンドウのインジケーションを受信するための手段と、
基地局から前記同期信号を受信するために、前記時間ウィンドウの間に前記免許不要の無線周波数スペクトル帯域をモニタするための手段と
を備える、装置。
［Ｃ１６］
前記時間ウィンドウの間に前記免許不要の無線周波数スペクトル帯域をモニタすることは、
前記時間ウィンドウの前に前記ＵＥの受信機をスリープ状態からウェイクアップさせるための手段を備える、
［Ｃ１５］に記載の装置。
［Ｃ１７］
前記時間ウィンドウの間に、前記基地局からタイミング情報を受信するための手段をさらに備え、前記タイミング情報が、前記基地局の現在のフレーム、前記基地局の現在のサブフレーム、または現在のシンボルからなるグループのうちの１つのインジケーションを備える、
［Ｃ１５］に記載の装置。
［Ｃ１８］
前記タイミング情報に少なくとも部分的に基づいて、前記ＵＥを前記基地局と同期させるための手段をさらに備える、
［Ｃ１７］に記載の装置。
［Ｃ１９］
前記基地局から前記同期信号を受信するために、前記基地局のクリアチャネルアセスメント（ＣＣＡ）免除送信（ＣＥＴ）の間に前記免許不要の無線周波数スペクトル帯域をモニタするための手段をさらに備える、
［Ｃ１５］に記載の装置。
［Ｃ２０］
前記基地局からＣＣＡに従った前記同期信号の送信を受信するために、周期固定サブフレームロケーションの間に前記免許不要の無線周波数スペクトル帯域をモニタするための手段をさらに備える、
［Ｃ１５］に記載の装置。
［Ｃ２１］
前記時間ウィンドウは、ＣＣＡに従った前記送信とは異なる、前記免許不要の無線周波数スペクトル帯域のサブキャリア周波数のセットに関連付けられる、
［Ｃ２０］に記載の装置。
［Ｃ２２］
前記時間ウィンドウは、前記基地局の前記周期固定サブフレームロケーションと時間的に重複する、
［Ｃ２０］に記載の装置。
［Ｃ２３］
前記時間ウィンドウは、前記基地局の少なくとも１つのクリアチャネルアセスメント（ＣＣＡ）免除送信（ＣＥＴ）に取って代わる、
［Ｃ１５］に記載の装置。
［Ｃ２４］
前記時間ウィンドウの前記インジケーションは、システム情報ブロックまたはマスタ情報ブロックにおいて受信される、
［Ｃ１５］に記載の装置。
［Ｃ２５］
前記時間ウィンドウの前記インジケーションは、無線リソース制御（ＲＲＣ）メッセージにおいて受信される、
［Ｃ１５］に記載の装置。
［Ｃ２６］
前記時間ウィンドウの間に前記基地局に関するシステム情報を受信するための手段をさらに備え、前記システム情報がシステム情報ブロックまたはマスタ情報ブロックにおいて受信される、
［Ｃ１５］に記載の装置。
［Ｃ２７］
前記同期信号に対して無線リソース管理測定を実行するための手段をさらに備える、
［Ｃ１５］に記載の装置。
［Ｃ２８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１５］に記載の装置。
［Ｃ２９］
ワイヤレス通信のための装置であって、
プロセッサと、
前記プロセッサに結合されたメモリと
を備え、前記プロセッサは、
ユーザ機器（ＵＥ）において免許不要の無線周波数スペクトル帯域を通じて、同期信号の送信に関連付けられる時間ウィンドウのインジケーションを受信することと、
基地局から前記同期信号を受信するために、前記時間ウィンドウの間に前記免許不要の無線周波数スペクトル帯域をモニタすることと
を行うように構成される、装置。
［Ｃ３０］
前記プロセッサは、
前記時間ウィンドウの前に前記ＵＥの受信機をスリープ状態からウェイクアップさせるように構成される、
［Ｃ２９］に記載の装置。
［Ｃ３１］
前記プロセッサは、
前記時間ウィンドウの間に、前記基地局からタイミング情報を受信するように構成され、前記タイミング情報が、前記基地局の現在のフレーム、前記基地局の現在のサブフレーム、または現在のシンボルからなるグループのうちの１つのインジケーションを備える、
［Ｃ２９］に記載の装置。
［Ｃ３２］
前記プロセッサは、
前記タイミング情報に少なくとも部分的に基づいて、前記ＵＥを前記基地局と同期させるように構成される、
［Ｃ３１］に記載の装置。
［Ｃ３３］
前記プロセッサは、
前記基地局から前記同期信号を受信するために、前記基地局のクリアチャネルアセスメント（ＣＣＡ）免除送信（ＣＥＴ）の間に前記免許不要の無線周波数スペクトル帯域をモニタするように構成される、
［Ｃ２９］に記載の装置。
［Ｃ３４］
前記プロセッサは、
前記基地局からＣＣＡに従った前記同期信号の送信を受信するために、周期固定サブフレームロケーションの間に前記免許不要の無線周波数スペクトル帯域をモニタするように構成される、
［Ｃ２９］に記載の装置。
［Ｃ３５］
前記プロセッサは、
前記時間ウィンドウの間に前記基地局に関するシステム情報を受信するように構成され、前記システム情報がシステム情報ブロックまたはマスタ情報ブロックにおいて受信される、
［Ｃ２９］に記載の装置。
［Ｃ３６］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ２９］に記載の装置。
［Ｃ３７］
プロセッサによって実行可能な命令を記憶するための非一時的コンピュータ可読媒体であって、
ユーザ機器（ＵＥ）において免許不要の無線周波数スペクトル帯域を通じて、同期信号の送信に関連付けられる時間ウィンドウのインジケーションを受信するための命令と、
基地局から前記同期信号を受信するために、前記時間ウィンドウの間に前記免許不要の無線周波数スペクトル帯域をモニタするための命令と
を備える、非一時的コンピュータ可読媒体。
［Ｃ３８］
前記時間ウィンドウの間に前記免許不要の無線周波数スペクトル帯域をモニタするための前記命令は、
前記時間ウィンドウの前に前記ＵＥの受信機をスリープ状態からウェイクアップさせるための命令を備える、
［Ｃ３７］に記載の非一時的コンピュータ可読媒体。
［Ｃ３９］
前記時間ウィンドウの間に、前記基地局からタイミング情報を受信するための命令をさらに備え、前記タイミング情報が、前記基地局の現在のフレーム、前記基地局の現在のサブフレーム、または現在のシンボルからなるグループのうちの１つのインジケーションを備える、
［Ｃ３７］に記載の非一時的コンピュータ可読媒体。
［Ｃ４０］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ３７］に記載の非一時的コンピュータ可読媒体。
［Ｃ４１］
ワイヤレス通信のための方法であって、
同期信号の送信に関連付けられる時間ウィンドウのインジケーションを送信することと、
前記時間ウィンドウの間に免許不要の無線周波数スペクトル帯域に対していくつかのクリアチャネルアセスメント（ＣＣＡ）を実行することと、
前記時間ウィンドウの間の送信時間に前記免許不要の無線周波数スペクトル帯域を通じて前記同期信号を送信すること、ここにおいて、前記送信時間は、前記ＣＣＡのうちの少なくとも１つの結果に少なくとも部分的に基づく、と
を備える、方法。
［Ｃ４２］
前記時間ウィンドウの間に前記免許不要の無線周波数スペクトル帯域に対して前記いくつかのＣＣＡを実行することは、
前記時間ウィンドウの間の前記ＣＣＡのうちの最初の成功したものを識別することを備え、
前記送信時間は、前記時間ウィンドウの間の前記ＣＣＡのうちの前記最初の成功したものに後続する、
［Ｃ４１］に記載の方法。
［Ｃ４３］
前記時間ウィンドウの間に前記免許不要の無線周波数スペクトル帯域に対して前記いくつかのＣＣＡを実行することは、
前記時間ウィンドウの間に実行された前記ＣＣＡのうちのいずれも成功しなかったと決定することを備え、
前記送信時間は、前記時間ウィンドウの終わりに発生する、
［Ｃ４１］に記載の方法。
［Ｃ４４］
前記時間ウィンドウの間にタイミング情報を送信することをさらに備え、前記タイミング情報が、基地局の現在のフレーム、前記基地局の現在のサブフレーム、または現在のシンボルからなるグループのうちの１つのインジケーションを備える、
［Ｃ４１］に記載の方法。
［Ｃ４５］
クリアチャネルアセスメント（ＣＣＡ）免除送信（ＣＥＴ）の間に前記免許不要の無線周波数スペクトル帯域を通じて前記同期信号を送信することをさらに備える、
［Ｃ４１］に記載の方法。
［Ｃ４６］
前記同期信号が送信されるサブフレームに関するダウンリンク制御情報（ＤＣＩ）を送信することをさらに備え、前記ＤＣＩが、前記サブフレームにおいて前記同期信号を送信するために使用される少なくとも１つのリソースをシグナリングする、
［Ｃ４１］に記載の方法。
［Ｃ４７］
周期固定サブフレームロケーションの間に、機会主義的に前記免許不要の無線周波数スペクトル帯域を通じて前記同期信号を送信することをさらに備える、
［Ｃ４１］に記載の方法。
［Ｃ４８］
前記時間ウィンドウは、前記機会主義的に送信される同期信号とは異なる、前記免許不要の無線周波数スペクトル帯域のサブキャリア周波数のセットに関連付けられる、
［Ｃ４７］に記載の方法。
［Ｃ４９］
前記時間ウィンドウは、基地局の前記周期固定サブフレームロケーションと時間的に重複する、
［Ｃ４７］に記載の方法。
［Ｃ５０］
前記時間ウィンドウは、基地局の少なくとも１つのクリアチャネルアセスメント（ＣＣＡ）免除送信（ＣＥＴ）に取って代わる、
［Ｃ４１］に記載の方法。
［Ｃ５１］
前記いくつかのＣＣＡは、複数のＣＣＡを備える、
［Ｃ４１］に記載の方法。
［Ｃ５２］
前記時間ウィンドウの前記インジケーションは、システム情報ブロックまたはマスタ情報ブロックにおいて送信される、
［Ｃ４１］に記載の方法。
［Ｃ５３］
前記時間ウィンドウの前記インジケーションは、無線リソース制御（ＲＲＣ）メッセージにおいて送信される、
［Ｃ４１］に記載の方法。
［Ｃ５４］
前記時間ウィンドウの間に基地局に関するシステム情報を送信することをさらに備え、前記システム情報がシステム情報ブロックまたはマスタ情報ブロックにおいて送信される、
［Ｃ４１］に記載の方法。
［Ｃ５５］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ４１］に記載の方法。
［Ｃ５６］
ワイヤレス通信のための装置であって、
同期信号の送信に関連付けられる時間ウィンドウのインジケーションを送信するための手段と、
前記時間ウィンドウの間に免許不要の無線周波数スペクトル帯域に対していくつかのクリアチャネルアセスメント（ＣＣＡ）を実行するための手段と、
前記時間ウィンドウの間の送信時間に前記免許不要の無線周波数スペクトル帯域を通じて前記同期信号を送信するための手段、ここにおいて、前記送信時間が前記ＣＣＡのうちの少なくとも１つの結果に少なくとも部分的に基づく、と
を備える、装置。
［Ｃ５７］
前記時間ウィンドウの間に前記免許不要の無線周波数スペクトル帯域に対して前記いくつかのＣＣＡを前記実行するための手段は、
前記時間ウィンドウの間の前記ＣＣＡのうちの最初の成功したものを識別するための手段を備え、
前記送信時間は、前記時間ウィンドウの間の前記ＣＣＡのうちの前記最初の成功したものに後続する、
［Ｃ５６］に記載の装置。
［Ｃ５８］
前記時間ウィンドウの間に前記免許不要の無線周波数スペクトル帯域に対して前記いくつかのＣＣＡを前記実行するための手段は、
前記時間ウィンドウの間に実行された前記ＣＣＡのうちのいずれも成功しなかったと決定するための手段を備え、
前記送信時間は、前記時間ウィンドウの終わりに発生する、
［Ｃ５６］に記載の装置。
［Ｃ５９］
前記時間ウィンドウの間にタイミング情報を送信するための手段をさらに備え、前記タイミング情報は、基地局の現在のフレーム、前記基地局の現在のサブフレーム、または現在のシンボルからなるグループのうちの１つのインジケーションを備える、
［Ｃ５６］に記載の装置。
［Ｃ６０］
クリアチャネルアセスメント（ＣＣＡ）免除送信（ＣＥＴ）の間に前記免許不要の無線周波数スペクトル帯域を通じて前記同期信号を送信するための手段をさらに備える、
［Ｃ５６］に記載の装置。
［Ｃ６１］
前記同期信号が送信されるサブフレームに関するダウンリンク制御情報（ＤＣＩ）を送信するための手段をさらに備え、前記ＤＣＩは、前記サブフレームにおいて前記同期信号を送信するために使用される少なくとも１つのリソースをシグナリングする、
［Ｃ５６］に記載の装置。
［Ｃ６２］
周期固定サブフレームロケーションの間に、機会主義的に前記免許不要の無線周波数スペクトル帯域を通じて前記同期信号を送信するための手段をさらに備える、
［Ｃ５６］に記載の装置。
［Ｃ６３］
前記時間ウィンドウは、前記機会主義的に送信される同期信号とは異なる、前記免許不要の無線周波数スペクトル帯域のサブキャリア周波数のセットに関連付けられる、［Ｃ６２］に記載の装置。
［Ｃ６４］
前記時間ウィンドウは、基地局の前記周期固定サブフレームロケーションと時間的に重複する、
［Ｃ６２］に記載の装置。
［Ｃ６５］
前記時間ウィンドウは、基地局の少なくとも１つのクリアチャネルアセスメント（ＣＣＡ）免除送信（ＣＥＴ）に取って代わる、
［Ｃ５６］に記載の装置。
［Ｃ６６］
前記いくつかのＣＣＡは、複数のＣＣＡを備える、
［Ｃ５６］に記載の装置。
［Ｃ６７］
前記時間ウィンドウの前記インジケーションは、システム情報ブロックまたはマスタ情報ブロックにおいて送信される、
［Ｃ５６］に記載の装置。
［Ｃ６８］
前記時間ウィンドウの前記インジケーションは、無線リソース制御（ＲＲＣ）メッセージにおいて送信される、
［Ｃ５６］に記載の装置。
［Ｃ６９］
前記時間ウィンドウの間に基地局に関するシステム情報を送信するための手段をさらに備え、前記システム情報がシステム情報ブロックまたはマスタ情報ブロックにおいて送信される、
［Ｃ５６］に記載の装置。
［Ｃ７０］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ５６］に記載の装置。
［Ｃ７１］
ワイヤレス通信のための装置であって、
プロセッサと、
前記プロセッサに結合されたメモリと
を備え、前記プロセッサは、
同期信号の送信に関連付けられる時間ウィンドウのインジケーションを送信することと、
前記時間ウィンドウの間に免許不要の無線周波数スペクトル帯域に対していくつかのクリアチャネルアセスメント（ＣＣＡ）を実行することと、
前記時間ウィンドウの間の送信時間に前記免許不要の無線周波数スペクトル帯域を通じて前記同期信号を送信すること、ここにおいて、前記送信時間は、前記ＣＣＡのうちの少なくとも１つの結果に少なくとも部分的に基づく、と
を行うように構成される、装置。
［Ｃ７２］
前記プロセッサは、
前記時間ウィンドウの間にタイミング情報を送信するように構成され、前記タイミング情報は、基地局の現在のフレーム、前記基地局の現在のサブフレーム、または現在のシンボルからなるグループのうちの１つのインジケーションを備える、
［Ｃ７１］に記載の装置。
［Ｃ７３］
前記プロセッサは、
前記同期信号が送信されるサブフレームに関するダウンリンク制御情報（ＤＣＩ）を送信するように構成され、前記ＤＣＩが、前記サブフレームにおいて前記同期信号を送信するために使用される少なくとも１つのリソースをシグナリングする、
［Ｃ７１］に記載の装置。
［Ｃ７４］
前記いくつかのＣＣＡは、複数のＣＣＡを備える、
［Ｃ７１］に記載の装置。
［Ｃ７５］
前記時間ウィンドウの前記インジケーションは、システム情報ブロックまたはマスタ情報ブロックにおいて送信される、
［Ｃ７１］に記載の装置。
［Ｃ７６］
前記時間ウィンドウの前記インジケーションは、無線リソース制御（ＲＲＣ）メッセージにおいて送信される、
［Ｃ７１］に記載の装置。
［Ｃ７７］
前記プロセッサは、
前記時間ウィンドウの間に基地局に関するシステム情報を送信するように構成され、前記システム情報は、システム情報ブロックまたはマスタ情報ブロックにおいて送信される、
［Ｃ７１］に記載の装置。
［Ｃ７８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ７１］に記載の装置。
［Ｃ７９］
プロセッサによって実行可能な命令を記憶するための非一時的コンピュータ可読媒体であって、
同期信号の送信に関連付けられる時間ウィンドウのインジケーションを送信するための命令と、
前記時間ウィンドウの間に免許不要の無線周波数スペクトル帯域に対していくつかのクリアチャネルアセスメント（ＣＣＡ）を実行するための命令と、
前記時間ウィンドウの間の送信時間に前記免許不要の無線周波数スペクトル帯域を通じて前記同期信号を送信するための命令と、ここにおいて、前記送信時間が前記ＣＣＡのうちの少なくとも１つの結果に少なくとも部分的に基づく、
を備える、非一時的コンピュータ可読媒体。
［Ｃ８０］
前記時間ウィンドウの間にタイミング情報を送信するための命令をさらに備え、前記タイミング情報は、基地局の現在のフレーム、前記基地局の現在のサブフレーム、または現在のシンボルからなるグループのうちの１つのインジケーションを備える、
［Ｃ７９］に記載の非一時的コンピュータ可読媒体。
［Ｃ８１］
前記いくつかのＣＣＡは、複数のＣＣＡを備える、
［Ｃ７９］に記載の非一時的コンピュータ可読媒体。
［Ｃ８２］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ７９］に記載の非一時的コンピュータ可読媒体。
［Ｃ８３］
ワイヤレス通信のための方法であって、
ユーザ機器（ＵＥ）において、基地局から同期信号の送信を受信するために、免許不要の無線周波数スペクトル帯域をモニタすることと、
前記基地局から前記同期信号を受信することと
を備える、方法。
［Ｃ８４］
前記同期信号を受信することは、タイミング情報とともに前記同期信号を受信することを備える、
［Ｃ８３］に記載の方法。
［Ｃ８５］
前記タイミング情報は、前記基地局の現在のフレームおよび前記基地局の現在のサブフレームのインジケーションを備える、
［Ｃ８４］に記載の方法。
［Ｃ８６］
前記タイミング情報は、前記基地局の現在のフレーム、前記基地局の現在のサブフレーム、および現在のシンボルのインジケーションを備える、
［Ｃ８４］に記載の方法。
［Ｃ８７］
前記タイミング情報に少なくとも部分的に基づいて、前記ＵＥを前記基地局と同期させることをさらに備える、
［Ｃ８４］に記載の方法。
［Ｃ８８］
前記同期信号とともに前記基地局に関するシステム情報を受信することをさらに備え、前記システム情報は、システム情報ブロックまたはマスタ情報ブロックにおいて受信される、
［Ｃ８３］に記載の方法。
［Ｃ８９］
前記同期信号に対して無線リソース管理測定を実行することをさらに備える、
［Ｃ８３］に記載の方法。
［Ｃ９０］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ８３］に記載の方法。
［Ｃ９１］
ワイヤレス通信のための装置であって、
ユーザ機器（ＵＥ）において、基地局から同期信号の送信を受信するために、免許不要の無線周波数スペクトル帯域をモニタするための手段と、
前記基地局から前記同期信号を受信するための手段と
を備える、装置。
［Ｃ９２］
前記同期信号を前記受信するための手段は、タイミング情報とともに前記同期信号を受信するための手段を備える、
［Ｃ９１］に記載の装置。
［Ｃ９３］
前記タイミング情報は、前記基地局の現在のフレームおよび前記基地局の現在のサブフレームのインジケーションを備える、
［Ｃ９２］に記載の装置。
［Ｃ９４］
前記タイミング情報は、前記基地局の現在のフレーム、前記基地局の現在のサブフレーム、および現在のシンボルのインジケーションを備える、
［Ｃ９２］に記載の装置。
［Ｃ９５］
前記タイミング情報に少なくとも部分的に基づいて、前記ＵＥを前記基地局と同期させるための手段をさらに備える、
［Ｃ９２］に記載の装置。
［Ｃ９６］
前記同期信号とともに前記基地局に関するシステム情報を受信するための手段をさらに備え、前記システム情報がシステム情報ブロックまたはマスタ情報ブロックにおいて受信される、
［Ｃ９１］に記載の装置。
［Ｃ９７］
前記同期信号に対して無線リソース管理測定を実行するための手段をさらに備える、
［Ｃ９１］に記載の装置。
［Ｃ９８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ９１］に記載の装置。
［Ｃ９９］
ワイヤレス通信のための装置であって、
プロセッサと、
前記プロセッサに結合されたメモリと
を備え、前記プロセッサは、
ユーザ機器（ＵＥ）において、基地局から同期信号の送信を受信するために、免許不要の無線周波数スペクトル帯域をモニタすることと、
前記基地局から前記同期信号を受信することと
を行うように構成される、装置。
［Ｃ１００］
前記同期信号を受信するように構成される前記プロセッサは、
タイミング情報とともに前記同期信号を受信するように構成される前記プロセッサを備える、
［Ｃ９９］に記載の装置。
［Ｃ１０１］
前記タイミング情報は、前記基地局の現在のフレームおよび前記基地局の現在のサブフレームのインジケーションを備える、
［Ｃ１００］に記載の装置。
［Ｃ１０２］
前記タイミング情報は、前記基地局の現在のフレーム、前記基地局の現在のサブフレーム、および現在のシンボルのインジケーションを備える、
［Ｃ１００］に記載の装置。
［Ｃ１０３］
前記プロセッサは、
前記タイミング情報に少なくとも部分的に基づいて、前記ＵＥを前記基地局と同期させるように構成される、
［Ｃ１００］に記載の装置。
［Ｃ１０４］
前記プロセッサは、
前記同期信号に対して無線リソース管理測定を実行するように構成される、［Ｃ９９］に記載の装置。
［Ｃ１０５］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ９９］に記載の装置。
［Ｃ１０６］
プロセッサによって実行可能な命令を記憶するための非一時的コンピュータ可読媒体であって、
ユーザ機器（ＵＥ）において、基地局から同期信号の送信を受信するために、免許不要の無線周波数スペクトル帯域をモニタするための命令と、
前記基地局から前記同期信号を受信するための命令と
を備える、非一時的コンピュータ可読媒体。
［Ｃ１０７］
前記同期信号を受信するための前記命令は、
タイミング情報とともに前記同期信号を受信するための命令を備える、
［Ｃ１０６］に記載の非一時的コンピュータ可読媒体。
［Ｃ１０８］
前記同期信号に対して無線リソース管理測定を実行するための命令をさらに備える、
［Ｃ１０６］に記載の非一時的コンピュータ可読媒体。
［Ｃ１０９］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１０６］に記載の非一時的コンピュータ可読媒体。
［Ｃ１１０］
ワイヤレス通信のための方法であって、
基地局において、免許不要の無線周波数スペクトル帯域に対していくつかのクリアチャネルアセスメント（ＣＣＡ）を実行することと、
前記ＣＣＡのうちの少なくとも１つの結果に少なくとも部分的に基づく送信時間に、前記免許不要の無線周波数スペクトル帯域を通じて同期信号を送信することと
を備える、方法。
［Ｃ１１１］
前記同期信号を送信することは、タイミング情報とともに前記同期信号を送信することを備える、
［Ｃ１１０］に記載の方法。
［Ｃ１１２］
前記タイミング情報は、前記基地局の現在のフレームおよび前記基地局の現在のサブフレームのインジケーションを備える、
［Ｃ１１１］に記載の方法。
［Ｃ１１３］
前記タイミング情報は、前記基地局の現在のフレーム、前記基地局の現在のサブフレーム、および現在のシンボルのインジケーションを備える、
［Ｃ１１１］に記載の方法。
［Ｃ１１４］
前記免許不要の無線周波数スペクトル帯域に対して前記いくつかのＣＣＡを実行することは、
前記ＣＣＡのうちの最初の成功したものを識別することを備え、
前記送信時間は、前記ＣＣＡのうちの前記最初の成功したものに後続する、
［Ｃ１１０］に記載の方法。
［Ｃ１１５］
前記免許不要の無線周波数スペクトル帯域に対して前記いくつかのＣＣＡを実行することは、
前記ＣＣＡのうちのいずれも成功しなかったと決定することを備え、
前記送信時間は、前記いくつかのＣＣＡのうちの最後の不成功のものの実行に後続する、
［Ｃ１１０］に記載の方法。
［Ｃ１１６］
前記いくつかのＣＣＡは、複数のＣＣＡを備える、
［Ｃ１１０］に記載の方法。
［Ｃ１１７］
前記同期信号とともに前記基地局に関するシステム情報を送信することをさらに備え、前記システム情報がシステム情報ブロックまたはマスタ情報ブロックにおいて送信される、［Ｃ１１０］に記載の方法。
［Ｃ１１８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１１０］に記載の方法。
［Ｃ１１９］
ワイヤレス通信のための装置であって、
基地局において、免許不要の無線周波数スペクトル帯域に対していくつかのクリアチャネルアセスメント（ＣＣＡ）を実行するための手段と、
前記ＣＣＡのうちの少なくとも１つの結果に少なくとも部分的に基づく送信時間に、前記免許不要の無線周波数スペクトル帯域を通じて同期信号を送信するための手段と
を備える、装置。
［Ｃ１２０］
前記同期信号を前記送信するための手段は、
タイミング情報とともに前記同期信号を受信するための手段を備える、
［Ｃ１１９］に記載の装置。
［Ｃ１２１］
前記タイミング情報は、前記基地局の現在のフレームおよび前記基地局の現在のサブフレームのインジケーションを備える、
［Ｃ１２０］に記載の装置。
［Ｃ１２２］
前記タイミング情報は、前記基地局の現在のフレーム、前記基地局の現在のサブフレーム、および現在のシンボルのインジケーションを備える、
［Ｃ１２０］に記載の装置。
［Ｃ１２３］
前記免許不要の無線周波数スペクトル帯域に対して前記いくつかのＣＣＡを前記実行するための手段は、
前記ＣＣＡのうちの最初の成功したものを識別するための手段を備え、
前記送信時間は、前記ＣＣＡのうちの前記最初の成功したものに後続する、
［Ｃ１１９］に記載の装置。
［Ｃ１２４］
前記免許不要の無線周波数スペクトル帯域に対して前記いくつかのＣＣＡを前記実行するための手段は、
前記ＣＣＡのうちのいずれも成功しなかったと決定するための手段を備え、
前記送信時間は、前記いくつかのＣＣＡのうちの最後の不成功のものの実行に後続する、
［Ｃ１１９］に記載の装置。
［Ｃ１２５］
前記いくつかのＣＣＡは、複数のＣＣＡを備える、
［Ｃ１１９］に記載の装置。
［Ｃ１２６］
前記同期信号とともに前記基地局に関するシステム情報を送信するための手段をさらに備え、前記システム情報がシステム情報ブロックまたはマスタ情報ブロックにおいて送信される、
［Ｃ１１９］に記載の装置。
［Ｃ１２７］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１１９］に記載の装置。
［Ｃ１２８］
ワイヤレス通信のための装置であって、
プロセッサと、
前記プロセッサに結合されたメモリと
を備え、前記プロセッサは、
基地局において、免許不要の無線周波数スペクトル帯域に対していくつかのクリアチャネルアセスメント（ＣＣＡ）を実行することと、
前記ＣＣＡのうちの少なくとも１つの結果に少なくとも部分的に基づく送信時間に、前記免許不要の無線周波数スペクトル帯域を通じて同期信号を送信することと
を行うように構成される、装置。
［Ｃ１２９］
前記同期信号を送信するように構成される前記プロセッサは、
タイミング情報とともに前記同期信号を送信するように構成される前記プロセッサを備える、
［Ｃ１２８］に記載の装置。
［Ｃ１３０］
前記タイミング情報は、前記基地局の現在のフレームおよび前記基地局の現在のサブフレームのインジケーションを備える、
［Ｃ１２９］に記載の装置。
［Ｃ１３１］
前記タイミング情報は、前記基地局の現在のフレーム、前記基地局の現在のサブフレーム、および現在のシンボルのインジケーションを備える、
［Ｃ１２９］に記載の装置。
［Ｃ１３２］
前記いくつかのＣＣＡは、複数のＣＣＡを備える、
［Ｃ１２８］に記載の装置。
［Ｃ１３３］
前記プロセッサは、
前記同期信号とともに前記基地局に関するシステム情報を送信するように構成され、前記システム情報がシステム情報ブロックまたはマスタ情報ブロックにおいて送信される、
［Ｃ１２８］に記載の装置。
［Ｃ１３４］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１２８］に記載の装置。
［Ｃ１３５］
プロセッサによって実行可能な命令を記憶するための非一時的コンピュータ可読媒体であって、
基地局において、免許不要の無線周波数スペクトル帯域に対していくつかのクリアチャネルアセスメント（ＣＣＡ）を実行するための命令と、
前記ＣＣＡのうちの少なくとも１つの結果に少なくとも部分的に基づく送信時間に、前記免許不要の無線周波数スペクトル帯域を通じて同期信号を送信するための命令と
を備える、非一時的コンピュータ可読媒体。
［Ｃ１３６］
前記同期信号を送信するための前記命令は、
タイミング情報とともに前記同期信号を送信するための命令を備える、
［Ｃ１３５］に記載の非一時的コンピュータ可読媒体。
［Ｃ１３７］
前記いくつかのＣＣＡは、複数のＣＣＡを備える、
［Ｃ１３５］に記載の非一時的コンピュータ可読媒体。
［Ｃ１３８］
前記同期信号は、プライマリ同期信号（ＰＳＳ）、セカンダリ同期信号（ＳＳＳ）、セル固有基準信号（ＣＲＳ）、およびチャネル状態情報基準信号（ＣＳＩ−ＲＳ）からなるグループのうちの１つを備える、
［Ｃ１３５］に記載の非一時的コンピュータ可読媒体。
【外国語明細書】
2020036323000001.pdf